(57)【要約】      （修正有）【課題】ネットワークにおける異なるレベルの接続管理により、リソースの効率的なオフロードおよび／またはアグリゲーションを可能とする。【解決手段】無線送受信ユニット（ＷＴＲＵ）は、ＲＲＣ接続を用いずに、短縮された待ち時間で動作可能な追加のＥＣＭおよびＲＲＣ状態（例えば、非アクティブ状態）並びに遷移をサポートする。ＷＴＲＵは、無線リソースを伴う、または伴わないネットワークリソースを用いて動作する。ＷＴＲＵは、プライマリレイヤを含む複数のレイヤを用いて、並列的に動作する。ＷＴＲＵは、セカンダリレイヤにおける動作のために構成され、セカンダリレイヤセキュリティコンテキスト、ＷＴＲＵとゲートウェイの間のユーザプレーンデータのトランスポートを行うセカンダリレイヤのためのトンネルもしくはルーティングを確立する。ＷＴＲＵは、アップリンクデータがどのレイヤに適用可能であるかを決定することができる。【選択図】図５
2018129823.tif 000002
【特許請求の範囲】
【請求項１】
無線送受信ユニット（ＷＴＲＵ）であって、
プロセッサであって、前記プロセッサは、
第１のレイヤを介して信号を受信し、前記信号は、セカンダリレイヤを使用するプレゼンス表示を求める要求を含み、
前記プレゼンス表示のためのセカンダリレイヤセルを選択し、
前記セカンダリレイヤを介してプレゼンスインジケータメッセージを前記セカンダリレイヤセルに送信し、
プレゼンス表示応答を前記セカンダリレイヤセルから受信する
ように少なくとも構成される、プロセッサを備えたＷＴＲＵ。
【発明の詳細な説明】
【背景技術】
【０００１】
関連出願の相互参照
本出願は、２０１３年１２月６日に出願された「Layered Connectivity in Wireless Systems」と題する米国仮出願第６１／９１３，０７３号、および２０１４年９月１２日に出願された「Layered Connectivity in Wireless Systems」と題する米国仮出願第６２／０４９，６６１号の利益を主張し、両出願の内容は、本明細書において完全に説明されたかのように、それぞれの全体が、あらゆる目的で、参照により組み込まれる。
【０００２】
ＬＴＥ無線通信システムでは、無線送受信ユニット（ＷＴＲＵ）は、ＷＴＲＵの構成の１または複数の態様を再構成することができるシグナリング、例えば、Ｌ３／ＲＲＣシグナリングを受信することができる。そのような態様は、１または複数のＬ１／ＰＨＹパラメータまたはＬ２パラメータ（例えば、ＭＡＣ、ＲＬＣ、および／もしくはＰＤＣＰ）の再構成を含むことができる。そのような再構成は、ハンドオーバ手順がトリガされることができるような、モビリティ制御要素を含むことができる。
【０００３】
ｅノードＢ（ｅＮＢ）内キャリアアグリゲーションを使用してマルチセル動作をサポートすることができるＬＴＥシステムでは、そのようなシグナリングは、１または複数のセカンダリセル（ＳＣｅｌｌ）の追加、変更および／または削除を含みうる、複数のセル（例えば、プライマリセル（ＰＣｅｌｌ）および／または１もしくは複数のＳＣｅｌｌ）上におけるＷＴＲＵの動作と関連付けられたパラメータを再構成することができる。
【０００４】
ＷＴＲＵは、デュアルコネクティビティ、例えば、ＷＴＲＵが異なるｅＮＢと関連付けられたセルのリソースにアクセスすることができる構成を用いて構成されることができる。ネットワークは、例えば、ＭｅＮＢにおいて終端する単一のＭＭＥ／Ｓ１−ｃ接続を使用して、接続性を制御することができる。
【発明の概要】
【０００５】
以下の詳細な説明にて詳述される概念を抜粋して簡潔な形で紹介するために要約が提供される。この要約は、特許請求される発明の主要な特徴および／または必須の特徴を識別することを意図しておらず、特許請求される発明の範囲を限定することも意図しない。
【０００６】
ネットワークにおける異なるレベルの接続管理を提供することによるリソースの効率的なオフロードおよび／またはアグリゲーションのためのシステム、方法および手段が開示される。無線送受信ユニット（ＷＴＲＵ）は、ＷＴＲＵがＲＲＣ接続を用いずに、短縮された待ち時間で動作することを可能にする、追加のＥＣＭおよびＲＲＣ状態（例えば、非アクティブ状態）並びに遷移をサポートすることができる。ＷＴＲＵは、無線リソースを伴うおよび伴わない、ネットワークリソース（例えば、Ｓ１ベアラ）を用いて動作することができる。
【０００７】
ＷＴＲＵは、例えば、単一のＩＰインターフェースを使用して、ＷＴＲＵがＬＴＥに従った挙動または他の挙動を行うことができるプライマリレイヤを含む複数のレイヤを用いて、並列的に動作することができる。プライマリレイヤでは、ＷＴＲＵは、ＷＴＲＵがセカンダリレイヤセキュリティコンテキストを確立すること、および／またはＷＴＲＵとゲートウェイとの間のユーザプレーンデータのトランスポートを行うセカンダリレイヤのためのトンネルもしくはルーティングを確立することができるように、セカンダリレイヤ（または第２のレイヤ）における動作のために、構成されることができる。
【０００８】
セカンダリレイヤについては、ＷＴＲＵは、アップリンクデータがどのレイヤに適用可能であるかを決定することができる。アップリンクデータが、セカンダリレイヤに適用可能である場合、送信パラメータが選択され得る。送信パラメータが不十分である場合、ＷＴＲＵは、トラフィック、サービス、もしくはベアラのプライマリレイヤへの再アソシエーションを要求すること、または接続再確立を開始することができる。
【０００９】
ＷＴＲＵは、ネットワークの第１のレイヤの第１のセルにおいて動作させることができる。ＷＴＲＵは、ネットワークの第１のレイヤにおいて動作させられている間に、ネットワークの第２のレイヤにおいて動作するように構成されることができる。ＷＴＲＵは、ネットワークの第２のレイヤにおいて動作させることができる。
【００１０】
実施形態は、第１のレイヤを介して信号を受信するように構成され得るプロセッサを備えることができる無線送受信ユニット（ＷＴＲＵ）を企図している。信号は、セカンダリレイヤを使用するプレゼンス表示を求める要求を含むことができる。プロセッサは、プレゼンス表示のためのセカンダリレイヤセルを選択するように構成されることができる。プロセッサは、プレゼンスインジケータメッセージを、セカンダリレイヤを介して、セカンダリレイヤセルに送信するように構成されることができる。プロセッサは、プレゼンス表示応答を、セカンダリレイヤセルから受信するように構成されることができる。
【００１１】
実施形態は、無線通信ネットワークのノードを企図しており、無線通信ネットワークは、プライマリレイヤおよびセカンダリレイヤを含むことができる。ノードは、無線送受信ユニット（ＷＴＲＵ）のためのダウンリンク（ＤＬ）データを含む信号を受信するように構成され得るプロセッサを備えることができる。プロセッサは、ＷＴＲＵがトラッキングエリアまたはロケーションエリア内に配置されていると決定するように構成されることができる。プロセッサは、ロケーション更新要求を、トラッキングエリアまたはロケーションエリアに対応するネットワークの１または複数の進化型ノードＢ（ｅＮＢ）に送信するように構成されることができる。ロケーション更新要求は、ネットワークのセカンダリレイヤを識別することができる。プロセッサは、ロケーション更新要求に応答して、経路更新要求を、ＷＴＲＵからネットワークのセカンダリレイヤを介して受信するように構成されることができる。プロセッサは、経路更新応答を、ネットワークのセカンダリレイヤを介してＷＴＲＵに送信するように構成されることができる。
【００１２】
実施形態は、無線通信ネットワークと通信する無線送受信ユニット（ＷＴＲＵ）を企図している。ＷＴＲＵは、ネットワークの第１のレイヤの第１のセルとのアクティブなＳ１接続を確立するように構成され得る、プロセッサを備えることができる。アクティブなＳ１接続は、ネットワークの第１のレイヤの第１のセルとのアクティブな無線リソース制御（ＲＲＣ）接続なしに確立されることができる。Ｓ１接続は、ネットワークによって管理可能であってよい。プロセッサは、第１の状態においてＷＴＲＵを操作するように構成され得る。第１の状態は、ＲＲＣアイドル状態およびＲＲＣ接続状態とは異なり得るＲＲＣ非アクティブ状態を含むことができる。プロセッサは、ネットワークの第１のレイヤにおいてＷＴＲＵを操作するように構成されることができる。プロセッサは、ネットワークのセカンダリレイヤにおいてＷＴＲＵを操作するように構成されることができる。
【図面の簡単な説明】
【００１３】
例示的な実施形態の以下の詳細な説明は、添付図面を参照して提供される。説明のため、図面は例示的な実施形態を示している。企図される発明は、説明または図説された特定の要素および／または手段に限定されない。対照的に、特定の言及がなされない場合は、発明は、必要および／または必須なものとして企図されていない。加えて、説明される実施形態は、全体的または部分的に、任意の組み合わせで利用されることができる。
【図１Ａ】１または複数の開示される実施形態が実施され得る例示的な通信システムのシステム図である。
【図１Ｂ】図１Ａに示された通信システム内で使用され得る例示的な無線送受信ユニット（ＷＴＲＵ）のシステム図である。
【図１Ｃ】図１Ａに示された通信システム内で使用され得る例示的な無線アクセスネットワークおよび例示的なコアネットワークのシステム図である。
【図１Ｄ】図１Ａに示された通信システム内で使用され得る別の例示的な無線アクセスネットワークおよび別の例示的なコアネットワークのシステム図である。
【図１Ｅ】図１Ａに示された通信システム内で使用され得る別の例示的な無線アクセスネットワークおよび別の例示的なコアネットワークのシステム図である。
【図２Ａ】実施形態に係る、以下の状態、すなわち、ＥＭＭ登録、ＥＣＭ接続および／またはＲＲＣ接続における、例示的なシステム構成要素の図である。
【図２Ｂ】実施形態に係る、以下の状態、すなわち、ＥＭＭ登録、ＥＣＭアイドルおよび／またはＲＲＣアイドルにおける、例示的なシステム構成要素の図である。
【図２Ｃ】実施形態に係る、以下の状態、すなわち、ＥＭＭ登録、ＥＣＭ非アクティブ、および／またはＲＲＣ非アクティブにおける、例示的なシステム構成要素の図である。
【図３】実施形態に係る、プレゼンス通知のための例示的な呼フローを示す図である。
【図４】実施形態に係る、セカンダリレイヤ上で送信され得る例示的なメッセージフローを示す図である。
【図５】実施形態に係る、プライマリレイヤ上で送信され得る階層化された接続性のための例示的なメッセージフローを示す図である。
【図６】実施形態に係る、例示的な２層セキュリティモデルを示す図である。
【図７】実施形態に係る、エンドツーエンドＷＴＲＵ−ＳＧＷセキュリティを提供するために使用され得る例示的なネットワーク構成を示す図である。
【図８】実施形態に係る、エンドツーエンドＷＴＲＵ−ＳＧＷセキュリティを提供するために使用され得る例示的なネットワーク構成を示す図である。
【図９】実施形態に係る、エンドツーエンドＷＴＲＵ−ＳＧＷセキュリティを提供することができる例示的なメッセージフローを示す図である。
【図１０】実施形態に係る、マルチレイヤモードにおけるベアラ確立のための例示的なメッセージフローを示す図である。
【図１１】実施形態に係る、例示的なトンネルエンドポイント定義を示す図である。
【発明を実施するための形態】
【００１４】
例示的な実施形態の詳細な説明が、様々な図を参照して今から説明される。この説明は、可能な実施の詳細な例を提供するが、詳細は例であって、本出願の範囲を決して限定するものではないことが意図されていることに留意されたい。本明細書で使用される場合、冠詞「ａ」または「ａｎ」は、さらなる修飾または特徴付けがなされない限り、例えば、「１または複数」または「少なくとも１つ」を意味すると理解されることができる。また、本明細書で使用される場合、ユーザ機器（ＵＥ）という語句は、無線送受信ユニット（ＷＴＲＵ）という語句と同じものを意味すると理解されることができる。
【００１５】
図１Ａは、１または複数の開示される実施形態が実施されうる例示的な通信システム１００の図である。通信システム１００は、音声、データ、ビデオ、メッセージング、放送などのコンテンツを複数の無線ユーザに提供する多元接続システムであってよい。通信システム１００は、複数の無線ユーザが、無線帯域幅を含むシステムリソースの共用を通して、そのようなコンテンツにアクセスすることを可能にする。例えば、通信システム１００は、ＣＤＭＡ、ＴＤＭＡ、ＦＤＭＡ、直交ＦＤＭＡ（ＯＦＤＭＡ）およびシングルキャリアＦＤＭＡ（ＳＣ−ＦＤＭＡ）など、１または複数のチャネルアクセス方法を利用することができる。
【００１６】
図１Ａに示されるように、通信システム１００は、無線送受信ユニット（ＷＴＲＵ）１０２ａ、１０２ｂ、１０２ｃおよび／または１０２ｄ（一般的に、あるいは集合的にＷＴＲＵ１０２と呼ばれうる）、無線アクセスネットワーク（ＲＡＮ）１０３／１０４／１０５、コアネットワーク１０６／１０７／１０９、公衆交換電話網（ＰＳＴＮ）１０８、インターネット１１０および他のネットワーク１１２を含むことができるが、開示される実施形態は、任意の数のＷＴＲＵ、基地局、ネットワーク、および／またはネットワーク要素を企図していることが理解されよう。ＷＴＲＵ１０２ａ、１０２ｂ、１０２ｃ、１０２ｄの各々は、無線環境において動作および／または通信するように構成された任意のタイプのデバイスとすることができる。例えば、ＷＴＲＵ１０２ａ、１０２ｂ、１０２ｃ、１０２ｄは、無線信号を送信および／または受信するように構成されることができ、ユーザ機器（ＵＥ）、移動局、固定若しくは移動加入者ユニット、ページャ、セルラー電話、携帯情報端末（ＰＤＡ）、スマートフォン、ラップトップ、ネットブック、パーソナルコンピュータ、無線センサおよび家電製品などを含むことができる。
【００１７】
通信システム１００は、基地局１１４ａおよび基地局１１４ｂも含むことができる。基地局１１４ａ、１１４ｂの各々は、コアネットワーク１０６／１０７／１０９、インターネット１１０および／またはネットワーク１１２などの１または複数の通信ネットワークへのアクセスを円滑化するために、ＷＴＲＵ１０２ａ、１０２ｂ、１０２ｃ、１０２ｄの少なくとも１つとワイヤレスでインターフェースを取るように構成された、任意のタイプのデバイスとすることができる。例えば、基地局１１４ａ、１１４ｂは、基地トランシーバ局（ＢＴＳ）、ノードＢ、ｅノードＢ、ホームノードＢ、ホームｅノードＢ、サイトコントローラ、アクセスポイント（ＡＰ）および無線ルータなどとすることができる。基地局１１４ａ、１１４ｂは各々、単一の要素として示されているが、基地局１１４ａ、１１４ｂは、任意の数の相互接続された基地局および／またはネットワーク要素を含むことができることが理解されよう。
【００１８】
基地局１１４ａは、ＲＡＮ１０３／１０４／１０５の部分とすることができ、ＲＡＮ１０３／１０４／１０５は、他の基地局、および／または基地局コントローラ（ＢＳＣ）、無線ネットワークコントローラ（ＲＮＣ）、中継ノードなどのネットワーク要素（図示されず）も含むことができる。基地局１１４ａおよび／または基地局１１４ｂは、セル（図示されず）と呼ばれうる特定の地理的領域内で、無線信号を送信および／または受信するように構成されうる。セルは、さらにセルセクタに分割することができる。例えば、基地局１１４ａに関連付けられたセルは、３つのセクタに分割することができる。従って、一実施形態では、基地局１１４ａは、送受信機を３つ、すなわち、セルのセクタ毎に１つずつ含むことができる。別の実施形態では、基地局１１４ａは、ＭＩＭＯ技術を利用することができ、従って、セルのセクタ毎に複数の送受信機を利用することができる。
【００１９】
基地局１１４ａ、１１４ｂは、エアインターフェース１１５／１１６／１１７を介して、ＷＴＲＵ１０２ａ、１０２ｂ、１０２ｃ、１０２ｄの１または複数と通信することができ、エアインターフェース１１５／１１６／１１７は、任意の適切な無線通信リンク（例えば、無線周波（ＲＦ）、マイクロ波、赤外線（ＩＲ）、紫外線（ＵＶ）、可視光など）とすることができる。エアインターフェース１１５／１１６／１１７は、任意の適切な無線アクセス技術（ＲＡＴ）を使用して確立することができる。
【００２０】
より具体的には、上述したように、通信システム１００は、多元接続システムとすることができ、ＣＤＭＡ、ＴＤＭＡ、ＦＤＭＡ、ＯＦＤＭＡおよびＳＣ−ＦＤＭＡなどの、１または複数のチャネルアクセス方式を利用できる。例えば、ＲＡＮ１０３／１０４／１０５内の基地局１１４ａ並びにＷＴＲＵ１０２ａ、１０２ｂ、１０２ｃは、広帯域ＣＤＭＡ（ＷＣＤＭＡ（登録商標））を使用してエアインターフェース１１５／１１６／１１７を確立しうるユニバーサル移動体通信システム（ＵＭＴＳ）地上無線アクセス（ＵＴＲＡ）などの無線技術を実施することができる。ＷＣＤＭＡは、高速パケットアクセス（ＨＳＰＡ）および／または進化型ＨＳＰＡ（ＨＳＰＡ＋）などの通信プロトコルを含むことができる。ＨＳＰＡは、高速ダウンリンクパケットアクセス（ＨＳＤＰＡ）および／または高速アップリンクパケットアクセス（ＨＳＵＰＡ）を含むことができる。
【００２１】
別の実施形態では、基地局１１４ａ、並びにＷＴＲＵ１０２ａ、１０２ｂ、１０２ｃは、ＬＴＥ（Long Term Evolution）および／またはＬＴＥアドバンスト（ＬＴＥ−Ａ）を使用してエアインターフェース１１５／１１６／１１７を確立しうる進化型ＵＭＴＳ地上無線アクセス（Ｅ−ＵＴＲＡ）などの無線技術を実施することができる。
【００２２】
他の実施形態では、基地局１１４ａ、並びにＷＴＲＵ１０２ａ、１０２ｂ、１０２ｃは、ＩＥＥＥ８０２．１６（すなわち、ＷｉＭＡＸ）、ＣＤＭＡ２０００、ＣＤＭＡ２０００  １Ｘ、ＣＤＭＡ２０００  ＥＶ−ＤＯ、暫定標準２０００（ＩＳ−２０００）、暫定標準９５（ＩＳ−９５）、暫定標準８５６（ＩＳ−８５６）、移動体通信用グローバルシステム（ＧＳＭ（登録商標））、ＧＳＭ進化型高速データレート（ＥＤＧＥ）、およびＧＳＭ  ＥＤＧＥ（ＧＥＲＡＮ）などの無線技術を実施することができる。
【００２３】
図１Ａの基地局１１４ｂは、例えば、無線ルータ、ホームノードＢ、ホームｅノードＢまたはアクセスポイントとすることができ、職場、家庭、乗物およびキャンパスなどの局所的エリアにおける無線接続性を円滑化するために、任意の適切なＲＡＴを利用することができる。一実施形態では、基地局１１４ｂおよびＷＴＲＵ１０２ｃ、１０２ｄは、ＩＥＥＥ８０２．１１などの無線技術を実施して、無線ローカルエリアネットワーク（ＷＬＡＮ）を確立することができる。別の実施形態では、基地局１１４ｂおよびＷＴＲＵ１０２ｃ、１０２ｄは、ＩＥＥＥ８０２．１５などの無線技術を実施して、無線パーソナルエリアネットワーク（ＷＰＡＮ）を確立することができる。また別の実施形態では、基地局１１４ｂおよびＷＴＲＵ１０２ｃ、１０２ｄは、セルラベースのＲＡＴ（例えば、ＷＣＤＭＡ、ＣＤＭＡ２０００、ＧＳＭ、ＬＴＥ、ＬＴＥ−Ａなど）を利用して、ピコセルまたはフェムトセルを確立することができる。図１Ａに示されるように、基地局１１４ｂは、インターネット１１０への直接的な接続を有することができる。従って、基地局１１４ｂは、コアネットワーク１０６／１０７／１０９を介して、インターネット１１０にアクセスする必要がないことがある。
【００２４】
ＲＡＮ１０３／１０４／１０５は、コアネットワーク１０６／１０７／１０９と通信することができ、コアネットワーク１０６／１０７／１０９は、音声、データ、アプリケーションおよび／またはＶｏＩＰ（Voice over IP）サービスをＷＴＲＵ１０２ａ、１０２ｂ、１０２ｃ、１０２ｄの１または複数に提供するように構成された、任意のタイプのネットワークとすることができる。例えば、コアネットワーク１０６／１０７／１０９は、呼制御、課金サービス、モバイル位置情報サービス、プリペイド通話、インターネット接続性、ビデオ配信などを提供することができ、および／またはユーザ認証など、高レベルのセキュリティ機能を実行することができる。図１Ａには示されていないが、ＲＡＮ１０３／１０４／１０５および／またはコアネットワーク１０６／１０７／１０９は、ＲＡＮ１０３／１０４／１０５と同じＲＡＴまたは異なるＲＡＴを利用する他のＲＡＮと直接的または間接的に通信できることが理解されよう。例えば、Ｅ−ＵＴＲＡ無線技術を利用することができるＲＡＮ１０３／１０４／１０５に接続されるのに加えて、コアネットワーク１０６／１０７／１０９は、ＧＳＭ無線技術を利用する別のＲＡＮ（図示されず）とも通信することができる。
【００２５】
コアネットワーク１０６／１０７／１０９は、ＰＳＴＮ１０８、インターネット１１０および／または他のネットワーク１１２にアクセスするための、ＷＴＲＵ１０２ａ、１０２ｂ、１０２ｃ、１０２ｄのためのゲートウェイとしてもサービスすることができる。ＰＳＴＮ１０８は、ＰＯＴＳ（plain old telephone service）を提供する回線交換電話網を含むことができる。インターネット１１０は、ＴＣＰ／ＩＰインターネットプロトコルスイート内のＴＣＰ、ＵＤＰおよびＩＰなど、共通の通信プロトコルを使用する、相互接続されたコンピュータネットワークとデバイスとからなるグローバルシステムを含みうる。ネットワーク１１２は、他のサービスプロバイダによって所有および／または運営される有線または無線通信ネットワークを含むことができる。例えば、ネットワーク１１２は、ＲＡＮ１０３／１０４／１０５と同じＲＡＴまたは異なるＲＡＴを利用することができる１または複数のＲＡＮに接続された、別のコアネットワークを含むことができる。
【００２６】
通信システム１００内のＷＴＲＵ１０２ａ、１０２ｂ、１０２ｃ、１０２ｄのいくつかまたは全ては、マルチモード機能を含むことができ、すなわち、ＷＴＲＵ１０２ａ、１０２ｂ、１０２ｃ、１０２ｄは、異なる無線リンクを介して異なる無線ネットワークと通信するための複数の送受信機を含むことができる。例えば、図１Ａに示されたＷＴＲＵ１０２ｃは、セルラベースの無線技術を利用可能な基地局１１４ａと通信するように、またＩＥＥＥ８０２無線技術を利用可能な基地局１１４ｂと通信するように構成されうる。
【００２７】
図１Ｂは、例示的なＷＴＲＵ１０２のシステム図である。図１Ｂに示されるように、ＷＴＲＵ１０２は、プロセッサ１１８、送受信機１２０、送受信要素１２２、スピーカ／マイクロフォン１２４、キーパッド１２６、ディスプレイ／タッチパッド１２８、非リムーバブルメモリ１３０、リムーバブルメモリ１３２、電源１３４、ＧＰＳチップセット１３６および他の周辺機器１３８を含むことができる。ＷＴＲＵ１０２は、一実施形態との整合性を保ちながら、上記の要素の任意のサブコンビネーションを含むことができることが理解されよう。また、実施形態は、基地局１１４ａ、１１４ｂ、および／または、限定される訳ではないが、基地局（ＢＴＳ）、Ｎｏｄｅ−Ｂ、サイトコントローラ、アクセスポイント（ＡＰ）、ホームノードＢ、発展型ホームノードＢ（ｅＮｏｄｅＢ）、ホームｅｖｏｌｖｅｄノードＢ（ＨｅＮＢ）、ホームｅｖｏｌｖｅｄノードＢゲートウェイ、プロキシノード等の、基地局１１４ａ、１１４ｂが表し得るノードが、図１Ｂに図示され本明細書で説明される要素の一部または全てを含み得ることを企図している。
【００２８】
プロセッサ１１８は、汎用プロセッサ、専用プロセッサ、従来型プロセッサ、デジタル信号プロセッサ（ＤＳＰ）、複数のマイクロプロセッサ、ＤＳＰコアと連携する１または複数のマイクロプロセッサ、コントローラ、マイクロコントローラ、ＡＳＩＣ、ＦＰＧＡ回路、他の任意のタイプの集積回路（ＩＣ）および状態機械などとすることができる。プロセッサ１１８は、信号符号化、データ処理、電力制御、入力／出力処理、および／またはＷＴＲＵ１０２が無線環境で動作することを可能にする他の任意の機能を実行することができる。プロセッサ１１８は、送受信機１２０に結合することができ、送受信機１２０は、送受信要素１２２に結合することができる。図１Ｂは、プロセッサ１１８と送受信機１２０を別々のコンポーネントとして示しているが、プロセッサ１１８と送受信機１２０は、電子パッケージまたはチップ内に一緒に統合できることが理解できよう。
【００２９】
送受信要素１２２は、エアインターフェース１１５／１１６／１１７を介して、基地局（例えば基地局１１４ａ）に信号を送信し、または基地局から信号を受信するように構成されることができる。例えば、一実施形態では、送受信要素１２２は、ＲＦ信号を送信および／または受信するように構成されたアンテナとすることができる。別の実施形態では、送受信要素１２２は、例えば、ＩＲ、ＵＶ、または可視光信号を送信および／または受信するように構成された放射器／検出器とすることができる。また別の実施形態では、送受信要素１２２は、ＲＦ信号と光信号の両方を送信および受信するように構成されることができる。送受信要素１２２は、無線信号の任意の組み合わせを送信および／または受信するように構成されうることが理解されよう。
【００３０】
また、図１Ｂでは送受信要素１２２が単一の要素として示されているが、ＷＴＲＵ１０２は、任意の数の送受信要素１２２を含むことができる。より具体的には、ＷＴＲＵ１０２は、ＭＩＭＯ技術を利用することができる。従って、一実施形態では、ＷＴＲＵ１０２は、エアインターフェース１１５／１１６／１１７を介して無線信号を送信および受信するための２つ以上の送受信要素１２２（例えば複数のアンテナ）を含むことができる。
【００３１】
送受信機１２０は、送受信要素１２２によって送信される信号を変調し、送受信要素１２２によって受信された信号を復調するように構成されうる。上述したように、ＷＴＲＵ１０２はマルチモード機能を有することができる。従って、送受信機１２０は、ＷＴＲＵ１０２が、例えばＵＴＲＡおよびＩＥＥＥ８０２．１１などの複数のＲＡＴを介して通信することを可能にするための、複数の送受信機を含むことができる。
【００３２】
ＷＴＲＵ１０２のプロセッサ１１８は、スピーカ／マイクロフォン１２４、キーパッド１２６および／またはディスプレイ／タッチパッド１２８（例えば、液晶表示（ＬＣＤ）ディスプレイユニット若しくは有機発光ダイオード（ＯＬＥＤ）ディスプレイユニット）に結合され、それらからユーザ入力データを受信することができる。プロセッサ１１８は、スピーカ／マイクロフォン１２４、キーパッド１２６および／またはディスプレイ／タッチパッド１２８にユーザデータを出力することもできる。また、プロセッサ１１８は、非リムーバブルメモリ１３０および／またはリムーバブルメモリ１３２など、任意のタイプの適切なメモリから情報を入手することができ、それらにデータを記憶することができる。非リムーバブルメモリ１３０は、ＲＡＭ、ＲＯＭ、ハードディスクまたは他の任意のタイプのメモリ記憶デバイスを含むことができる。リムーバブルメモリ１３２は、加入者識別モジュール（ＳＩＭ）カード、メモリスティックおよびセキュアデジタル（ＳＤ）メモリカードなどを含むことができる。他の実施形態では、プロセッサ１１８は、ＷＴＲＵ１０２上に物理的に配置されていない、サーバまたはホームコンピュータ（図示されず）上などのメモリから情報を入手でき、それらにデータを記憶することができる。
【００３３】
プロセッサ１１８は、電源１３４から電力を受け取ることができ、ＷＴＲＵ１０２内の他のコンポーネントへの電力の分配および／または制御を行うように構成されうる。電源１３４は、ＷＴＲＵ１０２に給電するための任意の適切なデバイスとすることができる。例えば、電源１３４は、１または複数の乾電池（例えば、ニッケル−カドミウム（ＮｉＣｄ）、ニッケル−亜鉛（ＮｉＺｎ）、ニッケル水素（ＮｉＭＨ）、リチウムイオン（Ｌｉ−ｉｏｎ）など）、太陽電池、および燃料電池などを含むことができる。
【００３４】
プロセッサ１１８は、ＧＰＳチップセット１３６にも結合することができ、ＧＰＳチップセット１３６は、ＷＴＲＵ１０２の現在位置に関する位置情報（例えば経度および緯度）を提供するように構成されうる。ＧＰＳチップセット１３６からの情報に加えて、またはその代わりに、ＷＴＲＵ１０２は、基地局（例えば基地局１１４ａ、１１４ｂ）からエアインターフェース１１５／１１６／１１７を介して位置情報を受信することができ、および／または２つ以上の近くの基地局から受信した信号のタイミングに基づいて自らの位置を判定することができる。ＷＴＲＵ１０２は、一実施形態との整合性を保ちながら任意の適切な位置判定方法を用いて、位置情報を獲得できることが理解されよう。
【００３５】
プロセッサ１１８は、他の周辺機器１３８にさらに結合することができ、他の周辺機器１３８は、追加的な特徴、機能、および／または有線若しくは無線接続性を提供する、１または複数のソフトウェアモジュールおよび／またはハードウェアモジュールを含むことができる。例えば、周辺機器１３８は、加速度計、ｅコンパス、衛星送受信機、（写真またはビデオ用の）デジタルカメラ、ユニバーサルシリアルバス（ＵＳＢ）ポート、バイブレーションデバイス、テレビ送受信機、ハンズフリーヘッドセット、Ｂｌｕｅｔｏｏｔｈ（登録商標）モジュール、周波数変調（ＦＭ）ラジオユニット、デジタル音楽プレーヤ、メディアプレーヤ、ビデオゲームプレーヤモジュール、およびインターネットブラウザなどを含むことができる。
【００３６】
図１Ｃは、一実施形態に係る、ＲＡＮ１０３およびコアネットワーク１０６のシステム図である。上述したように、ＲＡＮ１０３は、ＵＴＲＡ無線技術を利用して、エアインターフェース１１５を介してＷＴＲＵ１０２ａ、１０２ｂ、１０２ｃと通信することができる。ＲＡＮ１０３は、コアネットワーク１０６ａとも通信することができる。図１Ｃに示されるように、ＲＡＮ１０３は、ノードＢ１４０ａ、１４０ｂ、１４０ｃを含むことができ、ノードＢ１４０ａ、１４０ｂ、１４０ｃは各々、エアインターフェース１１５を介してＷＴＲＵ１０２ａ、１０２ｂ、１０２ｃと通信するための１または複数の送受信機を含むことができる。ノードＢ１４０ａ、１４０ｂ、１４０ｃは各々、ＲＡＮ１０３内の特定のセル（図示されず）に関連付けることができる。ＲＡＮ１０３は、ＲＮＣ１４２ａ、１４２ｂも含むことができる。ＲＡＮ１０３は、一実施形態との整合性を保ちながら、任意の数のノードＢおよびＲＮＣを含むことができることが理解されよう。
【００３７】
図１Ｃに示されるように、ノードＢ１４０ａ、１４０ｂは、ＲＮＣ１４２ａと通信することができる。また、ノードＢ１４０ｃは、ＲＮＣ１４２ｂと通信することができる。ノードＢ１４０ａ、１４０ｂ、１４０ｃは、Ｉｕｂインターフェースを介して、それぞれのＲＮＣ１４２ａ、１４２ｂと通信することができる。ＲＮＣ１４２ａ、１４２ｂは、Ｉｕｒインターフェースを介して互いに通信することができる。ＲＮＣ１４２ａ、１４２ｂの各々は、それが接続されたそれぞれのノードＢ１４０ａ、１４０ｂ、１４０ｃを制御するように構成されることができる。また、ＲＮＣ１４２ａ、１４２ｂの各々は、アウターループ電力制御、負荷制御、アドミッション制御、パケットスケジューリング、ハンドオーバ制御、マクロダイバーシティ、セキュリティ機能およびデータ暗号化など、他の機能を実施またはサポートするように構成可能である。
【００３８】
図１Ｃに示されるコアネットワーク１０６は、メディアゲートウェイ（ＭＧＷ）１４４、モバイル交換センタ（ＭＳＣ）１４６、サービングＧＰＲＳサポートノード（ＳＧＳＮ）１４８および／またはゲートウェイＧＰＲＳサポートノード（ＧＧＳＮ）１５０を含むことができる。上記の要素の各々は、コアネットワーク１０６ａの部分として示されているが、これらの要素の任意の要素は、コアネットワーク運営体とは異なるエンティティによって所有および／または運営できることが理解されよう。
【００３９】
ＲＡＮ１０３内のＲＮＣ１４２ａは、ＩｕＣＳインターフェースを介して、コアネットワーク１０６内のＭＳＣ１４６に接続されうる。ＭＳＣ１４６はＭＧＷ１４４に接続されうる。ＭＳＣ１４６とＭＧＷ１４４は、ＰＳＴＮ１０８などの回線交換ネットワークへのアクセスをＷＴＲＵ１０２ａ、１０２ｂ、１０２ｃに提供して、ＷＴＲＵ１０２ａ、１０２ｂ、１０２ｃと従来の陸線通信デバイスの間の通信を円滑化することができる。
【００４０】
ＲＡＮ１０３内のＲＮＣ１４２ａは、ＩｕＰＳインターフェースを介して、コアネットワーク１０６内のＳＧＳＮ１４８にも接続されうる。ＳＧＳＮ１４８はＧＧＳＮ１５０に接続されうる。ＳＧＳＮ１４８とＧＧＳＮ１５０は、インターネット１１０などのパケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスの間の通信を円滑化することができる。
【００４１】
上述したように、コアネットワーク１０６は、ネットワーク１１２にも接続されることができ、ネットワーク１１２は、他のサービスプロバイダによって所有および／または運営される他の有線または無線ネットワークを含むことができる。
【００４２】
図１Ｄは、一実施形態に係る、ＲＡＮ１０４およびコアネットワーク１０７のシステム図である。上述したように、ＲＡＮ１０４は、エアインターフェース１１６を介してＷＴＲＵ１０２ａ、１０２ｂ、１０２ｃと通信するためにＥ−ＵＴＲＡ無線技術を利用することができる。ＲＡＮ１０４は、コアネットワーク１０７とも通信可能である。
【００４３】
ＲＡＮ１０４は、ｅノードＢ１６０ａ、１６０ｂ、１６０ｃを含むことができるが、ＲＡＮ１０４は、一実施形態との整合性を保ちながら、任意の数のｅノードＢを含みうることが理解されよう。ｅノードＢ１６０ａ、１６０ｂ、１６０ｃは各々、エアインターフェース１１６を介してＷＴＲＵ１０２ａ、１０２ｂ、１０２ｃと通信するための１または複数の送受信機を含むことができる。一実施形態では、ｅノードＢ１６０ａ、１６０ｂ、１６０ｃは、ＭＩＭＯ技術を実施可能である。従って、ｅノードＢ１６０ａは、例えば、複数のアンテナを使用し、ＷＴＲＵ１０２ａとの間で無線信号を送受信することができる。
【００４４】
ｅノードＢ１６０ａ、１６０ｂ、１６０ｃの各々は、特定のセル（図示されず）に関連付けられ、無線リソース管理判定、ハンドオーバ判定、並びにアップリンクおよび／またはダウンリンクにおけるユーザのスケジューリング等を処理するように構成されることができる。図１Ｄに示されるように、ｅノードＢ１６０ａ、１６０ｂ、１６０ｃは、Ｘ２インターフェースを介して互いに通信することができる。
【００４５】
図１Ｄに示されるコアネットワーク１０７は、モビリティ管理ゲートウェイ（ＭＭＥ）１６２、サービングゲートウェイ１６４およびパケットデータネットワーク（ＰＤＮ）ゲートウェイ１６６を含むことができる。上記要素の各々は、コアネットワーク１０７の部分として示されるが、これらの要素の任意の要素は、コアネットワーク運営体とは異なるエンティティによって所有および／または運営されうることが理解されよう。
【００４６】
ＭＭＥ１６２は、Ｓ１インターフェースを介して、ＲＡＮ１０４内のｅノードＢ１６０ａ、１６０ｂ、１６０ｃの各々に接続されることができ、制御ノードとしてサービスすることができる。例えば、ＭＭＥ１６２は、ＷＴＲＵ１０２ａ、１０２ｂ、１０２ｃのユーザの認証、ベアラ活動化／非活動化、ＷＴＲＵ１０２ａ、１０２ｂ、１０２ｃの初期接続中における特定のサービングゲートウェイの選択などを担うことができる。ＭＭＥ１６２は、ＲＡＮ１０４とＧＳＭまたはＷＣＤＭＡなどの他の無線技術を利用する他のＲＡＮ（図示されず）との間の交換のための制御プレーン機能も提供することができる。
【００４７】
サービングゲートウェイ１６４は、Ｓ１インターフェースを介して、ＲＡＮ１０４内のｅノードＢ１６０ａ、１６０ｂ、１６０ｃの各々に接続されうる。サービングゲートウェイ１６４は、一般に、ユーザデータパケットをＷＴＲＵ１０２ａ、１０２ｂ、１０２ｃに／からルーティングおよび転送することができる。サービングゲートウェイ１６４は、ｅノードＢ間ハンドオーバ中におけるユーザプレーンのアンカリング（anchoring）、ダウンリンクデータがＷＴＲＵ１０２ａ、１０２ｂ、１０２ｃに利用可能な場合に行うページングのトリガ、並びにＷＴＲＵ１０２ａ、１０２ｂ、１０２ｃのコンテキストの管理および記憶など、他の機能も実行することができる。
【００４８】
サービングゲートウェイ１６４は、ＰＤＮゲートウェイ１６６にも接続されることができ、ＰＤＮゲートウェイ１６６は、インターネット１１０などのパケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスの間の通信を円滑化することができる。
【００４９】
コアネットワーク１０７は、他のネットワークとの通信を円滑化することができる。例えば、コアネットワーク１０７は、ＰＳＴＮ１０８などの回線交換ネットワークへのアクセスをＷＴＲＵ１０２ａ、１０２ｂ、１０２ｃに提供して、ＷＴＲＵ１０２ａ、１０２ｂ、１０２ｃと従来の陸線通信デバイスの間の通信を円滑化することができる。例えば、コアネットワーク１０７は、コアネットワーク１０７とＰＳＴＮ１０８の間のインターフェースとしてサービスするＩＰゲートウェイ（例えばＩＰマルチメディアサブシステム（ＩＭＳ）サーバ）を含むことができ、またはＩＰゲートウェイと通信することができる。また、コアネットワーク１０７は、ネットワーク１１２へのアクセスをＷＴＲＵ１０２ａ、１０２ｂ、１０２ｃに提供することができ、ネットワーク１１２は、他のサービスプロバイダによって所有および／または運営される他の有線または無線ネットワークを含むことができる。
【００５０】
図１Ｅは、一実施形態に係る、ＲＡＮ１０５およびコアネットワーク１０９のシステム図である。ＲＡＮ１０５は、ＩＥＥＥ８０２．１６無線技術を利用して、エアインターフェース１１７を介してＷＴＲＵ１０２ａ、１０２ｂ、１０２ｃと通信する、アクセスサービスネットワーク（ＡＳＮ）とすることができる。以下でさらに説明するように、ＷＴＲＵ１０２ａ、１０２ｂ、１０２ｃの異なる機能エンティティと、ＲＡＮ１０５と、コアネットワーク１０９との間の通信リンクは、参照点として定義されることができる。
【００５１】
図１Ｅに示されるように、ＲＡＮ１０５は、基地局１８０ａ、１８０ｂ、１８０ｃと、ＡＳＮゲートウェイ１８２とを含むことができるが、ＲＡＮ１０５は、一実施形態との整合性を保ちながら、任意の数の基地局とＡＳＮゲートウェイとを含むことができることが理解されよう。基地局１８０ａ、１８０ｂ、１８０ｃは各々が、ＲＡＮ１０５内の特定のセル（図示されず）に関連付けられ、各々が、エアインターフェース１１７を介してＷＴＲＵ１０２ａ、１０２ｂ、１０２ｃと通信する１または複数の送受信機を含むことができる。一実施形態では、基地局１８０ａ、１８０ｂ、１８０ｃは、ＭＩＭＯ技術を実施することができる。従って、基地局１８０ａは、例えば、複数のアンテナを使用して、ＷＴＲＵ１０２ａに無線信号を送信し、ＷＴＲＵ１０２ａから無線信号を受信することができる。基地局１８０ａ、１８０ｂ、１８０ｃは、ハンドオフトリガリング、トンネル確立、無線リソース管理、トラフィック分類およびサービス品質（ＱｏＳ）ポリシ実施などの、モビリティ管理機能も提供することができる。ＡＳＮゲートウェイ１８２は、トラフィック集約ポイントとしてサービスすることができ、ページング、加入者プロファイルのキャッシング、コアネットワーク１０９へのルーティングなどを担うことができる。
【００５２】
ＷＴＲＵ１０２ａ、１０２ｂ、１０２ｃとＲＡＮ１０５の間のエアインターフェース１１７は、ＩＥＥＥ８０２．１６仕様を実施するＲ１参照点として定義されうる。また、ＷＴＲＵ１０２ａ、１０２ｂ、１０２ｃの各々は、コアネットワーク１０９との論理インターフェース（図示されず）を確立することができる。ＷＴＲＵ１０２ａ、１０２ｂ、１０２ｃとコアネットワーク１０９の間の論理インターフェースは、Ｒ２参照点として定義されることができ、Ｒ２参照点は、認証、認可、ＩＰホスト構成管理および／またはモビリティ管理のために使用されることができる。
【００５３】
基地局１８０ａ、１８０ｂ、１８０ｃの各々の間の通信リンクは、ＷＴＲＵハンドオーバおよび基地局間でのデータの転送を円滑化するためのプロトコルを含む、Ｒ８参照点として定義されうる。基地局１８０ａ、１８０ｂ、１８０ｃとＡＳＮゲートウェイ１８２の間の通信リンクは、Ｒ６参照点として定義されうる。Ｒ６参照点は、ＷＴＲＵ１０２ａ、１０２ｂ、１０２ｃの各々に関連するモビリティイベントに基づいたモビリティ管理を円滑化するためのプロトコルを含むことができる。
【００５４】
図１Ｅに示されるように、ＲＡＮ１０５はコアネットワーク１０９に接続されうる。ＲＡＮ１０５とコアネットワーク１０９の間の通信リンクは、例えばデータ転送およびモビリティ管理機能を円滑化するためのプロトコルを含む、Ｒ３参照点として定義されうる。コアネットワーク１０９は、モバイルＩＰホームエージェント（ＭＩＰ−ＨＡ）１８４と、認証認可課金（ＡＡＡ）サーバ１８６と、ゲートウェイ１８８とを含むことができる。上記要素の各々は、コアネットワーク１０９の部分として示されているが、これらの要素の任意の要素は、コアネットワーク運営体とは異なるエンティティによって所有および／または運営されうることが理解されよう。
【００５５】
ＭＩＰ−ＨＡは、ＩＰアドレス管理を担うことができ、ＷＴＲＵ１０２ａ、１０２ｂ、１０２ｃが、異なるＡＳＮの間で、および／または異なるコアネットワークの間でローミングを行うことを可能にする。ＭＩＰ−ＨＡ１８４は、インターネット１１０などのパケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスの間の通信を円滑化することができる。ＡＡＡサーバ１８６は、ユーザ認証およびユーザサービスのサポートを担うことができる。ゲートウェイ１８８は、他のネットワークとの網間接続を円滑化することができる。例えば、ゲートウェイ１８８は、ＰＳＴＮ１０８などの回線交換ネットワークへのアクセスをＷＴＲＵ１０２ａ、１０２ｂ、１０２ｃに提供して、ＷＴＲＵ１０２ａ、１０２ｂ、１０２ｃと従来の陸線通信デバイスの間の通信を円滑化することができる。また、ゲートウェイ１８８は、ネットワーク１１２へのアクセスをＷＴＲＵ１０２ａ、１０２ｂ、１０２ｃに提供することができ、ネットワーク１１２は、他のサービスプロバイダによって所有および／または運営される他の有線または無線ネットワークを含むことができる。
【００５６】
図１Ｅには示されていないが、ＲＡＮ１０５は他のＡＳＮに接続され、コアネットワーク１０９は他のコアネットワークに接続されうることが理解されよう。ＲＡＮ１０５と他のＡＳＮの間の通信リンクはＲ４参照点として定義されることができ、Ｒ４参照点は、ＲＡＮ１０５と他のＡＳＮの間で、ＷＴＲＵ１０２ａ、１０２ｂ、１０２ｃのモビリティを調整するためのプロトコルを含むことができる。コアネットワーク１０９と他のコアネットワークの間の通信リンクはＲ５参照点として定義され、Ｒ５参照点は、ホームコアネットワークと在圏コアネットワークの間の網間接続を円滑化するためのプロトコルを含むことができる。
【００５７】
ＬＴＥ無線通信システムでは、無線送受信ユニット（ＷＴＲＵ）は、ＷＴＲＵの構成の１または複数の態様を再構成することができるシグナリング、例えば、Ｌ３／ＲＲＣシグナリングを受信することができる。そのような態様は、１または複数のＬ１／ＰＨＹパラメータまたはＬ２パラメータ（例えば、ＭＡＣ、ＲＬＣ、および／もしくはＰＤＣＰ）の再構成を含むことができる。そのような再構成は、ハンドオーバ手順がトリガされることができるようなモビリティ制御要素を含むことができる。
【００５８】
ＷＴＲＵ状態は、ＥＰＳ接続管理（ＥＣＭ）接続状態およびアイドル状態と、無線リソース制御（ＲＲＣ）接続状態およびアイドル状態とを含むことができる。実施形態は、ＲＲＣアイドル状態およびＲＲＣ接続状態における非同期状態において、ユーザプレーン待ち時間が生じ得ることを認識している。
【００５９】
ｅノードＢ（ｅＮＢ）内キャリアアグリゲーションを使用してマルチセル動作をサポートし得るＬＴＥシステムでは、そのようなシグナリングは、１または複数のセカンダリセル（ＳＣｅｌｌ）の追加、変更および／または削除を含むことができる、複数のセル（例えば、プライマリセル（ＰＣｅｌｌ）および／または１もしくは複数のＳＣｅｌｌ）上におけるＷＴＲＵの動作と関連付けられたパラメータを再構成することができる。
【００６０】
再構成手順が成功した場合、ＷＴＲＵは、ＲＲＣメッセージ（例えば、ＲＲＣ接続再構成完了）を準備することができる。ＲＲＣメッセージは、再構成手順をトリガした再構成メッセージによってシグナリングされたような構成をＷＴＲＵが適用したことを示すことができる。ＷＴＲＵは、ＲＲＣメッセージを準備した場合、ＲＲＣメッセージを、ｅＮＢへの送信のために、シグナリング無線ベアラ（ＳＲＢ）にサブミットすることができる。
【００６１】
ＷＴＲＵは、ＲＲＣ接続再構成手順を実行することができない場合、再構成シグナリングの受信前に使用した構成を保つことができ、再確立原因を再構成失敗に設定して、ＲＲＣ接続再確立手順を開始することができる。
【００６２】
ＲＲＣメッセージの送信は、成功した場合は、ＷＴＲＵが、対応するｅＮＢに対する無線インターフェースを使用して、まだ通信することができることを示すことができる。ＷＴＲＵが、（例えば、スケジューリング要求のために）ランダムアクセス手順を実行する場合、ＷＴＲＵは、アップリンク送信タイミングの同期を取り、プロセスにおける送信電力を設定することができる。ＳＲＢに対する送信のためにデータが利用可能になった場合、ＷＴＲＵは、スケジューリング要求（ＳＲ）をトリガすることができる。ＳＲは、そのようなリソースが構成され、利用可能である場合は、専用ＰＵＣＣＨリソースを使用して（Ｄ−ＳＲ）、またはランダムアクセスチャネル（ＲＡＣＨ）を使用して（例えば、ＲＡ−ＳＲを使用して）、実行されることができる。
【００６３】
ＷＴＲＵは、デュアルコネクティビティ、例えば、ＷＴＲＵが異なるｅＮＢと関連付けられたセルのリソースにアクセスすることができる構成を用いて構成されることができる。ネットワークは、例えば、ＭｅＮＢにおいて終端する単一のＭＭＥ／Ｓ１−ｃ接続を使用して、接続性を制御することができる。
【００６４】
制御プレーンの観点からは、ＷＴＲＵは、第１のｅＮＢ（例えば、ＭｅＮＢ）とのＲＲＣ接続を確立していることができ、１または複数のセルが第２のｅＮＢ（例えば、ＳｅＮＢ）と関連付けられることができる構成をサポートすることができる。ＲＲＣ接続がＭｅＮＢにおいて終端すると仮定されることができる場合、完了メッセージが、ＭｅＮＢ内のＲＲＣエンティティによって受信されることができる。
【００６５】
ユーザプレーンアーキテクチャの観点からは、ネットワークは、ＭｅＮＢにおいて（例えば、１もしくは複数もしくは全てのＥＰＳベアラのための）Ｓ１−ｕを終端することができ、またはＳｅＮＢにおいて（例えば、１もしくは複数のＥＰＳベアラのための）Ｓ１−ｕを終端することができる。
【００６６】
ＳＲＢデータのＬ２トランスポートおよび／またはユーザプレーントラフィックの観点からは、所与の無線ベアラのためのデータは、単一のＬ２経路を使用して、またはどちらかのＬ２経路を使用して（例えば、ＤＬマルチフロー）、ネットワークからＷＴＲＵに送信されることができる。送信されるデータは、単一のＬ２経路を使用して、またはどちらかのＬ２経路を使用して（例えば、ＵＬマルチフロー）、ＷＴＲＵからネットワークに送信されることができる。マルチフローは、２つ以上のｅＮＢと関連付けられた異なるセルにそれが概念的にマッピングされることができるように、ベアラの構成によって実現されることができる。
【００６７】
トランスポートベアラ機能は、サービス品質（ＱｏＳ）関連態様の組み合わせとして、および／またはルーティング機能に関して、モデル化されることができる。ＱｏＳ関連態様は、（例えば、最大もしくは保証された）ビットレート、または最大許容待ち時間などに関して、パラメータ化されることができる。ベアラのためのルーティングは、（例えば、ＧＴＰ−ｕに基づいたまたはＩＰトンネルに基づいたトンネリング機能を使用する）物理または論理ポイントツーポイントトランスポート経路を使用して、達成されることができる。
【００６８】
プライマリＭＡＣエンティティおよびセカンダリＭＡＣエンティティは、異なるｅＮＢ（例えば、ＭｅＮＢおよびＳｅＮＢ）のセルに概念的に関連する別個のプロセスであることができる。プライマリＭＡＣエンティティおよびセカンダリＭＡＣエンティティは、第１のｅＮＢ（例えば、ＭｅＮＢ）および第２のｅＮＢ（例えば、ＳｅＮＢ）と概念的に関連付けられたＵｕ（Ｌ１／ＰＨＹ）を区別するＭＡＣエンティティであることができる。ＷＴＲＵは、ＭｅＮＢと関連付けられたプライマリＭＡＣエンティティと、ＳｅＮＢと関連付けられたセカンダリＭＡＣエンティティとを有することができる。
【００６９】
プライマリＭＡＣエンティティは、ＷＴＲＵがＲＲＣ接続を確立したＰＣｅｌｌを用いるように構成されるＭＡＣエンティティに対応することができる。セカンダリＭＡＣエンティティは、特別なセルを用いるように構成されることができ、その場合、セルは、アップリンクキャリアおよび追加のＰＵＣＣＨリソースを用いて構成されることができる。
【００７０】
待ち時間は、コンテンションベース（ＣＢ）の送信では短縮されることができる。例えば、ＣＢ送信は、アップリンク同期が取られたＷＴＲＵが、あらかじめスケジューリング要求を送信することなしに、アップリンクデータを送信することを可能にすることができる。ある実施形態では、ＣＢリソースの静的な割り当ては、回避されることができ、ＣＢリソースは、動的に割り当てられることができ、それは、アップリンク負荷に依存することができる。ＣＢ送信のためのアップリンクリソースブロックの動的な割り当ては、ダウンリンク物理制御チャネル（ＰＤＣＣＨ）を使用して、達成されることができる。ある実施形態では、ＣＢグラントは、アップリンクＣＢ送信のスケジューリングに影響を与えることなく、サブフレームベースで未使用リソースに割り当てられることができる。
【００７１】
コンテンションベースの無線ネットワーク一時識別子（ＣＢ−ＲＮＴＩ）は、ＰＤＣＣＨ上でＣＢアップリンクグラントを識別することができる。ある実施形態では、ＣＢアップリンクグラントは、アップリンクＣＢ送信のために使用されるフォーマットを有することができ、例えば、リソースブロック、変調および符号化方式、およびトランスポートフォーマットを指定することができる。他の実施形態では、ＷＴＲＵは、専用Ｃ−ＲＮＴＩに宛てられたグラントに加えて、ＣＢ−ＲＮＴＩに宛てられたＣＢアップリンクグラントを求めてリッスンすることができる。ある実施形態では、セル内の利用可能なＣＢ−ＲＮＴＩは、ＲＲＣ接続セットアップ中に、各ＷＴＲＵにブロードキャストされ、またはシグナリングされることができる。ある実施形態では、ＷＴＲＵは、復号のためにＣＢ−ＲＮＴＩまたはＣ−ＲＮＴＩを選択することができ、それが、下位互換性を提供することができる。
【００７２】
ある実施形態では、共用されるＣＢリソースを使用する場合の衝突の可能性は、ＷＴＲＵが、その無線ベアラのサブセットと関連付けられた送信のために、リソースを選択的に使用することを可能にすることによって、減少させることができる。
【００７３】
類似のシステムからのリソースは、集約されることができる（例えば、デュアルコネクティビティを使用するＲ１２  ＬＴＥ  ｅＮＢ内アグリゲーション）。異なるシステムからのリソースは（例えば、Ｒ１２  ＬＴＥ／ＷｉＦｉインターネットワーキング）は、集約されることができる。オペレータは、トラフィックを、マクロセルまたはｅＮＢから、ホットスポットオーバーレイネットワークを提供することができる別のセルまたはｅＮＢにオフロードすることができる。トラフィックは、断続的なウェブブラウジングから高精細ビデオサービスにまでわたることができる。そのようなアプリケーションのユーザは、オフローディング決定を可能にすることができる低速および／または予測可能なモビリティパターンを有することができる。
【００７４】
スマートフォンは、多数のアプリケーションをサポートすることができ、マクロセル内の輻輳に寄与することができる。アプリケーションは、断続的なバックグラウンドデータトラフィックを生成することができ、それは、ユーザ介入から直接的には発生しないことができる。断続的な小さいデータ転送は、制御プレーントラフィックに関して、オーバヘッド（例えば、ＲＲＣ接続を確立するための、および／もしくはＲＲＣ接続を維持するためにリソースのコミットメントを確立するためのＵｕ上のＬ３シグナリング、並びに／またはベアラを確立し、移動し、および／もしくは切断するためのＲＡＮとＣＮとの間のシグナリング）を生み出すことができる。
【００７５】
ユーザプレーン待ち時間は、複数のシナリオにおいて生じ得る。例えば、待ち時間は、ＲＲＣ  ＩＤＬＥ状態および非同期状態からの新しいデータセッションのためのＷＴＲＵの最初の送信中に生じ得る。待ち時間は、非同期状態における相対的に長い期間の非アクティビティの後には、ＲＲＣ  ＣＯＮＮＥＣＴＥＤ状態からの既存のデータセッションのための送信バースト中にも生じ得る。ＥＣＭ／ＲＲＣ−ＩＤＬＥからＥＣＭ／ＲＲＣ−ＣＯＮＮＥＣＴＥＤへの遷移において、ボトルネックは、しばしば、Ｓ１接続性および／またはセキュリティアクティブ化をセットアップするために使用されることができる手順であることができる。
【００７６】
同じシステム（例えば、ＬＴＥ）内におけるアグリゲーションが使用されることができる。無線システムによって使用されるＱｏＳアーキテクチャおよびモビリティ管理は、無線リソース管理および／またはモビリティ管理を含むことができ、例えば、ＱｏＳ保証を提供するための、ネットワークによる制御に依存することができる。例えば、ネットワークは、トラフィックのタイプの間の区別、および／または接続性がシステムにおいてどのように管理されるかの観点からオフロードの候補とすることができるトラフィックのＱｏＳ基準に関する区別を行わないことがある。モバイルデバイスの接続性のいくつかの態様、およびネットワークに対するそれに関連する影響は、トラフィックおよび／またはデバイスの１または複数のクラスについては緩和されることができる。
【００７７】
異なるシステムにわたるオフローディングおよび／またはアグリゲーションは、統合がどれだけ良好に実行されることができるか、および／または結果のシステムがどれだけ効率的になることができるかに応じて制限されることができる。異なる無線アクセス技術の間の対話がオフローディングを可能にし得る。複雑さが、コアネットワークにおいて、ＷＴＲＵにおいて、および／またはＲＡＮにおいて増加させられ得る。
【００７８】
接続管理の異なるレベルが、効率的なオフローディングおよび／またはリソースの効率的なアグリゲーションを可能にするために、システムにおいて提供されることができる。ＷｉＦｉオフロードホットスポットは、マクロセルよりも小さくなりうるカバレッジを有することができ、オーバーレイネットワークを提供することができる、互換性のある無線アクセス技術を使用するセルを用いて置き換えられることができる。セルに対するアクセス方法は、モバイルデバイスが、本明細書で開示される方法を使用して、セル、例えば、レガシセルにアクセスすることができるように、論理的に分離されることができる。待ち時間は、相対的に長い期間の非アクティビティの後などには、ユーザプレーン送信について短縮されることができる。
【００７９】
開示される発明は、相対的に管理されない接続性によって特徴付けられ得る。マクロシステムとの統合の難しさ、並びに／またはＷｉＦｉインターフェースについてのＷＴＲＵ挙動を観察および／もしくは制御する難しさは、減少させ、または排除され得る。
【００８０】
開示される発明は、３ＧＰＰ  ＬＴＥ技術および関連する仕様との関連において説明されるが、複数の無線レイヤにアクセスする、並びに／またはＷｉＦｉ、ＷＣＤＭＡ、ＨＳＰＡ、ＨＳＵＰＡ、および／もしくはＨＳＤＰＡに基づいた他の３ＧＰＰ技術など、複数の無線アクセス技術に接続する、他の無線技術にも等しく適用可能とすることができる。
【００８１】
階層化された接続性を用いるように構成されたＷＴＲＵは、それが適用可能な状態（例えば、ＬＴＥ対応ＷＴＲＵについてはＩＤＬＥ／ＣＯＮＮＥＣＴＥＤ）に従ってレガシＲＲＣ手順を実行することができるように、第１のレイヤ（例えば、プライマリレイヤ）においては第１の（例えば、レガシ）挙動に従って動作することができ、それが少なくとも第２のレイヤにおける動作を可能にすることができるように、本明細書で説明される手順のいずれかを実行することもできる。レイヤは、同じサービングセルまたは異なるサービングセルの機能および／またはリソースの論理的なグループ化とすることができ、それは、異なるｅＮＢと関連付けられることができる。
【００８２】
ある実施形態では、プライマリレイヤは、レガシＬＴＥ挙動、第２のレイヤの構成を可能にする１または複数の追加の手順を含むことができる挙動に類似すること、および／またはそれを含むことができる。
【００８３】
ある実施形態では、ＷＴＲＵは、１もしくは複数の特定のベアラの別個の構成（例えば、ＥＰＳ、もしくはＤＲＢ構成）、別個のセキュリティコンテキスト、および／または別個の物理レイヤ構成のうちの１または複数を、メモリ内に保つことができる。ＷＴＲＵは、おそらくは、ＩＤＬＥまたはＣＯＮＮＥＣＴＥＤであるＲＲＣ状態とは独立して、それらの構成態様の１または複数を使用して、送信を実行することができる。物理レイヤ構成は、特にＣＯＮＮＥＣＴＥＤモードにある同じサービングセル（のセット）、および／もしくはＩＤＬＥモードにキャンピングするために使用されるセル、またはＣＯＮＮＥＣＴＥＤもしくはＩＤＬＥモードにある別個のサービングセル（のセット）を使用することができる。
【００８４】
ある実施形態では、セルの別個のセットは、おそらく、例えば、シナリオの中でもとりわけ、別個のセカンダリＭＡＣインスタンスが構成されることができる場合は、セカンダリレイヤのために構成されることができる。セルの別個のセットのうちの１または複数のセルは、セカンダリＭＡＣインスタンスのために構成されることができる。
【００８５】
ある実施形態では、プライマリレイヤは、レガシタイプのアクセス、または（例えば、おそらくは、セカンダリレイヤのシグナリングおよび／もしくは構成のために対応する手順におけるサポートによって増強される）単一の接続性動作に対応することができるアクセスのうちの１または複数に対応することができる、１もしくは複数の機能および／または１もしくは複数の挙動と見なされ得る。セカンダリレイヤは、ネットワークに対するさらなる接続性を可能にするために使用され得る、他の追加のリソースまたは技法（例えば、シグナリング、構成態様、および／または追加の手順）を含むことができる。
【００８６】
ある実施形態では、プライマリレイヤ（例えば、第１のレイヤ）は、ＬＴＥ  ＲＡＴなどの第１の無線アクセス技術と関連付けられた方法、ロジックおよび／または挙動に従ったＷＴＲＵの動作に対応し得る。セカンダリレイヤは、本明細書で説明される方法などによる方法、ロジックおよび／または挙動に従ったＷＴＲＵの動作に対応し得る。セカンダリベアラは、セカンダリレイヤのために確立されたユーザプレーン接続に対応し得る。セカンダリベアラは、ＷＴＲＵとゲートウェイノードなどのネットワークノードとの間のデータのルーティングを可能にし得る。セカンダリ接続またはセカンダリ接続性は、ＷＴＲＵがデータをセカンダリレイヤに送信すること、および／またはセカンダリレイヤから受信することを可能にし得る接続性に対応し得る。セカンダリＲＲＣ接続は、セカンダリレイヤに対するアクセスの制御プレーンに固有となり得る方法および手順に対応し得る。
【００８７】
図２Ａは、以下の状態、すなわち、ＥＭＭ登録、ＥＣＭ接続およびＲＲＣ接続における、例示的なシステム構成要素の図である。これは状態Ｃとして知られている。ＥＭＭ登録状態では、ＷＴＲＵはＬＴＥネットワークにアタッチされ、ＥＰＳベアラが確立される。ＥＣＭ接続状態では、物理的リソースが、例えば、データ無線ベアラ（ＤＲＢ）およびシグナリング無線ベアラ（ＳＲＢ）などの無線リソース、並びにＳ１ベアラおよびＳ１シグナリング接続などのネットワークリソースが、ＥＣＭ接続のために割り当てられる。ＲＲＣ接続状態では、ＲＲＣ接続が確立される。
【００８８】
図２Ｂは、以下の状態、すなわち、ＥＭＭ登録、ＥＣＭアイドルおよびＲＲＣアイドルにおける、例示的なシステム構成要素の図である。これは状態Ｄとして知られている。ＥＭＭ登録状態では、ＷＴＲＵはＬＴＥネットワークにアタッチされ、ＥＰＳベアラが確立される。ＥＣＭアイドル状態では、ＥＣＭ接続は存在せず、割り当てられる物理的リソースは存在しない。ＲＲＣアイドル状態では、ＲＲＣ接続は存在しない。
【００８９】
図２Ｃは、以下の状態、すなわち、ＥＭＭ登録、ＥＣＭ非アクティブおよびＲＲＣ非アクティブにおける、例示的なシステム構成要素の図である。ＥＭＭ登録状態では、ＷＴＲＵはＬＴＥネットワークにアタッチされ得、ＥＰＳベアラが確立され得る。ＥＣＭ非アクティブおよびＲＲＣ非アクティブ状態は、待ち時間を短縮するために使用され得る例示的な状態を示している。例えば、ＥＣＭ非アクティブ状態は、例えば、セカンダリレイヤにわたる、ＷＴＲＵとＲＡＮ（例えば、ｅＮＢ）との間の無線リソースを能動的に管理して、または能動的に管理せずに、ＥＣＭ接続が維持される状態に対応することができる。図２Ｃにおける例に示されるように、ＥＣＭ非アクティブ／ＲＲＣ非アクティブ状態における動作の例では、Ｓ１ベアラおよびＳ１シグナリング接続などの、ＥＣＭ接続およびネットワークリソースは、データ無線ベアラ（ＤＲＢ）および／またはシグナリング無線ベアラ（ＳＲＢ）などの無線リソースが、アクティブであることができる間も、またはアクティブでないことがある間も、能動的に維持されることができる。ＲＲＣ接続も、ＲＲＣ非アクティブ状態では、非アクティブであること／能動的に更新されないことができる。
【００９０】
例えば、ＲＲＣ非アクティブ／ＥＣＭ非アクティブ状態は、セカンダリレイヤにおけるＷＴＲＵによる何らかの形態の自律的モビリティを可能にするために、セカンダリレイヤにおいて使用されることができる。例えば、ＷＴＲＵがアクティブな接続（例えば、ＥＣＭ接続）を維持していたかのように、コアネットワークリソースを維持することによって、ＷＴＲＵは、ＲＡＮリソース（例えば、ｅＮＢ）にアクセスするときに、以前にＥＣＭ接続が確立され、維持されていたことを示す表示をネットワークに送信することができ、それは、アクセスＲＡＮノードを介して、ＷＴＲＵが事前構成されたＥＣＭリソースを使用することを可能にするために、ネットワークが再構成を実行することを可能にする。例えば、ｅＮＢに到達すると、ＷＴＲＵは、完全なＲＲＣ接続を確立することなく（例えば、ＲＲＣ非アクティブを維持している間に）、セカンダリレイヤについてのＷＴＲＵのＥＣＭ接続と関連付けられたリソースを識別するデータおよび／またはシグナリングをｅＮＢに送信することができ、ｅＮＢは、それを使用して、コアネットワーク内において送信をルーティングすることができる。したがって、例では、ＲＲＣ非アクティブ状態は、ネットワークにアクセスするためにＷＴＲＵによって使用される無線リソースを能動的に管理するＲＡＮノードを用いずに、ＷＴＲＵのための専用リソース（例えば、ＥＣＭ接続、Ｓ１シグナリング接続、Ｓ１ベアラ、ＥＰＳベアラなど）を維持する、コアネットワークによって特徴付けられることができる。ＷＴＲＵは、プライマリレイヤが、ＲＲＣ接続状態またはＲＲＣアイドル状態にあることができる間、セカンダリレイヤにおいてＲＲＣ非アクティブ状態を利用することができる。
【００９１】
そのような技法は、無線リソースの能動的な管理なしに待ち時間を短縮するために、ＷＴＲＵが、セカンダリレイヤにおいて制限されたネットワーク接続を維持することを可能にし得る。例では、階層化された接続性を用いて動作するＷＴＲＵは、プライマリレイヤにおいてＲＲＣ  ＩＤＬＥモードにあることができ、それが第２のレイヤを用いるように構成されている間、第１のセル上にキャンピングすることができ、例えば、特定のサービスのために、セル内のリソースを使用することができる。特定のサービスの例は、アプリケーションのバックグラウンドダウンロード、アイドルアプリケーションによって生成されたバックグラウンドトラフィック、または非アクティビティの期間の後に続くバーストにおける最初のパケットの送信などの短い待ち時間を必要とするサービスを含む、ベストエフォートサービスを含むが、これらに限定されるわけではない。
【００９２】
リソースが使用されることができるセルは、プライマリレイヤがその上にキャンピングするのと同じセル（第１のセル）とすることができる。これは、セルベースの階層化と呼ばれることがある。エアインターフェースの観点からは、階層化は、ＷＴＲＵが、ＱｏＳ管理されたアクセスに関連する（例えば、ＱｏＳ管理されたサービスのための）ダウンリンクデータ到着についてのページングをレガシ挙動に従ってモニタリングし続けている間、論理的に分離された（例えば、ベストエフォートまたは短い待ち時間の）アクセス方法と概念的に見なされることができる。ある実施形態では、階層化は、キャンピング原理からのアクセス原理の分離を可能にし得る方法のセットと見なされることができる。
【００９３】
セルは、第１のセルと関連付けられた同じｅＮＢの第２のセルとすることもできる。これは、ｅＮＢベースの階層化と呼ばれることがある。エアインターフェースの観点からは、ある実施形態では、階層化は、キャリアアグリゲーションを使用して無線リソースを管理するための方法と概念的に見なされることができる。ある実施形態では、階層化は、ｅＮＢ内対話が仮定されないことがある場合、ＩＤＬＥモードセル選択または再選択と所与のｅＮＢについてのアクセス原理との間の分離を可能にし得る方法のセットと見なされることができる。
【００９４】
セルは、異なるネットワークノードの第２のセルとすることもできる。これは、ｅＮＢ間階層化と呼ばれることがある。エアインターフェースの観点からは、階層化は、異なるｅＮＢのセルにアクセスする方法と概念的に見なされることができる。ある実施形態では、階層化は、ＩＤＬＥモードセル選択または再選択とネットワーク対話が仮定されることができるような制限なしのアクセス原理との間の分離を可能にすることができる方法のセットと見なされることができる。
【００９５】
これらの例のいずれでも、ネットワークは、ＱｏＳ管理されたサービスのための、もしくは階層化された接続性のためにＷＴＲＵの構成を更新するためのプライマリレイヤにおけるページングなど、またはネットワークからのＱｏＳ管理を使用しないことがあるデータ、もしくは短い待ち時間要件を有するデータのためのセカンダリ接続性によってなど、複数の方法を使用して、ＷＴＲＵに到達することができる。ＷＴＲＵは、ＱｏＳ管理されたサービスのために、またはセカンダリ接続性がセカンダリ接続性を使用するアップリンク送信についてのＷＴＲＵの必要に十分でないことがある場合、プライマリレイヤにおいてＲＲＣ接続を確立することによってなど、複数の方法を使用して、ネットワークにアクセスすることができる。ＷＴＲＵは、例えば、ネットワークによるＱｏＳ管理を使用しないことがあるデータ、または短い待ち時間アクセスを必要とするデータなど、任意のデータのためにセカンダリ接続性を使用して、ネットワークにアクセスすることができる。
【００９６】
ある実施形態では、階層化は、無線リソースの厳格な管理があまり役立たないことがある、またはｅＮＢの１つもしくは複数セルにとって望ましくないことがある場合など、確立されたＲＲＣ接続が存在しない場合であっても、ＷＴＲＵとネットワークが、例えば、ＷＴＲＵとアクセスゲートウェイ（ＧＷ）との間でＬ２トランスポート接続を維持するように、利用されることができる。
【００９７】
プライマリレイヤとセカンダリレイヤは、並列的に使用されることができる。ある実施形態では、セカンダリレイヤは、プライマリレイヤをオフロードするために使用されることができる。階層化された接続性を用いて動作するＷＴＲＵは、プライマリレイヤにおいてＲＲＣ  ＣＯＮＮＥＣＴＥＤモードにあることができ、第１のセルのリソースを使用することができる。リソースは、１または複数の特定のサービスのために、例えば、ＶｏＩＰなど、ＱｏＳ管理されたサービスのために、使用されることができるが、それは、第２のレイヤを用いるように構成されることもでき、セル内のリソースを使用することができる。リソースは、１または複数の他の特定のサービスのために使用されることができる。そのような他のサービスは、アプリケーションのバックグラウンドダウンロード、アイドルアプリケーションによって生成されたバックグラウンドトラフィック、または非アクティビティの期間の後に続くバーストにおける最初のパケットの送信などの短い待ち時間を必要とするサービスを含む、ベストエフォートサービスとすることができる。
【００９８】
リソースが使用されることができるセルは、第１のセルとすることができる（例えば、セルベースの階層化）。エアインターフェースの観点からは、階層化は、セル内で無線リソースを管理するための方法（例えば、ＲＲＭ方法）と概念的に見なされることができる。異なる送信、ユーザトラフィック、および／またはサービスは、同じセルに対して、異なるリソース割り当て、スケジューリング、並びに／または接続性方法および原理を使用することができ、それは同時のこともある。
【００９９】
セルは、第１のセルと関連付けられた同じｅＮＢの第２のセルとすることもできる（例えば、ｅＮＢベースの階層化）。エアインターフェースの観点からは、階層化は、キャリアアグリゲーションを使用して無線リソースを管理するための方法（例えば、ｅＮＢ内キャリアアグリゲーション方法）と概念的に見なされることができる。異なる送信、ユーザトラフィック、および／またはサービスは、関係する各セルについてとは異なって、同じｅＮＢに対して、異なるリソース割り当て、スケジューリング、並びに／または接続性方法および原理を（例えば、同時に）使用することができる。
【０１００】
セルは、異なるネットワークノードの第２のセルとすることもできる（例えば、ｅＮＢ間階層化）。エアインターフェースの観点からは、階層化は、異なるｅＮＢのセルにアクセスするための方法（例えば、ｅＮＢ間キャリアアグリゲーション方法またはデュアルコネクティビティ方法）と概念的に見なされることができる。異なる送信、ユーザトラフィック、および／またはサービスは、異なるリソース割り当て、スケジューリング、並びに／または接続性方法および原理を使用することができ、それは同時のこともあるが、異なるｅＮＢと関連付けられた異なるセルに対してである。これらの方法および原理は、以下でさらに説明される。
【０１０１】
論理ノード（例えば、制御プレーン（ＣＰ）アンカ）は、制御プレーンのためのアンカ、および／または適用可能な場合は、セカンダリＲＲＣ接続のためのアンカとして動作することができる。このノードは、ｅＮＢとすることができる。ｅＮＢは、例えば、ＲＲＣなど、Ｌ３プロトコルを使用して、ＷＴＲＵのセカンダリ接続性の少なくともいくつかの態様を制御することができる。ｅＮＢは、ＲＲＣプロトコルを使用するＷＴＲＵへの専用またはブロードキャスト送信を使用するシグナリング内に含まれることができる１または複数の構成態様（例えば、セキュリティ、セカンダリレイヤのためのアクセスパラメータ）を、別のネットワークノード、例えば、ＭＭＥから受信することができる。例えば、そのようなｅＮＢは、ＭｅＮＢとすることができる。ある実施形態では、ＭｅＮＢは、デュアルコネクティビティのために定義されたＭｅＮＢに類似し得る。
【０１０２】
ノードは、ＭＭＥまたはプロキシ機能とすることができる（例えば、プロキシＭＭＥ）。ＭＭＥは、例えば、ＮＡＳなど、より高位のレイヤのプロトコルを使用して、ＷＴＲＵのセカンダリ接続性の少なくともいくつかの態様を制御することができる。ＷＴＲＵは、ＮＡＳ手順を使用して、ＭＭＥから、１または複数の構成態様（例えば、セキュリティ、セカンダリレイヤのためのアクセスパラメータ）を受信することができる。シグナリングは、ＲＲＣプロトコルを使用して、例えば、専用またはブロードキャスト送信を使用して、搬送されることができる。
【０１０３】
論理ノードは、セキュリティのためのアンカとして動作することができる。例えば、ノードは、ＭＭＥまたはプロキシ機能とすることができる（例えば、プロキシＭＭＥ）。セキュリティプロトコルは、例えば、ＭＭＥが制御プレーンアンカである場合、構成、鍵導出および／または鍵再生成などのセキュリティ機能のためのＷＴＲＵのセカンダリ接続性については、ＭＭＥにおいて終端することができる。これはＭＭＥライトと呼ばれ得る。
【０１０４】
ノードはｅＮＢとすることができる。セキュリティプロトコルは、例えば、ｅＮＢが制御プレーンアンカである場合、構成、鍵導出および／または鍵再生成などのセキュリティ機能のためのＷＴＲＵのセカンダリ接続性については、ｅＮＢにおいて終端することができる。セキュリティプロトコルは、例えば、ｅＮＢがセカンダリ接続性のために使用されるベアラのための終端点である場合、Ｌ２および／またはユーザプレーン暗号化および／または認証のためのＷＴＲＵのセカンダリ接続性については、ｅＮＢにおいて終端することができる。ある実施形態では、ｅＮＢは、ソースｅＮＢなど、別のネットワークノードから、１または複数の構成態様（例えば、セキュリティコンテキスト、セキュリティ鍵、Ｌ２順序付け情報を含むことができるベアラ情報、セカンダリレイヤのためのアクセスパラメータ）を受信することができる。ソースｅＮＢは、例えば、セカンダリレイヤ原理に従ってＷＴＲＵと以前にデータを交換したｅＮＢ、またはＷＴＲＵがプレゼンス通知もしくはセカンダリレイヤのためのルーティング更新手順を最後に完了したｅＮＢとすることができる。
【０１０５】
ノードは、ゲートウェイとすることができる。セキュリティプロトコルは、例えば、ゲートウェイがセカンダリ接続性のために使用されるベアラのための終端点である場合、Ｌ２および／またはユーザプレーン暗号化および／または認証のためのＷＴＲＵのセカンダリ接続性については、ゲートウェイにおいて終端することができる。
【０１０６】
論理ノード（例えば、ユーザプレーン（ＵＰ）アンカ）は、ユーザプレーンのためのアンカとして動作することができる。ノードはｅＮＢとすることができる。ベアラは、ユーザプレーントラフィックのためのＷＴＲＵのセカンダリ接続性については、ｅＮＢにおいて終端することができる。ノードは、ゲートウェイとすることができる。ゲートウェイは、ベアラを終端させることができる。ゲートウェイは、例えば、ゲートウェイがセカンダリ接続性のために使用されるベアラのための終端点である場合、ＩＰトンネルを終端させることができる。
【０１０７】
局所的なブレークアウトは、無線アクセスネットワークにおいてサポートされ得る。
【０１０８】
Ｌ２トランスポートにおけるセキュリティが、サポートされることができる。同じセキュリティコンテキストが、複数のセルに対して使用されることができる。例えば、ＷＴＲＵは、ｅＮＢ毎の代わりに、同じセキュリティアンカポイントによってサービスされるエリアにおいて（例えば、ＭＭＥ毎および／またはゲートウェイ毎に）、同じセキュリティコンテキストを使用することができる。ある実施形態では、ＷＴＲＵは、複数のｅＮＢ／セルとともに同じセキュリティコンテキストを使用することができ、それは、必要に応じて、セキュリティコンテキストを更新することを含むことができる。例えば、ＷＴＲＵは、同じセキュリティアンカと関連付けられたセルのための通知／ルーティング更新手順の実行に成功した場合、アクティブなセキュリティコンテキストを更新することができる。セキュリティは無効にされることもできる。
【０１０９】
セカンダリ接続性またはそれの関連する構成の部分が、複数のセルに対して確立されること、および／または適用可能であることができる。例えば、ＷＴＲＵは、ひとたびセカンダリ接続性を用いるように構成されると、所与のセルのために、僅かしかもしくは全くＲＲＣ専用シグナリングを用いずに、および／または最低限のＲＲＣ関与しか用いずに、Ｌ２および／またはＰＨＹにおいて送信を実行することができる。
【０１１０】
マクロカバレッジが、プライマリレイヤにおいて存在することができる。セカンダリ接続性を用いるように構成されたＷＴＲＵは、ＷＴＲＵがプライマリレイヤにおいてＲＲＣ  ＩＤＬＥモードにあるか、それともＲＲＣ  ＣＯＮＮＥＣＴＥＤモードにあるかに関わらず、セカンダリレイヤと関連付けられた方法に従ってリソースにアクセスすることができる。ある実施形態では、セカンダリ接続性と関連付けられた方法の利用可能性および／または使用は、プライマリレイヤにおいてＲＲＣ  ＩＤＬＥモードにキャンピングするためのセルの選択に依存することができる。
【０１１１】
方法は、セカンダリアクセスレイヤを実施するために、単独で、または他の方法と組み合わされて使用されることができる。例えば、制御プレーンでは、方法は、ＷＴＲＵが、ネットワーク接続性管理手順を、例えば、ＲＡＮ（例えば、ｅＮＢの１つまたはサブセット）とＣＮ（例えば、ＭＭＥゲートウェイ）との間のＳ１接続性の管理のための手順を実行することを可能にするために使用されることができる。ある実施形態では、これらの手順は、ＲＲＣ状態とは独立に、および／またはＲＲＣ接続を確立することなく、達成されることができる。ＷＴＲＵは、自律的モビリティを実行することができる。ＷＴＲＵは、セルにおけるそのプレゼンスをネットワークに通知することができる。いくつかの例示的な方法が、以下で説明される。
【０１１２】
ＷＴＲＵは、プライマリレイヤにおいてＲＲＣ  ＩＤＬＥモード挙動に従って動作することができる。ＷＴＲＵは、階層化された接続性をサポートすることができ、１または複数のセカンダリレイヤを用いて並列的に動作するように構成されることができる。
【０１１３】
プライマリレイヤにおいてＲＲＣ  ＩＤＬＥモードにあり、階層化された接続性のために構成されたＷＴＲＵは、プライマリレイヤにおいて使用されるセル選択手順とは独立であり得る、セカンダリレイヤのためのＷＴＲＵ自律的モビリティ（例えば、セル選択手順）を実行することができる。ある実施形態では、ＷＴＲＵが、プライマリレイヤにとって適切なセルを選択し、そのセルが、階層化された接続性をサポートする場合、ＷＴＲＵは、そのセルがそれのセカンダリ接続性にとっても適切であると決定したならば、プライマリレイヤのセル選択プロセスの結果をセカンダリレイヤのために使用することができる。
【０１１４】
ＷＴＲＵが、プライマリレイヤにとって適切なセルを選択し、セカンダリレイヤのために異なるセルを選択した場合、ＷＴＲＵは、セカンダリレイヤから切り離して、プライマリレイヤにおいて自律的モビリティ（例えば、セル選択または再選択）を実行することができる。
【０１１５】
ある実施形態では、プライマリレイヤにおける接続モードへの遷移は、Ｌ３／サービスベースの態様、トラフィック要件関連の態様、および／またはリソース利用可能性関連の態様に基づいて実施されることができる。
【０１１６】
プライマリレイヤにおけるＲＲＣ  ＣＯＮＮＥＣＴＥＤモードへの遷移は、ＷＴＲＵが、送信のために利用可能な何らかのデータがセカンダリレイヤを使用する送信に対して適用可能であることができないと決定した場合に、開始されることができる。これは、ＮＡＳシグナリング（例えば、ＮＡＳサービス要求および／もしくはＴＡＵ手順）もしくはＲＲＣシグナリング（例えば、ＲＲＣ接続確立）などの制御プレーンシグナリング、並びに／またはセカンダリレイヤに対して適用可能であることができないサービスのためのユーザプレーンデータを含むことができる。
【０１１７】
プライマリレイヤにおけるＲＲＣ  ＣＯＮＮＥＣＴＥＤモードへの遷移は、ＷＴＲＵが、セカンダリレイヤ上におけるそれの動作についての１または複数の基準が満たされることができないと決定した場合に、開始されることができる。これらの基準は、ＱｏＳ特性を含むことができる。ＱｏＳ特性は、トラフィックのタイプ（例えば、セカンダリ接続性がそのタイプのトラフィックまたはサービスに適用可能であるかどうか）とすることができる。ＱｏＳ特性は、ビットレート（例えば、１もしくは複数の適用可能なサービスのビットレートが閾値を上回るかどうか、および／またはセカンダリ接続がそのようなビットレートをサポートすることができるかどうか）とすることができる。ＱｏＳ特性は、パケット到着間隔時間（例えば、１もしくは複数の適用可能なサービスの到着間隔時間が閾値を下回るか、それとも上回るか、および／またはセカンダリ接続がそのような時間にとって適切であるかどうか）とすることができる。ＱｏＳ特性は、１または複数の内部バッファレベル（例えば、１もしくは複数の適用可能なサービスの内部バッファレベルおよび／もしくは満杯率が閾値を下回るか、それとも上回るか、並びに／またはセカンダリ接続がそのようなレベルにとって適切であるかどうか）とすることができる。ＷＴＲＵは、セカンダリ接続を用いて動作していることができ、観測されたＱｏＳが不十分である、および／もしくは悪化していると決定すること、並びに／または新しいサービスは追加の接続性を使用することができると決定することができる。ＷＴＲＵは、例えば、追加のリソースを獲得するために、プライマリレイヤにおいてＣＯＮＮＥＣＴＥＤモードへの遷移を開始することができる。
【０１１８】
ＣＯＮＮＥＣＴＥＤモードへの遷移は、ＷＴＲＵが、セカンダリ接続性はもはや利用可能ではないと決定した場合に、発生することができる。ＷＴＲＵは、それがもはやそれのセカンダリ接続をサポートするセルのカバレッジ下にいないと決定することができる。ＣＯＮＮＥＣＴＥＤモードへの遷移は、ＷＴＲＵが、セカンダリ接続性はもはや適切ではないと決定した場合に、発生することができる。ＷＴＲＵは、無線状態がある閾値を下回ったと決定することができる。ＣＯＮＮＥＣＴＥＤモードへの遷移は、ＷＴＲＵが、セカンダリ接続性は無効なことがあると決定した場合に、発生することができる。ＷＴＲＵは、それが階層化された接続性をサポートすることができるセルのカバレッジ内にいるが、そのセルはもはやＷＴＲＵがそれのために構成されたものと同じエリアに属さないと決定することができる。
【０１１９】
ＣＯＮＮＥＣＴＥＤモードへの遷移は、ＷＴＲＵが、セカンダリ接続性は損なわれていることがあると決定した場合に、発生することができる。ＷＴＲＵは、例えば、時間有効性の失効、ある情報が更新される必要があり得ることの検出、セカンダリ接続性のための構成を適用することの失敗（例えば、セル内においてシステム情報を獲得することの失敗）の後に、セカンダリ接続のための古い構成を有することがある。
【０１２０】
ＷＴＲＵは、セカンダリ接続を用いて動作していることができ、それがもはや階層化された接続性をサポートするセルのカバレッジ内にいないと決定することができる。再選択の試みに続いて、ＷＴＲＵは、ある長さの時間の後、そのようなセルの識別に失敗することができる。ＷＴＲＵは、例えば、アクティブなサービスを維持するためのリソースを獲得するために、プライマリレイヤにおいてＣＯＮＮＥＣＴＥＤモードへの遷移を開始することができる。
【０１２１】
プライマリレイヤにおいてＲＲＣ  ＩＤＬＥモードにあり、階層化された接続性のために構成されたＷＴＲＵは、それがもはやプライマリレイヤにとって適切ないかなるセルのカバレッジ内にもいないと決定した場合、セカンダリレイヤのための構成を無効にすることができる。
【０１２２】
プライマリレイヤにおいてＲＲＣ  ＩＤＬＥモードにあり、階層化された接続性のために構成されたＷＴＲＵは、それがもはやプライマリレイヤにおいてそれがキャンピングしているセルのためのネットワークにアタッチされていないと決定した場合、セカンダリレイヤのための構成を無効にすることができる。
【０１２３】
プライマリレイヤにおいてＲＲＣ  ＩＤＬＥモードにあり、階層化された接続性のために構成されたＷＴＲＵは、それがもはや階層化された接続性をサポートするセルのカバレッジ内にいないと決定した場合、セカンダリレイヤのための構成を無効にすることができる。
【０１２４】
プライマリレイヤにおいてＲＲＣ  ＩＤＬＥモードにあり、階層化された接続性のために構成されたＷＴＲＵは、それが階層化された接続性をサポートするセルのカバレッジ内にいるが、そのセルはＷＴＲＵの構成の少なくとも１つの態様に一致しないと決定した場合、セカンダリレイヤのための構成を無効にすることができる。例えば、セルは、セカンダリレイヤに適用可能なアクティブなサービスの最低限の基準をサポートしないことがある。例えば、セルは、セカンダリレイヤのためのＷＴＲＵの構成内で示されたのと同じグループおよび／またはエリアの一部ではないことがある。
【０１２５】
プライマリレイヤにおいてＲＲＣ  ＩＤＬＥモードにあり、階層化された接続性のために構成されたＷＴＲＵは、ＷＴＲＵが、プライマリレイヤのためのＴＡＵ手順、例えば、ＭＭＥエリアの変更を実行する場合、セカンダリレイヤのための構成を無効にすることができる。
【０１２６】
プライマリレイヤにおいてＲＲＣ  ＩＤＬＥモードにあり、階層化された接続性のために構成されたＷＴＲＵは、ＷＴＲＵが、セルの変更がセカンダリレイヤについて発生し、そのセルが階層化された接続性をサポートし、そのセルがセカンダリ接続性のためにそれが使用していた先のセルと同じカバレッジエリアの一部であると決定した場合、セカンダリレイヤについてのＷＴＲＵのロケーションをネットワークに通知するための手順を開始することができる。
【０１２７】
プライマリレイヤにおいてＲＲＣ  ＩＤＬＥモードにあり、階層化された接続性のために構成されたＷＴＲＵは、ＷＴＲＵが、特定のイベントの後、ある長さの時間が経過したと決定した場合、セカンダリレイヤについてのＷＴＲＵのロケーションをネットワークに通知するための手順を開始することができる。イベントは、プレゼンス通知の送信、プレゼンス通知もしくはルーティング更新もしくはロケーション更新のための手順の完了、（例えば、ネットワークによって正常に肯定応答が行われた場合）セカンダリレイヤ上で実行された送信、（例えば、送信がユーザプレーンデータを含んでいた場合、および／もしくはＷＴＲＵによって正常に受信され、肯定応答が行われた場合）セカンダリレイヤ上で実行された送信の正常な復号、プライマリレイヤにおいてＲＲＣ接続モードにある場合に、プライマリレイヤを使用して送信もしくは受信される、セカンダリ接続性の構成もしくは再構成などの制御プレーンシグナリング、もしくはセカンダリＲＲＣ接続を使用して送信もしくは受信される制御プレーンシグナリング、並びに／またはプライマリレイヤにおける（例えば、ネットワークから受信されたシグナリングによって引き起こされた場合の）ＲＲＣ接続モードからアイドルモードへの遷移とすることができる。
【０１２８】
プライマリレイヤにおいてＲＲＣ  ＩＤＬＥモードにあり、階層化された接続性のために構成されたＷＴＲＵは、ＷＴＲＵが、セカンダリ接続性を用いるように構成されており、例えば、その構成が有効である場合に、ＷＴＲＵが、セカンダリ接続性に適用可能なサービスおよび／またはベアラについて、新しいデータがアップリンクにおける送信のために利用可能になったと決定した場合、セカンダリ接続性に適用可能な方法を使用して、アクセスを開始することができる。アクセスは、リソースがセカンダリ接続性のために利用可能であるとＷＴＲＵが最初に決定した場合に（例えば、セルがセカンダリ接続性にとって適切であり得ると、例えば、十分な無線リンク品質にあり得るとＷＴＲＵが決定した場合に）、開始されることができる。
【０１２９】
プライマリレイヤにおいてＲＲＣ  ＩＤＬＥモードにあり、階層化された接続性のために構成されたＷＴＲＵは、ＷＴＲＵが、セカンダリ接続性を用いるように構成されている場合、例えば、その構成が有効であり、ＷＴＲＵが、それがダウンリンク送信の受信の実行を開始することができることを示すシグナリングを受信した場合、セカンダリ接続性に適用可能な方法を使用して、アクセスを開始することができる。アクセスは、ＷＴＲＵが、セカンダリ接続性のためにリソースが利用可能であると最初に決定した場合に（例えば、ＷＴＲＵが、セルがセカンダリ接続性にとって適切であり得ると、例えば、十分な無線リンク品質にあり得ると決定した場合に）、開始されることができる。
【０１３０】
ＷＴＲＵは、プライマリレイヤにおいて、ＣＯＮＮＥＣＴＥＤモード挙動に従って動作することができる。ＷＴＲＵは、階層化された接続性をサポートすることができ、セカンダリアクセスを用いるように構成されることができる。このサポートは、ｅＮＢとのＷＴＲＵ能力交換の一部として示されることができ、階層化された接続性を用いて並列的に動作するように構成されることができる。
【０１３１】
プライマリレイヤにおいてＲＲＣ  ＣＯＮＮＥＣＴＥＤモードにあるＷＴＲＵは、セカンダリ接続の１または複数の態様を構成することができる制御シグナリングを受信することができる。その構成は、ＷＴＲＵが、セカンダリレイヤのためのトラフィックを取り扱うことができるゲートウェイとの間のルーティングを確立することを可能にし得る。
【０１３２】
シグナリングは、Ｌ３（例えば、ＲＲＣ）シグナリング、またはより高位のレイヤ（例えば、ＮＡＳ）のシグナリングとすることができ、それは、ＲＲＣ  ＰＤＵでトランスポートされることができ、または構成サーバからのＩＰを使用することができる。ＷＴＲＵは、ＲＲＣ接続再構成手順の一部として、セカンダリレイヤのために構成され得る。セカンダリ接続性を構成するためのＲＲＣまたはＮＡＳ手順が使用され得る。手順は、セカンダリレイヤのためのセキュリティを構成することができる。手順は、セキュリティが正常にアクティブ化された場合に、成功することができる。セキュリティアクティブ化は、初期構成手順の一部とすることができ、または別個の手順とすることができる。
【０１３３】
セカンダリ接続の構成可能な態様は、制御プレーンアンカ（例えば、プロキシＭＭＥ）の識別情報、セカンダリレイヤのための（例えば、エリア固有の）ＷＴＲＵの識別情報、適用可能なダウンリンク周波数、１もしくは複数の物理セル識別情報のリスト、ＷＴＲＵ自律的モビリティのためのモビリティパラメータ、（例えば、システムブロードキャスト構成などの）セル固有の制御シグナリングが存在するかどうか、および／またはセカンダリレイヤのセルのリソースにアクセスするときに適用可能とすることができる（例えば、セカンダリＲＲＣ接続を使用するなどする）ＷＴＲＵ固有の制御シグナリングなどの、制御プレーン構成とすることができる。
【０１３４】
セカンダリ接続の別の構成可能な態様は、セキュリティアンカの識別情報（例えば、セカンダリレイヤのためのサービングゲートウェイと異なる場合、それは制御プレーンアンカ、例えば、プロキシＭＭＥとすることができる）、並びに／またはセキュリティアルゴリズムおよび／もしくは鍵を含むパラメータなどのセキュリティ構成などの、セキュリティ構成とすることができる。
【０１３５】
セカンダリ接続の別の構成可能な態様は、パケットフィルタとすることができる。ＷＴＲＵは、（フローもしくは個々のパケットとしての）トラフィック、および／または（フローもしくはそれらの組み合わせとしての）サービスを、ＷＴＲＵが（例えば、本明細書で説明されるような特定のポリシに従って）異なるレイヤに向かって誘くことを可能にする構成を受信することができる。
【０１３６】
セカンダリ接続の別の構成可能な態様は、ポリシとすることができる。ＷＴＲＵは、１もしくは複数のどのエリア、１もしくは複数のどのセル、並びに／またはどのような条件（例えば、ビットレート、データ量、パケット到着間隔時間および／もしくは他のＱｏＳ関連の閾値）の下で、ＷＴＲＵがセカンダリレイヤへの送信を開始することができるかを、ＷＴＲＵが決定することを可能にする構成を受信することができる。
【０１３７】
セカンダリ接続の別の構成可能な態様は、物理レイヤ構成とすることができる。ＷＴＲＵは、例えば、セカンダリレイヤのセルのリソースにアクセスするための、デフォルトの物理レイヤパラメータ、および／またはセルもしくはエリア固有のパラメータを提供する構成を受信することができる。
【０１３８】
セカンダリ接続の別の構成可能な態様は、セカンダリレイヤのためのルーティングパラメータまたはベアラ構成とすることができる。これらは、例えば、サービングゲートウェイの識別情報、または例えば、トンネリングパラメータを含む、ルーティング構成を含むことができる。これらが構成内に存在しない場合、ＷＴＲＵは、プレゼンス通知に類似した手順を使用して、パラメータを獲得することができる。
【０１３９】
ＷＴＲＵは、階層化された接続性のために構成されることができる。プライマリレイヤにおいてＲＲＣ  ＣＯＮＮＥＣＴＥＤモードにあるＷＴＲＵは、本明細書で開示される態様の任意のサブセットまたは組み合わせなど、セカンダリ接続の１または複数の態様を再構成することができる制御シグナリングを受信することができる。
【０１４０】
セカンダリレイヤの構成は、例えば、ＩＤＬＥモードに移行する場合、またはプライマリレイヤにおける障害の場合など、プライマリレイヤ構成の態様が削除されること、または無効にされることがある場合でさえも、有効であり続けることができる。ＷＴＲＵは、セカンダリ接続性のための構成であって、そのような構成を追加し、変更し、または削除することができるシグナリング以外の、プライマリレイヤにおいて発生するイベントに僅かしかまたは全く依存しない構成を考えることができる。例えば、そのような構成は、ＷＴＲＵが、プライマリレイヤのためのＲＲＣ  ＣＯＮＮＥＣＴＥＤモードからＲＲＣ  ＩＤＬＥモードへの遷移（または逆方向の遷移）を実行する場合でさえも、有効であると見なされることができる。
【０１４１】
ＷＴＲＵが、プライマリレイヤのためのＲＲＣ  ＩＤＬＥモードにある場合に、セカンダリレイヤのための構成をいつ自律的に無効にすべきかを決定することができる方法の例が、本明細書で説明される。
【０１４２】
プライマリレイヤにおいてＲＲＣ  ＣＯＮＮＥＣＴＥＤモードにあり、階層化された接続性のために構成されたＷＴＲＵは、ＷＴＲＵがプライマリレイヤのためのＲＲＣ接続再確立を開始した場合、例えば、ＷＴＲＵが再確立手順に失敗した場合、セカンダリレイヤのための構成を無効にすることができる。ＷＴＲＵは、それがネットワークから切り離されていると決定した場合、またはそれがもはやプライマリレイヤのためにネットワークにアタッチされていないと決定した場合、セカンダリレイヤのための構成を無効にすることができる。例えば、ＷＴＲＵは、切り離し手順を開始し（例えば、ＷＴＲＵをオフにし、ＥＰＳサービスを無効にするなど）、ＤＥＴＡＣＨ  ＲＥＱＵＥＳＴメッセージを送信することができる。ＷＴＲＵは、プライマリレイヤのためのＤＥＴＡＣＨ  ＲＥＱＵＥＳＴメッセージを、ＭＭＥから受信することができる。ＷＴＲＵは、ＥＭＭ原因が「暗黙的に切り離された」であるＳＥＲＶＩＣＥ  ＲＥＪＥＣＴまたはＴＲＡＣＫＩＮＧ  ＡＲＥＡ  ＵＰＤＡＴＥ  ＲＥＪＥＣＴなどのＥＭＭメッセージを、ＭＭＥから受信することができる。切り離し手順は、セカンダリレイヤのためとすることができ、その場合、ＷＴＲＵは、メッセージをプロキシＭＭＥから受信することができる。ＥＭＭ原因は、例えば、「暗黙的に切り離されたセカンダリレイヤ」など、セカンダリレイヤに固有とすることができる。ＡＴＴＡＣＨがレイヤ固有である場合、シグナリングは、各レイヤに対して独立して適用されることができる。
【０１４３】
ＷＴＲＵは、それがもはや階層化された接続性をサポートするセルのカバレッジ内にいないと決定した場合、セカンダリレイヤのための構成を無効にすることができる。
【０１４４】
ＷＴＲＵは、それが階層化された接続性をサポートするセルのカバレッジ内にいるが、そのセルはＷＴＲＵの構成の態様に一致しないと決定した場合、セカンダリレイヤのための構成を無効にすることができる。例えば、セルは、セカンダリレイヤに適用可能なアクティブなサービスの最低限の基準をサポートしないことがある。例えば、セルは、セカンダリレイヤのためのＷＴＲＵの構成内で示されたのと同じグループおよび／またはエリアの一部ではないことがある。
【０１４５】
ＷＴＲＵは、セキュリティが失敗したと決定した場合、または例えば、セカンダリレイヤ認証手順の失敗時に、セキュリティがプライマリレイヤのためにアクティブ化されることができなかったと決定した場合、セカンダリレイヤのための構成を無効にすることができる。
【０１４６】
ＷＴＲＵは、階層化された接続性をサポートしないセル、および／または例えば、制御プレーンアンカの観点からは、同じエリアの一部ではないことがあるセルへのモビリティを示すことができるハンドオーバコマンドを受信した場合、セカンダリレイヤのための構成を無効にすることができる。
【０１４７】
ＷＴＲＵは、セカンダリレイヤのためのそれの構成と組み合わすと、全ＷＴＲＵ能力を超過することがあり、レイヤの一方の接続性が損なわれることがある、プライマリレイヤのための構成を受信した場合、セカンダリレイヤのための構成を無効にすることができる。ＷＴＲＵは、プライマリレイヤのための受信された構成を優先し、それを適用することができる。ＷＴＲＵは、それがもはやセカンダリ接続性のために構成されることができないことをネットワークに示す手順を開始することができる。この表示は、プレゼンス通知内に含まれることができる。
【０１４８】
ＷＴＲＵは、それがプライマリレイヤにアクセスすることができないと決定した場合、セカンダリレイヤのための構成を無効にすることができる。
【０１４９】
プライマリレイヤにおいてＲＲＣ  ＣＯＮＮＥＣＴＥＤモードにあり、階層化された接続性のために構成されたＷＴＲＵは、ＷＴＲＵが、セカンダリ接続性を用いるように構成されており（例えば、その構成が有効である場合に）、ＷＴＲＵが、セカンダリ接続性に適用可能なサービスおよび／またはベアラについて、新しいデータがアップリンクにおける送信のために利用可能になったと決定した場合、セカンダリ接続性に適用可能な方法を使用して、アクセスを開始することができる。これは、リソースがセカンダリ接続性のために利用可能であるとＷＴＲＵが最初に決定した場合に（例えば、セルがセカンダリ接続性にとって適切であると、例えば、十分な無線リンク品質にあるとＷＴＲＵが決定した場合に）、行われることができる。
【０１５０】
プライマリレイヤにおいてＲＲＣ  ＣＯＮＮＥＣＴＥＤモードにあり、階層化された接続性のために構成されたＷＴＲＵは、ＷＴＲＵが、セカンダリ接続性を用いるように構成されており（例えば、その構成が有効である場合に）、ＷＴＲＵが、それがダウンリンク送信の受信を実行することができることを示すシグナリングを受信した場合、セカンダリ接続性に適用可能な方法を使用して、アクセスを開始することができる。これは、リソースがセカンダリ接続性のために利用可能であるとＷＴＲＵが最初に決定した場合に（例えば、セルがセカンダリ接続性にとって適切であると、例えば、十分な無線リンク品質にあるとＷＴＲＵが決定した場合に）、行われることができる。
【０１５１】
ある実施形態では、ＷＴＲＵは、プライマリレイヤとセカンダリレイヤとの間およびそれとは反対の１または複数のベアラを再構成することを可能にさせられることができる。そのような再構成は、自律的に、またはネットワーク制御を介して達成されることができる。そのような再構成は、サービス継続性を実施するために使用されることができる。再構成は、第１のレイヤと関連付けられたベアラの第２のレイヤへの再割り当てを含むことができる。例示的なネットワーク制御される再構成手順では、Ｌ３およびＬ２（ＰＤＣＰ／ＲＬＣ／ＭＡＣ）からの再構成は、セキュリティ継続性を伴って（すなわち、セキュリティを変更することなく）実行されることができる。別の例では、手順は、ＤＲＢに関係するＥＰＳ−ベアラを構成更新と再関連付けすることができる。Ｌ３およびＬ２の観点からは、ある実施形態では、例示的なＷＴＲＵ開始される手順は、ＲＲＣ接続再確立手順に類似することができる。１または複数の手順は、プレゼンス通知手順と組み合わされる（またはそれと連続して、例えば、それの後に達成される）ことができる。
【０１５２】
再構成は、関係するサービスおよび／またはデータフローを、異なるレイヤおよび／または異なるＱｏＳ構成に対応することができるベアラに再割り当てする、ＮＡＳレイヤから成ることができる。例えば、これは、セカンダリレイヤの使用がＱｏＳ構成インデックス（ＱＣＩ）によって表される場合に、発生することができる。
【０１５３】
ＥＣＭ挙動は、セカンダリレイヤ原理に従ったアクセスを可能にするために、例えば、新しいＥＣＭ状態および新しい状態遷移によって増強されることができる。例えば、ＥＣＭアイドルおよびＥＣＭ接続状態に加えて、ＥＣＭ非アクティブ状態は、本明細書で開示されるマルチレイヤ接続性および他の原理をサポートすることができる。
【０１５４】
ＷＴＲＵは、階層化された接続性原理に従って接続性をサポートすることができ、セカンダリ接続を用いて並列的に動作するように構成されることができる。サポートは、ｅＮＢとのＷＴＲＵ能力交換において示されることができる。
【０１５５】
新しいＥＣＭ状態は、ＷＴＲＵおよび／または関係するＥＰＳベアラのための確立されたＳ１シグナリング接続およびＳ１ベアラが存在する間、ＷＴＲＵが、（例えば、新しいまたは増強されたモードで）動作することを可能にし得る。動作は、関連するＲＲＣ接続および構成されたＤＲＢを用いて、および用いずに可能にされ得る。ＲＲＣ接続が存在しない場合、ＷＴＲＵは、例えば、プレゼンス通知または経路更新手順によって、ネットワークがＳ１接続を管理することを可能にする１または複数の手順を実施することができる。待ち時間は、そのような動作モードを可能にすることによって、短縮されることができる。例えば、待ち時間は、ＷＴＲＵが拡張された送信非アクティビティを有するときに、ネットワークおよびＷＴＲＵが、ＥＣＭ接続を維持するために、その動作モードを使用する場合に、短縮されることができる。
【０１５６】
ある実施形態では、新しいＥＣＭ非アクティブ状態は、以下の特性のうちの少なくとも１つを有することができ、すなわち、ＷＴＲＵは、ＥＣＭ接続、例えば、確立されたＮＡＳシグナリング接続を有することができ、ＷＴＲＵは、ネットワークリソース、例えば、Ｓ１シグナリング接続および／またはＳ１ベアラを割り当てられていることができ、並びにＷＴＲＵは、ＲＲＣ接続を介して、物理無線リソース、例えば、データ無線ベアラ（ＤＲＢ）および／またはシグナリング無線ベアラ（ＳＲＢ）を割り当てられていないことがある。非アクティブ状態は、ＷＴＲＵとネットワークＥＣＭエンドポイント（例えば、ＭＭＥ）との間でＬ２トランスポート経路がひとたび再確立されると、ＥＣＭ接続が再開することができるように、維持されることができる。
【０１５７】
情報は、動作をサポートするために、ＷＴＲＵ内に維持され得る。例えば、最後にＥＣＭ接続状態にあったときに獲得された１または複数の準備された値が維持され得る。ある実施形態では、既に準備された値（例えば、ＩＭＳＩ、ＬＴＥ  Ｋ）に加えて、ＷＴＲＵは、先のＥＣＭ接続状態中に獲得されることができた「使用中ＡＰＮ」、「ＧＵＴＩ」、「ＴＡＩ」および「ＮＡＳセキュリティコンテキスト」のうちの少なくとも１つについての現在の値を（ＥＣＭ非アクティブ状態のサポートにおいて）維持することができる。
【０１５８】
ＥＣＭ−ＩＤＬＥ状態への遷移中に維持されるＮＡＳ状態のサブセットも、ＥＣＭ非アクティブ状態のサポートにおいて維持されることができる。例えば、ＷＴＲＵは、ＴＡＩリスト、ＷＴＲＵ  ＩＰアドレス、および使用されたＡＰＮ−ＡＭＢＲ（ＵＬ）のうちの少なくとも１つを維持することができる。ＥＣＭ−ＣＯＮＮＥＣＴＥＤ状態に移行するときに保たれるＮＡＳ状態のサブセットも、ＷＴＲＵによって維持されることができる。例えば、ＷＴＲＵは、ＴＦＴ、ＱＣＩおよびＥＰＳベアラＩＤなど、トランスポートベアラの構成の１または複数の態様を維持することができる。
【０１５９】
以下で説明されるように、ＷＴＲＵは、ＲＲＣプロトコルに関連する追加の状態情報を維持することができる。
【０１６０】
ＥＣＭ非アクティブ状態のサポートにおいて維持される情報は、ＥＣＭ非アクティブ状態のＬ３モデル化に、例えば、それが過渡状態を表すか、それともアクティブに送信している場合でさえもＷＴＲＵがとどまることができる定常状態を表すかに依存することができる。維持される情報または態様は、そのような動作モードを使用する場合にＬ２トランスポートのために使用されるモデル化に依存することができる。例えば、関連する情報は、ユーザプレーンデータをトランスポートするために、専用ＥＰＳベアラが使用されるか、それとも共用ＥＰＳベアラが使用されるかに依存することができる。
【０１６１】
ＷＴＲＵは、ＥＣＭ接続状態からＥＣＭ非アクティブ状態に遷移することができる。ある実施形態では、この遷移は、１または複数のイベントに応答して、発生する（すなわち、トリガされる）ことができる。１つのイベントは、ｅＮＢからのシグナリングの受信など、ネットワーク制御されるイベントとすることができる。例えば、ｅＮＢは、ＷＴＲＵによる低アクティビティ、または非アクティビティの期間を検出することができる。ＷＴＲＵは、Ｌ３／ＮＡＳシグナリングなどの制御シグナリングを受信した場合、ＥＣＭ非アクティブ状態に遷移することができる。ある実施形態では、そのようなシグナリングは、ＲＲＣ非アクティブ状態への遷移も追加的にトリガすることができる。言い換えると、ＥＣＭとＲＲＣは、直接的な関係を有することができる。
【０１６２】
ＷＴＲＵは、ＲＲＣ非アクティブ状態またはそれのためのシグナリングに応答して、ＥＣＭ接続状態からＥＣＭ非アクティブ状態に遷移することができる。ＷＴＲＵは、それがＲＲＣ非アクティブ状態に移行することができると決定した場合、ＥＣＭ非アクティブ状態に自律的に遷移することができる。例えば、ＷＴＲＵは、ＲＲＣ接続を解放するＬ３シグナリングなど、制御シグナリングを受信することができる。そのようなシグナリングは、ＷＴＲＵが、ＥＣＭ−ＩＤＬＥ状態の代わりに、ＥＣＭ非アクティブ状態に移行することができることを示す表示を含むことができる。
【０１６３】
ＷＴＲＵは、ＥＣＭ非アクティブ状態からＥＣＭ接続状態に遷移することができる。ある実施形態では、この遷移は、ＲＲＣ接続状態またはそれのためのシグナリングに応答して、発生することができる。言い換えると、ＥＣＭとＲＲＣは、直接的な関係を有することができる。例えば、ＷＴＲＵは、それがＲＲＣ接続状態にあると決定した場合、ＥＣＭ接続状態に遷移することができる。
【０１６４】
ＷＴＲＵは、ＷＴＲＵがＮＡＳサービス要求を開始したのに応答して、ＥＣＭ非アクティブ状態からＥＣＭ接続状態に遷移することができる。例えば、ＷＴＲＵは、それが、セカンダリレイヤアクセス原理に適用可能ではないサービスのためのＮＡＳサービス要求を実行した場合、ＥＣＭ接続状態への遷移を開始することができる。
【０１６５】
ＷＴＲＵは、ＥＣＭ非アクティブ状態からＥＣＭアイドル状態に遷移することができる。ある実施形態では、この遷移は、ＲＲＣアイドル状態またはそれのためのシグナリングに応答して発生し得る。言い換えると、ＥＣＭとＲＲＣは、直接的な関係を有することができる。
【０１６６】
ＷＴＲＵは、非アクティビティタイマの満了に応答して、ＥＣＭ非アクティブ状態からＥＣＭアイドル状態に遷移することができる。そのようなタイマは、ＷＴＲＵがＥＣＭ非アクティブ状態に入ったときに最初に開始されることができる。非アクティビティタイマは、ＷＴＲＵがプレゼンス通知／ルーティング更新手順を正常に完了した場合、またはＷＴＲＵが送信を正常に実行した場合、再始動されることができる。
【０１６７】
ＷＴＲＵは、例えば、新しいＲＲＣ状態または新しい状態遷移の実施によって、増強されることができる。ＷＴＲＵは、階層化された接続性原理に従って接続性をサポートすることができ、セカンダリ接続を用いて並列的に動作するように構成されることができる。サポートは、ｅＮＢとのＷＴＲＵ能力交換において示されることができる。例えば、ＲＲＣアイドルおよびＲＲＣ接続状態に加えて、ＲＲＣ非アクティブ状態は、本明細書で開示されるマルチレイヤ接続性および他の原理をサポートすることができる。
【０１６８】
新しいＲＲＣ状態は、ＷＴＲＵおよび／または関係するＥＰＳベアラのための確立されたＳ１シグナリング接続およびＳ１ベアラが存在する間、ＷＴＲＵが、（例えば、増強されたモードで）動作することを可能にすることができる。動作は、関連するＲＲＣ接続および構成されたＤＲＢを用いて、および用いずに可能にされることができる。ＲＲＣ接続が存在しない場合、ＷＴＲＵは、例えば、プレゼンス通知または経路更新手順によって、ネットワークがＳ１接続を管理することを可能にする１または複数の手順を実施することができる。待ち時間は、そのような動作モードを可能にすることによって、短縮されることができる。例えば、待ち時間は、ネットワークとＷＴＲＵが、長期にわたる送信非アクティビティの間でさえも、有効なセキュリティアソシエーション／コンテキストおよび有効なベアラ構成をそれによって維持する動作モードを可能にすることによって、短縮されることができる。
【０１６９】
ＷＴＲＵは、新しい状態と関連付けられた１または複数の手順を実行するための構成を使用して、新しいＲＲＣ状態、例えば、ＲＲＣ非アクティブ状態を実施することができる。例示的な構成は、アップリンク同期チャネルのためのパラメータを、そのようなチャネルが定義される場合、含むことができる。構成は、ＲＲＣ非アクティブ状態において利用可能なリソース、例えば、ＣＢ−ＰＵＳＣＨなどのリソース、同期チャネルのためのリソースの動的スケジューリングのためのスケジューリングパラメータ、例えば、ＲＮＴＩを含むことができる。構成は、Ｌ３接続識別情報を含むことができる。構成は、セキュリティコンテキストおよび識別情報を含むことができる。
【０１７０】
新しいＲＲＣ状態、例えば、ＲＲＣ非アクティブ状態は、ＲＲＣ接続が再開され得るように、またはＬ２トランスポート経路がＷＴＲＵとネットワークＳ１−ｕエンドポイントとの間でひとたび再確立されると、先のＲＲＣ接続から状態の少なくともいくつかを再使用する新しいＲＲＣ接続が、確立され得るように、維持されることができる。これは待ち時間を短縮することができる。
【０１７１】
新しい状態は、ＣＯＮＮＥＣＴＥＤ状態に類似したベアラ構成を維持することができる。そのような状態は、トランスポートベアラの構成のために有益な態様、例えば、ＥＰＳベアラＩＤを含むことができる。そのような状態は、無線ベアラ（ＳＲＢおよび／またはＤＲＢ）の構成のために有益な１または複数の態様も含むことができる。
【０１７２】
ＲＲＣ非アクティブ状態のサポートにおいて維持される情報／態様は、ＲＲＣ非アクティブ状態のＬ３モデル化に、例えば、それが過渡状態を表すか、それともアクティブに送信している場合でさえもＷＴＲＵがとどまることができる状態を表すかに依存することができる。例えば、過渡状態は、例えば、データの送信を開始するときにＣＯＮＮＥＣＴＥＤに遷移することによって、非アクティブからＣＯＮＮＥＣＴＥＤへの遷移をスピードアップすることができる。定常または固定状態は、ＣＯＮＮＥＣＴＥＤ状態に速やかに遷移しないことがある。維持される情報または態様は、そのような動作モードを使用する場合にＬ２トランスポートのために使用されるモデル化に依存することができる。例えば、関連する情報は、ユーザプレーンデータをトランスポートするために、専用ＥＰＳベアラが使用されるか、それとも共用ＥＰＳベアラが使用されるかに依存することができる。
【０１７３】
新しい状態、例えば、非アクティブ状態は、ＡＳセキュリティコンテキストを含むことができる。ＡＳセキュリティコンテキストは、新しい鍵を導出するために、再開するコンテキストとして、または共用されるベアラの検討のために、使用されることができる。
【０１７４】
新しい状態、例えば、非アクティブ状態は、ＥＣＧＩ（セルグループ識別情報）を含み得る。ＥＣＧＩは、そのような動作モードのためのトランスポートレイヤ接続性の維持のモデル化が、セル（またはｅＮＢ）レベルにおけるＷＴＲＵのロケーションの知識に基づく場合、有益であり得る。そのような場合、ＷＴＲＵは、例えば、プレゼンス通知／ルーティング更新手順を使用して、更新されたＬ２トランスポートを保つことができる。
【０１７５】
新しい状態、例えば、非アクティブ状態は、有効な無線ネットワーク一時識別子（ＲＮＴＩ）またはＣ−ＲＮＴＩなど、スケジューリングに関連するいくつかの態様を含むことができる。例えば、ＲＮＴＩは、コンテンションを使用する共用リソース上での送信のために使用されることができる（例えば、コンテンションベースのＰＵＳＣＨ送信のためのＣＢ−ＲＮＴＩ）。ＷＴＲＵは、適用可能なデータの送信のためにセカンダリレイヤ接続性を使用してセルのリソースにアクセスするために、そのようなＲＮＴＩを使用することができる。
【０１７６】
新しい状態、例えば、非アクティブ状態は、物理レイヤ構成に関連する態様を含むことができる。
【０１７７】
新しい状態、例えば、ＲＲＣ非アクティブ状態への状態遷移、および新しい状態からの状態遷移は、上述された対応する新しいＥＣＭ状態（例えば、ＥＣＭ非アクティブ状態）のためのものと同じまたは類似のロジックに従うことができる。ある実施形態では、ＥＣＭ非アクティブ状態への／からの遷移のためのものと同じトリガが、ＲＲＣ非アクティブ状態への／からの遷移に対して適用可能であり得る。
【０１７８】
ＷＴＲＵは、ＲＲＣ接続状態からＲＲＣ非アクティブ状態に遷移することができる。ある実施形態では、この遷移は、ｅＮＢからのシグナリングの受信など、ネットワーク制御に応答して発生し得る。例えば、ＷＴＲＵは、ＲＲＣ接続を解放する、Ｌ３シグナリングなどの制御シグナリングを受信することができる。そのようなシグナリングは、ＷＴＲＵが、ＲＲＣ  ＩＤＬＥ状態の代わりに、ＲＲＣ非アクティブ状態に移行することができることを示す表示を含むことができる。
【０１７９】
ＷＴＲＵは、ＲＲＣ非アクティブ状態からＲＲＣ接続状態に遷移することができる。ある実施形態では、この遷移は、新しいサービス要求に応答して発生し得る。ＷＴＲＵは、セカンダリ接続性を使用する送信に対して関連するデータが適用可能でない新しいサービスが、上位レイヤによって要求された場合、ＲＲＣ  ＣＯＮＮＥＣＴＥＤへの遷移を開始することができる。これは、例えば、そのような新しいサービスがＮＡＳサービス要求をトリガした場合に発生し得る。
【０１８０】
ＷＴＲＵは、ＵＬデータ到着に応答して、ＲＲＣ非アクティブ状態からＲＲＣ接続状態に遷移することができる。ＷＴＲＵは、セカンダリ接続性を使用する送信に対して適用可能でない新しいデータが、ＷＴＲＵのバッファにおいて利用可能になった場合、ＲＲＣ  ＣＯＮＮＥＣＴＥＤへの遷移を開始することができる。これは、例えば、そのようなデータがＢＳＲをトリガした場合に発生し得る。
【０１８１】
ＷＴＲＵは、ＤＬデータ到着に応答して、ＲＲＣ非アクティブ状態からＲＲＣ接続状態に遷移することができる。ＷＴＲＵは、それがＲＲＣ接続を確立することができることを示す表示をネットワークから受信した場合、ＲＲＣ  ＣＯＮＮＥＣＴＥＤへの遷移を開始することができる。そのような表示は、ページング受信に基づくことができる。明示的な表示が、ページングメッセージ内に存在することができる。表示は、各レイヤのためのページング機会の別個のセットにも基づくことができる。表示は、特定のＲＮＴＩを使用してランダムアクセスを実行する順序（例えば、ランダムアクセス順序のためのＤＣＩフォーマット１Ａ）など、（ｅ）ＰＤＣＣＨ受信にも基づくことができる。
【０１８２】
ＷＴＲＵは、ＴＡＵ要求に応答して、ＲＲＣ非アクティブ状態からＲＲＣ接続状態に遷移することができる。ＷＴＲＵは、それが、例えば、プライマリレイヤのための、ＴＡ手順を実行することができると決定した場合、ＲＲＣ  ＣＯＮＮＥＣＴＥＤへの遷移を開始することができる。
【０１８３】
ＷＴＲＵは、非アクティビティタイマに応答して、ＲＲＣ非アクティブ状態からＲＲＣ接続状態に遷移することができる。ＷＴＲＵは、非アクティビティタイマが満了したと決定した場合、ＲＲＣ  ＣＯＮＮＥＣＴＥＤへの遷移を開始することができる。そのようなタイマは、それが非アクティブ状態に入ったとき、または再び入ったときに、開始されることができる。タイマは、例えば、ＷＴＲＵがプレゼンス通知／ルーティング更新手順を正常に完了したとき、ＷＴＲＵが送信を正常に実行および／もしくは受信したとき、またはＷＴＲＵがセカンダリ接続に適用可能なダウンリンク制御シグナリングを正常に受信したとき、再始動されることができる。ＷＴＲＵは、ＣＯＮＮＥＣＴＥＤモードに遷移することができ、ネットワークは、ＷＴＲＵがＲＲＣ非アクティブまたはＲＲＣアイドルモードに遷移して戻ることができるかどうかを決定することができる。
【０１８４】
ＷＴＲＵは、プレゼンス通知／ルーティング更新に応答して、ＲＲＣ非アクティブ状態からＲＲＣ接続状態に遷移することができる。ＷＴＲＵは、例えば、手順がＲＲＣ接続の確立を要求したときに、それがプレゼンス通知／ルーティング更新手順を実行することができると決定した場合、ＲＲＣ  ＣＯＮＮＥＣＴＥＤへの遷移を開始することができる。例えば、ＷＴＲＵは、ルーティングおよびＬ２接続性を最新に保つように構成されることができる。そのような維持は、セカンダリ接続を使用する送信のために、いずれかのデータが求められる前に、実行されることができる。
【０１８５】
ＷＴＲＵは、ＲＲＣ非アクティブ状態にとどまること、すなわち、ＲＲＣ非アクティブ状態からＲＲＣ非アクティブ状態へのループ遷移を行うことができる。ある実施形態では、このループ遷移は、セカンダリアクセスにとって適切なセルのセル選択または再選択に応答して発生し得る。セカンダリアクセスにとって適切なセルは、例えば、セカンダリアクセスをサポートするセル、セルのリスト内のセル、および／またはセカンダリアクセス構成が有効なエリアを定義するセルのグループ／セットの一部であるセルとすることができる。ＷＴＲＵは、セルの特性を決定することができる。決定は、ブロードキャストシステム情報、またはセカンダリアクセスの構成と一緒に受信されたセルについての情報に基づくことができる。
【０１８６】
ＷＴＲＵは、ＲＲＣ非アクティブ状態にとどまること、すなわち、ＲＲＣ非アクティブ状態からＲＲＣ非アクティブ状態へのループ遷移を行うことができる。ある実施形態では、このループ遷移は、非アクティビティタイマが動作している間に、発生することができる。タイマは、ＷＴＲＵが非アクティブ状態に入ったとき、または再び入ったときに、開始され得る。タイマは、例えば、ＷＴＲＵがプレゼンス通知／ルーティング更新手順を正常に完了したとき、ＷＴＲＵが送信を正常に実行および／もしくは受信したとき、またはＷＴＲＵがセカンダリ接続に適用可能なダウンリンク制御シグナリングを正常に受信したとき、再始動され得る。
【０１８７】
ＷＴＲＵは、ＲＲＣ非アクティブ状態からＲＲＣアイドル状態に遷移することができる。ある実施形態では、この遷移は、有効性の失効、すなわち、セカンダリアクセスの構成の非有効性または構成の削除に応答して、発生することができる。より一般的には、ＷＴＲＵは、それがもはやセカンダリアクセスのための構成に従って動作しないと決定した場合、ＲＲＣ  ＩＤＬＥ状態に遷移することができる。
【０１８８】
ＷＴＲＵは、セル再選択の実行の失敗、フォワードモビリティ、プレゼンス通知／ルーティング更新、または階層化された接続性アクセスをサポートしないセルの選択に応答して、ＲＲＣ非アクティブ状態からＲＲＣアイドル状態に遷移することができる。ＷＴＲＵは、それがもはやセカンダリアクセスをサポートするセルにおいて動作しないと決定した場合、ＲＲＣ  ＩＤＬＥ状態に遷移することができる。
【０１８９】
ＷＴＲＵは、セカンダリアクセスを用いた動作の失敗に応答して、ＲＲＣ非アクティブ状態からＲＲＣアイドル状態に遷移することができる。ＷＴＲＵは、それが無線リンク品質が閾値を下回ったと決定した場合、それが無線リンク問題を経験した場合、ＤＬ  ＲＬＦ（例えば、ＨＡＲＱ失敗、Ｌ１同期外れ）が発生した場合、またはＵＬ  ＲＬＦ（例えば、ＨＡＲＱ再送の最大回数への到達、ＲＬＣ失敗、不成功のランダムアクセス）が発生した場合、ＲＲＣ  ＩＤＬＥ状態に遷移することができる。ＷＴＲＵは、それがアップリンク同期の獲得および／または維持に失敗したと決定した場合、ＲＲＣ  ＩＤＬＥ状態に遷移することができる。
【０１９０】
ＷＴＲＵは、非アクティビティタイマに応答して、ＲＲＣ非アクティブ状態からＲＲＣアイドル状態に遷移することができる。ＷＴＲＵは、それが非アクティビティタイマが満了したと決定した場合、ＲＲＣ  ＩＤＬＥ状態に遷移することができる。タイマは、ＷＴＲＵが非アクティブ状態に入ったとき、または再び入ったときに、開始されることができる。タイマは、ＷＴＲＵがプレゼンス通知／ルーティング更新手順を正常に完了したとき、ＷＴＲＵが送信を正常に実行および／もしくは受信したとき、またはＷＴＲＵがセカンダリ接続に適用可能なダウンリンク制御シグナリングを正常に受信したとき、再始動されることができる。
【０１９１】
ＷＴＲＵは、ＷＴＲＵが電源オフを開始したのに応答して、ＲＲＣ非アクティブ状態からＲＲＣアイドル状態に遷移することができる。
【０１９２】
ＷＴＲＵは、ＲＲＣ非アクティブ状態において、セルを選択または再選択することができる。これは、制御シグナリングを用いて発生することができる。例えば、ＷＴＲＵは、セカンダリアクセスを構成する制御シグナリング、および／またはそれがＲＲＣ  ＣＯＮＮＥＣＴＥＤからＲＲＣ非アクティブ状態への遷移を開始することができることをＷＴＲＵに示す制御シグナリングを受信することができる。そのような制御シグナリングは、この非アクティブ状態に対して適用可能なセルについての情報を含むことができ、それが、セル選択または再選択手順をもたらすことができる。例えば、制御シグナリングは、情報要素内に存在することができる。情報要素は、例えば、ｉｄｌｅＭｏｄｅＭｏｂｉｌｉｔｙＣｏｎｔｒｏｌＩｎｆｏに類似することができる。情報要素は、セル再選択手順のためのプライオリティ情報を示すことができる。
【０１９３】
ある実施形態では、ＷＴＲＵは、選択されたセルがセカンダリレイヤアクセスを、および／またはＥＣＭ／ＲＲＣ非アクティブ状態にあるＷＴＲＵをサポートするかどうかを、セル再選択手順中（または後）に決定するために示される、プライオリティを使用することができる。セルがそのアクセスタイプをサポートしない場合、ＷＴＲＵは、別の状態、例えば、ＲＲＣ−ＩＤＬＥへの遷移を開始することができる。これは、タイマがセカンダリレイヤ構成を無効にした場合に発生し得る。セルがそのアクセスタイプをサポートしない場合、ＷＴＲＵは、ＣＯＮＮＥＣＴＥＤ状態への遷移を開始することができる。そのような場合、ＷＴＲＵは、セカンダリレイヤアクセスを用いないように明示的に再構成され得る。
【０１９４】
ＷＴＲＵは、ｅＮＢの制御下で無線リソースにアクセスするために、セカンダリレイヤ（例えば、セカンダリＲＲＣ接続）において、ｅＮＢと制御シグナリングを交換することができる。無線リソースは、例えば、ゲートウェイへのユーザデータの送信、および／またはゲートウェイからのユーザデータの受信のために、並びにプロキシＭＭＥへの制御情報の送信、および／またはプロキシＭＭＥからの制御情報の受信のために、利用されることができる。
【０１９５】
制御シグナリングは、セカンダリレイヤのための制御プレーン接続を確立することができる。セカンダリＲＲＣ接続は、プライマリレイヤにおけるいずれのＲＲＣ接続とも独立して、存在することができ、例えば、それは、ＷＴＲＵがプライマリレイヤにおいてＲＲＣ  ＩＤＬＥモードにある場合でさえ、存在することができる。
【０１９６】
セカンダリＲＲＣ接続は、アクセスされ得るリソースおよび関連するパラメータを決定するために、ＷＴＲＵおよびｅＮＢによって維持されるセカンダリＲＲＣ構成と関連付けられ得る。リソースおよびパラメータは、そのようなプロトコルがセカンダリレイヤにおいて利用される場合、物理レイヤ（例えば、電力制御、リファレンス信号および／または物理チャネル構成のために）、ＭＡＣ、並びにＲＬＣおよびＰＤＣＰに関することができる。セカンダリＲＲＣ構成は、データの送信および受信のための論理チャネル、並びに制御情報の送信および受信のための論理チャネルを可能にし得る。情報がそこに宛てられるまたはそこから発信される各ネットワークエンティティに対して、制御情報の送信および受信のための論理チャネルが存在し得る。
【０１９７】
ＷＴＲＵは、プライマリレイヤにおけるＲＲＣ接続の確立に類似した手順を使用して、セカンダリＲＲＣ接続を確立することができる。セカンダリＲＲＣメッセージは、ＷＴＲＵとゲートウェイおよび／またはプロキシＭＭＥなどの別のネットワークエンティティとの間の通信のためのペイロードを含むことができる。ペイロードは、ｅＮＢによって解釈されることなく、例えば、メッセージの一部として含まれる識別情報またはアドレスに基づいて、ネットワークエンティティに転送される、またはネットワークエンティティから転送されることができる。
【０１９８】
ＷＴＲＵは、ネットワークからの、またはプライマリレイヤにおける無線リンク障害の検出のために使用されるものに類似した基準を使用する無線リンク障害の検出からのシグナリング（例えば、明示的なシグナリング）に基づいて、セカンダリＲＲＣ接続を解放することができる。ＷＴＲＵは、タイマが満了した場合、セカンダリＲＲＣ接続を自律的に解放することができる。タイマは、ＷＴＲＵが制御情報またはデータを受信または送信した場合、開始または再始動され得る。セカンダリＲＲＣ接続を解放すると、ＷＴＲＵは、関連するＲＲＣ構成を解放することができる。
【０１９９】
ＷＴＲＵは、セカンダリＲＲＣ接続の確立を要求する初期メッセージの一部として、またはセルにアクセスするための特定のリソース（例えば、ＰＲＡＣＨプリアンブル）の選択によって暗黙的に、能力（例えば、最大帯域幅、データレート、アンテナポートおよび／またはサポートされる特徴）の表示を提供することができる。表示は、テーブルエントリに対するインデックスを含むことができる。選択されたインデックスは、ＷＴＲＵがそれについての１もしくは複数の能力または全ての能力を満たすエントリのサブセットの中で、最も高い能力に対応するものであり得る。この手法は、ｅＮＢが、ＷＴＲＵとｅＮＢとの間、またはプロキシＭＭＥとｅＮＢとの間で大量のシグナリング交換を行わずに、ＷＴＲＵにとって適切な構成を迅速に決定することを可能にすることができる。テーブルは事前定義され得る。テーブルは、（例えば、プライマリレイヤにおける）ＭＭＥによるセカンダリレイヤの構成のセットアップ時に、提供されることができる。
【０２００】
制御シグナリングは、ＷＴＲＵとｅＮＢとの間のステートレスな要求−応答タイプのシグナリングを含むことができる。
【０２０１】
例えば、そのようなシグナリングは、例えば、異なるセルのリソースを使用した最後の送信以降、またはいずれのセルにおいてもある長さの時間にわたって、データおよび／または制御プレーンシグナリングのためのいかなる送信もその中で実行したことのないセルに入ったＷＴＲＵが、ＷＴＲＵのロケーションをネットワークに決定させることができるように、本明細書で開示されるようなプレゼンス通知要求および／または手順を含むことができる。
【０２０２】
シグナリングは、ＷＴＲＵがアクセスされ得るリソースおよび関連するパラメータを用いて構成されることができるように、専用リソース構成要求を含むことができる。リソースおよびパラメータは、そのようなプロトコルがセカンダリレイヤにおいて利用される場合、物理レイヤ（例えば、電力制御、リファレンス信号および／または物理チャネル構成のために）、ＭＡＣ、並びにＲＬＣおよびＰＤＣＰに関することができる。例えば、ＷＴＲＵは、ＷＴＲＵが、（存在する場合は）共通の、セル固有のリソースにアクセスするための有効な構成を、セカンダリレイヤのための（例えば、エリア固有の構成もしくはセル固有の構成のための）初期構成において、または関係するセルのための（例えば、セル固有の構成のための）ブロードキャストチャネル上で受信されたものとして有さない場合、要求を実行することができる。
【０２０３】
シグナリングは、例えば、ＲＬＣ／ＭＡＣ上でのｅＮＢに向けたシグナリングのための、（例えば、セキュリティアクティブ化を行わないＣＣＣＨ論理チャネル上での）ＳＲＢ０などの共通制御チャネルを使用して交換され得る。そのようなシグナリングは、認証目的のために、ショートＭＡＣ−Ｉを含むことができる。
【０２０４】
そのようなシグナリングは、例えば、ＷＴＲＵがそのような構成を受信した時から、ＷＴＲＵがその構成がもはや有効であることができないと決定することができるまで、１または複数の構成態様に取って代わることができる。ＷＴＲＵは、それが異なるセルを選択した場合、それがプレゼンス通知手順を実行した場合、および／またはある時間期間が経過した後、構成がもはや有効ではないと決定することができる。
【０２０５】
ＷＴＲＵは、それのセカンダリ接続のためのＷＴＲＵ固有のパラメータを（例えば、プレゼンス通知の送信の後に続いて）、および／またはそれのセカンダリ接続のためのセル固有のパラメータを受信することができる。一実施形態では、ＷＴＲＵは、それのセカンダリ接続性のための１または複数の構成態様を、システム情報ブロードキャストの一部として受信することができる。１つの構成態様は、セカンダリ接続性についてのサポートの表示を含むことができる。例えば、ＷＴＲＵは、例えば、受信されたシステム情報内のシステム情報ブロック（ＳＩＢ）の存在から、そのような接続性に関連する情報の存在を検出することによって、セルがセカンダリ接続性をサポートすると決定することができる。別の構成態様は、デフォルトの物理レイヤ構成とすることができる。別の構成態様は、コンテンションベースのアクセスのための構成パラメータ、例えば、コンテンションベースのＰＵＳＣＨのためのＣＢ−ＲＮＴＩとすることができる。別の構成態様は、セル固有のアップリンク同期チャネルのための構成パラメータとすることができる。
【０２０６】
Ｌ２／ＰＨＹアクセス手順は、プライマリレイヤにおいて、ＲＲＣ状態とは独立に実行され得る。ユーザプレーンの場合、本明細書で説明される技法は、ユーザプレーンデータの送信が、ＲＲＣ状態とは独立に、例えば、ＲＲＣ接続を用いずに発生するように、デプロイされることができる。技法は、おそらくはＳ１接続を含む、Ｌ２トランスポート経路が、例えば、本明細書で説明される技法を使用して、必要に応じて再確立または更新されることができるように、デプロイされることもできる。
【０２０７】
Ｌ２プロトコルは、シングルコネクティビティまたはデュアルコネクティビティの拡張として、モデル化されることができる。シングルコネクティビティの拡張としてのモデル化に関して、一実施形態では、ＷＴＲＵは、シングルコネクティビティレイヤを用いて任意の与えられた時間にアクティブであり得る。例えば、ＷＴＲＵは、それがセカンダリ接続性のために構成され得る間、プライマリレイヤにおいてＩＤＬＥモードであることができる。この場合、ＷＴＲＵは、ダウンリンク受信およびアップリンク送信のために、ＨＡＲＱプロセスの単一のセットを用いる単一のＭＡＣエンティティを実施することができる。例示的な実施では、ＲＲＣ非アクティブからＲＲＣ  ＣＯＮＮＥＣＴＥＤモードへの遷移は、例えば、ＲＬＣがリセットされることができ、ＰＤＣＰが再確立されることができ、ＭＡＣがリセットされることができる、Ｌ２プロトコルのためのハンドオーバに類似した挙動をトリガすることができる。そのようなＬ２再構成は、ＲＲＣ接続の確立の完了後にベアラが再開された場合など、ＰＤＣＰ  ＳＲの送信も含むことができる。別の例では、ＷＴＲＵは、それがＲＲＣ非アクティブからＲＲＣ  ＣＯＮＮＥＣＴＥＤモードへの遷移を実行する場合、ＲＲＣ接続を確立する前に、ＲＲＣ  ＩＤＬＥモードに最初に遷移することができる。
【０２０８】
デュアルコネクティビティの拡張としてのモデル化に関して、ＷＴＲＵは、同時に複数のレイヤを用いてアクティブであることができる。例えば、ＷＴＲＵは、それがセカンダリ接続性のために構成され得る間、プライマリレイヤにおいてＲＲＣ  ＣＯＮＮＥＣＴＥＤモードであることができる。ＷＴＲＵは、ダウンリンク受信およびアップリンク送信のために、各々がＨＡＲＱプロセスの独自のセットを用いる、レイヤ毎に１つのＭＡＣエンティティを実施することができる。ＷＴＲＵは、単一のレイヤを用いるようにＷＴＲＵを再構成する制御シグナリングを受信することができ、その場合、ＷＴＲＵは、セカンダリ接続と関連付けられた適用可能なベアラおよびＭＡＣエンティティを除いて、Ｌ２プロトコルのためのハンドオーバ挙動に類似した挙動をトリガすることができる。
【０２０９】
トランスポートレイヤ接続性は、維持されることができる。一実施形態では、セカンダリ接続性および待ち時間短縮利益は、ネットワークがそれによって非アクティブなＷＴＲＵのためのデータ経路を維持するモード動作によって実現されることができる。Ｌ２トランスポートは、（ＲＡＮにおいてＸ２転送を用いる、または用いない）専用Ｓ１トランスポート、および（ＲＡＮにおいてＸ２転送を用いる、または用いない）共用Ｓ１トランスポートのうちの１または複数に従って、実現されることができる。
【０２１０】
データ経路は、セル、ｅＮＢまたは複数のそれら、例えば、トラッキングエリア（ＴＡ）の粒度のＷＴＲＵのロケーションに関して、管理されることができる。粒度は、ネットワークがＷＴＲＵのロケーションをいかにして追跡するかに依存することができる。粒度は、ＷＴＲＵのロケーション情報を獲得するために使用される方法に依存することができる。例えば、ネットワークは、１または複数の方法に従って、ＷＴＲＵのロケーションを知らされることができる。ロケーションを決定する第１の方法は、定期的であるかどうかに関わらず、ＷＴＲＵからのキープアライブ信号の送信に基づくことができる。ロケーション決定は、例えば、セルを変更するごとの、ＷＴＲＵ登録手順にも基づくことができる。セル変更は、フォワードハンドオーバメカニズムを使用するＷＴＲＵの自律的モビリティの結果、または異なるセルの選択をもたらすセル再選択手順の結果とすることができる。ロケーション決定は、例えば、ＷＴＲＵが送信すべきデータを有する場合、プレゼンス通知／ルーティング更新手順にも基づくことができる。ロケーション決定は、トラッキングエリア更新（ＴＡＵ）にも基づくことができる。技法に関わらず、結果の情報は、所与のＷＴＲＵへのデータ、または所与のＷＴＲＵからのデータについてのルーティングを更新するために、ネットワークによって使用されることができる。
【０２１１】
ルーティングは、ＳＣＧベアラを用いるシングルコネクティビティ（ＳＣ）またはデュアルコネクティビティ（ＤＣ）の原理を適用することによって、ＣＮルーティング、例えば、Ｓ１終端に基づいて、実現され得る。例えば、ネットワークは、Ｓ１シグナリング接続（Ｓ１−Ｃ）および１または複数のＳ１ベアラ（Ｓ１−Ｕ）を含むことができる、Ｓ１接続を更新する。
【０２１２】
ルーティングは、ＭＣＧベアラを用いるシングルコネクティビティ（ＳＣ）またはデュアルコネクティビティ（ＤＣ）の原理を適用することによって、ＲＡＮルーティング、例えば、Ｘ２トンネリングに基づいて、実現され得る。例えば、ＷＴＲＵは、ＭｅＮＢと関連付けられたＲＲＣコンテキストを維持する。これは、アクティブか、非アクティブか、それとも断続的にアクティブかに関わらず、ＭＭＥおよびコアネットワークからＷＴＲＵの接続性の多くを隠すことができる。ＤＣの原理に従って、ＷＴＲＵのためのＳ１−ｃは、ＭｅＮＢにおいて終端されたままであることができる。Ｓ１を維持しながらＸ２接続性を更新および管理するための方法は、ネットワークトポロジ、例えば、ＤＣアーキテクチャ１Ａ対３Ｃに対応することができる。
【０２１３】
ＷＴＲＵは、セカンダリレイヤにおけるそれのプレゼンスまたはロケーションをネットワークに知らせることができる。ネットワークは、通知を受信することができ、ＷＴＲＵのためのルーティングを更新することができる。
【０２１４】
プレゼンス通知は、手順、アップリンクにおいてＷＴＲＵによって送信されるメッセージ、および／またはアップリンクにおいてＷＴＲＵによって送信されるデータとすることができる。プレゼンス通知は、ＷＴＲＵがその上にキャンピング、またはそれに接続されることができるセルを示すことができる。ＷＴＲＵは、それのセカンダリレイヤ接続性のためにアクセス可能であり得るセルを報告することができる。
【０２１５】
ネットワークは、セカンダリレイヤに適用可能なデータについてのダウンリンクデータ到着の場合に、ＷＴＲＵにいかにして到達すべきかをそれが決定することができるように、プレゼンス通知内で受信された情報を使用および／または記憶することができる。ネットワークは、ルーティング更新および／または経路更新を開始するために、ＷＴＲＵによって受信されたプレゼンス通知を使用することができる。ＷＴＲＵのためのユーザデータのトランスポートは、ＷＴＲＵとゲートウェイとの間で可能とすることができる。
【０２１６】
プレゼンス通知は、ゲートウェイとｅＮＢとの間のトンネルのセットアップを開始するために、ｅＮＢによって使用されることができる。プレゼンス通知は、ＷＴＲＵのロケーション（例えば、ロケーションエリアもしくはトラッキングエリア）についてネットワークを更新するために、または適切なルーティングのためにゲートウェイにＩＰメッセージを送信するために使用されることができる。
【０２１７】
アップリンクデータ送信の場合、ＷＴＲＵは、アップリンクデータ送信を実行するために、および／または例えば、アップリンクデータ送信と同時もしくはその前に、ネットワーク内においてルーティング情報を更新するために、プレゼンス通知を使用することができる。
【０２１８】
プレゼンス通知は、例えば、アップリンクデータが、例えば、セカンダリレイヤにマッピングされるサービスのために到着した場合に、ＷＴＲＵによってトリガされることができる。ＷＴＲＵは、セカンダリレイヤに適用可能なモビリティイベントの結果として、プレゼンス通知をトリガすることができる。モビリティイベントは、ＷＴＲＵ自律の、例えば、セル選択または再選択とすることができる。モビリティイベントは、新しいターゲットセルの選択を含むことができる。モビリティイベントは、ＷＴＲＵがその上にキャンピングされた、またはそれに接続された最後のセルとは異なるエリアに属することができる、新しいターゲットセルの選択を含むことができる。エリアは、トラッキングエリア、サービングゲートウェイエリア、ＭＭＥライトエリア、および／または定義されることができる他の任意のエリアに対応することができる。
【０２１９】
プレゼンス通知は、ダウンリンク開始された要求、例えば、ページング、またはダウンリンクデータもしくは任意のルーティング更新要求メッセージの受信の結果として、ＷＴＲＵによってトリガされることができる。
【０２２０】
プレゼンス通知は、ｅＮＢ上でのダウンリンクデータ受信の結果として、例えば、セル内のＷＴＲＵについてのセカンダリレイヤのための最初の送信の場合、またはある長さの時間が経過して以降のセル内のＷＴＲＵについてのセカンダリレイヤのための最初の送信の場合、ＷＴＲＵによってトリガされることができる。プレゼンス通知は、ＷＴＲＵが、ＷＴＲＵのロケーションがネットワークに知られる結果をもたらす手順をまだ実行していない場合、例えば、少なくともある長さの時間が経過して以降まだ実行していない場合、トリガされることができる。
【０２２１】
プレゼンス通知は、ＷＴＲＵ固有の識別子、認証トークン（例えば、ショートＭＡＣ−Ｉ）、および／またはＷＴＲＵ内に記憶されたゲートウェイトンネルエンドポイントＩＤ（ＴＥＩＤ）を含むことができる。プレゼンス通知は、最後に接続されたＭＭＥ（もしくはプロキシＭＭＥ）もしくはゲートウェイの識別情報（例えば、ＧＷ  ＩＤ）、またはゲートウェイアドレスを含むことができる。この情報は、ロケーションエリア更新（例えば、トラッキングエリア）またはゲートウェイエリア更新の検出時に、プレゼンス通知内に収めて送信されることができる。プレゼンス通知は、メッセージがトリガされた理由（例えば、ＵＬデータ送信、ネットワークからの経路更新要求、ＤＬデータ送信のためのネットワークからの経路更新要求、および／またはＤＬデータの受信）の表示を含むことができる。プレゼンス通知は、モバイルＩＰバインディング更新メッセージを含むことができる。プレゼンス通知は、ＡＰＮアドレスを含むことができ、そのため、ネットワークは、ＡＰＮを用いるＧＴＰ−Ｕを生成することができる。
【０２２２】
プレゼンス通知メッセージは、ネットワークに送信される制御メッセージ、および／またはｅＮＢに（例えば、直ちに）送信され得るデータを含むことができる。ＵＬメッセージは、サービングｅＮＢに通知し、経路通知／更新を実行することができる、ＲＲＣメッセージに対応することができる。ＲＲＣ接続要求は、要求の理由を示し、本明細書で開示される情報のいくつかを提供し、ＷＴＲＵが経路更新を実行していることを示すことができる。
【０２２３】
ＭＡＣ制御要素は、このＵＬ送信／通知を開始するために、使用され得る。接続要求ＭＡＣ制御要素は、ＷＴＲＵがデータを開始したいこと、および／または経路更新を実行したいことを示すために、使用され得る。例えば、ＭＡＣ制御要素は、ＷＴＲＵに提供される利用可能なゲートウェイトンネルエンドポイントＩＤ、および／またはゲートウェイ（ＧＷ）識別情報を含むことができる。（例えば、プロキシＭＭＥに送信される）ＮＡＳメッセージは、この情報を提供し、経路更新を実行するために、使用され得る。ＩＰメッセージが使用され得る。情報をどこにルーティングすべきかをｅＮＢに知らせるために、いくつかの情報が、Ｌ２メッセージに追加され得る。
【０２２４】
ＷＴＲＵは、選択されたｅＮＢへのＵＬデータ送信を開始することができる。受信ＧＷは、ＷＴＲＵを識別することができ、データがどのＧＷにルーティングされ得るかを知ることができる。ＷＴＲＵは、ＵＬデータと一緒に、ｅＮＢへの情報のいくつかを示すことができ、それらは、ＧＷ  ＴＥＩＤ、および／またはＧＷ  ＩＤもしくはゲートウェイアドレスを含むことができる。この情報は、ＭＡＣヘッダ内に収めて運ばれることができ、またはより高位のレイヤの信号内にカプセル化されることができる。ＷＴＲＵは、ネットワークからの確認メッセージが受信されるまで、この情報をそれのＵＬデータ送信のいずれか（または全て）に追加することができる。ＷＴＲＵは、１または複数の初期データ送信とともにこの情報を送信し、その後、通常のデータ送信を続行することができる。ＵＬデータが利用可能でない場合、これは、ダミーＵＬパケットの送信によって実行されることができる。
【０２２５】
ＵＬ開始されるデータ送信の場合、ＷＴＲＵは、ＵＬデータ送信を開始および／または続行することができる。ＷＴＲＵは、ＵＬデータ送信を続行する前に、経路切り換え（例えば、バインディング）が実行された旨のネットワークからの応答を待つことができる。ＷＴＲＵは、それがｅＮＢへの接続を有する限り、またｅＮＢがそれに止めるように告げるまで、ＵＬデータ送信を続行することができる。
【０２２６】
図３は、プレゼンス通知のための例示的な呼フローを示している。ターゲットｅＮＢは、プレゼンス通知（例えば、経路切り換え要求）メッセージを受信することができ、ＵＬ送信がネットワークに既に接続されていることができるＷＴＲＵについての経路切り換えメッセージに対応することができると決定することができる。これは、ゲートウェイとのルーティング更新またはトンネル確立手順を開始するように、ｅＮＢをトリガすることができる。
【０２２７】
メッセージ内で受信された情報を使用するターゲットｅＮＢは、それのサービングＧＷまたはそれのＭＭＥ（もしくはプロキシＭＭＥ）と交信し、ＷＴＲＵを識別するためにＧＷトンネルエンドポイントＩＤ（ＴＥＩＤ）を提供することができ、ＷＴＲＵによって提供されたＭＭＥ（もしくはプロキシＭＭＥ）ＩＤまたはＧＷ  ＩＤを含むことができる。この情報は、例えば、ゲートウェイへの新しい制御メッセージ（例えば、経路更新要求）上で、ゲートウェイに提供されることができる。経路更新要求は、以前の接続上でＷＴＲＵとともに確立されたベアラに対して割り当てられた（例えば、ＵＬプレゼンスインジケータ内で提供される）ＧＷ  ＴＥＩＤを含むことができる。ｅＮＢは、与えられたＷＴＲＵに対して任意の後続ＤＬデータを送信するために使用され得るｅＮＢトンネルエンドポイントＩＤを作成し、経路更新要求メッセージ内に収めて提供することができる。
【０２２８】
経路切り換え要求メッセージの受信時に、ＧＷは、それのルーティングテーブルまたはトンネルＩＤエンドポイントを更新し、そのＷＴＲＵに送信されるいずれの後続メッセージに対しても、それらを使用することができる。ＧＷは、ｅＮＢまたはＷＴＲＵにメッセージを提供し返して、新しいＧＷトンネルエンドポイントＩＤ（それが変化した場合）、または新しいＧＷ  ＩＤ（それが変化した場合）を提供することができる。失敗メッセージが、生成され、ＷＴＲＵに送信されることができる。
【０２２９】
ネットワークは、それが最新の情報を有するかどうかをＷＴＲＵに依存することによって決定して、あらゆるセルロケーションにおいて更新を行うことができるが、しかしながら、これは、いくつかのアーキテクチャにとっては望ましくないことがある。ネットワークは、あらゆるロケーションエリア更新において、ＷＴＲＵに依存して更新を行うことができる（例えば、ネットワークは、ロケーションエリア内において、少なくともＷＴＲＵロケーションを知ることができる）。ゲートウェイは、最後に受信された経路更新に基づいて、ＷＴＲＵロケーションを知ることができる。ゲートウェイは、例えば、タイマベースのメカニズム（例えば、ある期間の非アクティビティが経過するまで、ロケーション情報は有効である）、および／またはＷＴＲＵがセカンダリレイヤとアイドル、非アクティブ、もしくはオフ状態にあることを示すｅＮＢもしくはプロキシＭＭＥもしくはＭＭＥからの表示に従って、ＷＴＲＵのｅＮＢ固有のロケーションが有効であると仮定することができる。ゲートウェイは、最後のロケーションがまだ有効であると仮定することができる（例えば、常に初期的に仮定することができる）。ゲートウェイは、ピング（ping）を送信することができ、または定期的なロケーション更新を要求することができる。
【０２３０】
ゲートウェイは、プレゼンス通知メッセージまたはＷＴＲＵロケーション更新要求を要求するために、ＷＴＲＵと交信することができる。これは、例えば、ＤＬデータの受信時に、および／またはゲートウェイがＷＴＲＵについての最新のロケーション情報を有さないことがあるとの決定時に、もしくはＷＴＲＵがアイドルモードにあるとの決定時に、開始されることができる。本明細書で開示される例は、個別に、または任意の組み合わせで使用されることができる。
【０２３１】
図４は、セカンダリレイヤ上で送信され得る例示的なメッセージフローを示している。少なくとも１つのデータパケットが、ゲートウェイから、最後に知られたまたは報告されたロケーションエリアまたはトラッキングエリアの一部であるｅＮＢに送信され得る。ゲートウェイは、１または限られた数のパケットを送信することができ、残りのデータの送信を続行するために、ｅＮＢの１つから経路更新メッセージを受信するのを待つことができる。ｅＮＢから経路更新要求メッセージを受信すると、ネットワークは、ルーティング経路を更新することができ、対応するｅＮＢ上でデータ送信を続行することができる。
【０２３２】
ＷＴＲＵにそれのロケーションを報告するように要求するＤＬメッセージが、トリガされ、セカンダリレイヤ上で送信され得る。図５は、プライマリレイヤ上で送信され得る階層化された接続性のための例示的なメッセージフローを示している。ゲートウェイは、所与のＷＴＲＵに対してＤＬメッセージまたはページング要求を送信するために、最後に報告されたロケーションエリアと関連付けられたｅＮＢに対する要求を生成することができる。例えば、ゲートウェイは、ＷＴＲＵのトラッキング／ロケーションエリア内のｅＮＢにＷＴＲＵロケーション更新要求を送信することができる。ロケーション更新要求メッセージは、ＷＴＲＵ識別情報、および／またはそのＷＴＲＵのために使用され得る潜在的なＧＷ  ＴＥＩＤを含むことができる。
【０２３３】
ゲートウェイメッセージ（例えば、ＩＰメッセージ）が、作成され、ロケーションエリア内のｅＮＢに送信され得る。ｅＮＢは、セルに接続されていないＷＴＲＵのために使用される送信機会（例えば、ページング機会）に、このメッセージをＷＴＲＵにトランスペアレントに転送することができる。
【０２３４】
ｅＮＢに接続されていないＷＴＲＵのためのロケーション更新要求の受信時に、または（例えば、ＷＴＲＵ固有のベアラ上ではなく）知られていないＷＴＲＵのための共通トンネル上でのＤＬデータパケットの受信時に、ｅＮＢは、ＷＴＲＵを見つけるために、ページングに似たメッセージの送信をトリガすることができる。このメッセージは、ＲＲＣメッセージ（例えば、ＲＲＣロケーション更新要求）とすることができる。経路更新要求など、追加された原因を有することができるページングメッセージが、使用されることができる。ＷＴＲＵに送信されるＤＬページングメッセージは、ＷＴＲＵがＵＬプレゼンス表示メッセージ内でエコーバックすることができる、トンネルＩＤおよび／またはＧＷ  ＩＤを含むことができる。
【０２３５】
ある実施形態では、おそらくはＷＴＲＵの観点からは、「階層化されたｅＮＢ」は、構成態様に、例えば、ＷＴＲＵの構成においてセカンダリレイヤに関連付けられた１または複数のサービングセルに対応することができる。そのようなセルは、セルグループとしてグループ化されることができ、および／またはセカンダリＭＡＣインスタンスに関連付けられることができる。ネットワークの観点からは、「階層化されたｅＮＢ」は、ＭｅＮＢに接続することができるＭＭＥとの（例えば、ＥＰＳベアラの調整および／もしくは他のＣＮ制御プレーン機能のための）対話が可能であり得、並びに／またはＲＡＮ制御プレーン機能（例えば、ＲＲＭ、ＲＲＣ構成、および／もしくはアクセス制御）のためのＭｅＮＢとのｅＮＢ間シグナリングが可能であり得る、ノードに対応することができる。
【０２３６】
ＷＴＲＵは、プライマリレイヤ上でページングされ、交信が行われ得る。ＷＴＲＵがプライマリレイヤに接続している場合、プライマリレイヤは、セカンダリレイヤを使用してプレゼンス通知を送信するようにＷＴＲＵをトリガするために使用されることができる。ゲートウェイは、経路更新メッセージまたは接続要求メッセージを要求するために、メッセージをＭＭＥに送信することができる。ＭＭＥは、セカンダリレイヤへの接続を確立するようにＷＴＲＵに要求するために、ページングメッセージ（例えば、レガシページングメッセージ）を使用することができる。メッセージは、要求が、ＷＴＲＵがセカンダリレイヤをアクティブ化し、アップリンクプレゼンス表示メッセージをセカンダリレイヤに送信することであることを示すことができる。メッセージは、要求が、サービスがセカンダリレイヤにマッピングされることであることを示すために、使用されることができる。ＭＭＥ（またはプロキシＭＭＥ）は、ＷＴＲＵのための経路更新メッセージをトリガするために使用され得る、新しい要求メッセージを送信することができる。ＭＭＥ（またはプロキシＭＭＥ）は、要求またはページングメッセージをｅＮＢ（例えば、トラッキングエリア（もしくはロケーションエリア）内の１もしくは複数もしくは全てのｅＮＢ、または接続モードの場合にＷＴＲＵがそれに接続されるｅＮＢ）に送信することができる。
【０２３７】
要求の受信時に、プライマリレイヤ内のｅＮＢは、（例えば、ＷＴＲＵがアイドルモードにある場合）ページング要求メッセージを開始することができ、またはＷＴＲＵがプライマリレイヤ上で接続モードにある場合、専用接続上でメッセージを送信することができる。
【０２３８】
ページング要求メッセージは、ページングが（例えば、セカンダリレイヤへの接続を開始するために）ＵＬプレゼンス表示メッセージをトリガするためであることを示すことができる。
【０２３９】
ＷＴＲＵが接続モードにある場合、セカンダリレイヤ接続（例えば、セカンダリレイヤ上でのロケーション更新要求）を開始するようにＷＴＲＵに告げるために、ＲＲＣメッセージが使用され得る。ＲＲＣ再構成メッセージが、この目的のために使用され得る。
【０２４０】
ページング受信またはプレゼンス通知要求の受信時に、ＷＴＲＵは、（例えば、セカンダリレイヤが非アクティブ化されている場合）セカンダリレイヤ上で１または複数の測定を開始することができる。ＷＴＲＵは、例えば、セルがまだ選択されていない場合、（例えば、構成パラメータおよびオフセットに依存する）そのレイヤ内で検出された最良のセルを選択することができる。ＷＴＲＵは、プレゼンス通知手順を開始することができる。
【０２４１】
適切なセルが見つからない場合、またはプレゼンス通知手順が失敗した（例えば、プレゼンス通知の送信が不成功だった、および／もしくはＷＴＲＵがある長さの時間内に応答を受信しなかった）場合、ＷＴＲＵは、プライマリレイヤ上でアップリンクＲＲＣ接続要求を開始することができる。ＷＴＲＵは、セカンダリにおけるセルの検出の失敗を示すことができ、および／またはセカンダリレイヤにおいてもはやサービスされることができないサービスを示すことができる。ＷＴＲＵは、失敗を示すために、（例えば、それがマクロセルに既に接続されている場合）ＵＬメッセージを開始することができる。ＷＴＲＵは、ＮＡＳ応答メッセージを送信することができる。
【０２４２】
ＷＴＲＵは、セキュリティコンテキストを有することができ、プライマリレイヤにおいて確立されたＲＲＣ接続が存在しなくても、または使用されている場合はセカンダリレイヤにおいてさえも、セカンダリレイヤのために、セキュリティアクティブ化されていると見なされることができる。セカンダリレイヤは、ネットワークによるＷＴＲＵの認証および／もしくはＷＴＲＵによるネットワークの認証、ユーザプレーンおよび／もしくは制御プレーンデータの暗号化、並びに／または制御プレーンデータのインテグリティ保護をサポートすることができる。
【０２４３】
セキュリティ機能は、少なくともマルチレイヤアクセスの構成時（例えば、初期構成または再構成時）に、ＷＴＲＵおよびネットワークによって導出される鍵材料によってサポートされることができる。
【０２４４】
マルチレイヤアクセスの構成時、ＷＴＲＵは、少なくとも１つの鍵を決定することができ、それは、セカンダリレイヤにおいてセキュリティ機能をサポートすることができる、セカンダリレイヤマスタ鍵（ＫMSL）とすることができる。鍵ＫMSLは、例えば、（ユーザデータまたは制御用など）あるタイプのデータの暗号化またはインテグリティ保護のために使用される他の鍵を導出するために使用され得る。ＫMSL鍵は、セカンダリレイヤにおいて制御およびセキュリティ機能を担当するネットワークエンティティ内に記憶されることができる。そのようなエンティティは、ＭＭＥから論理的に分離されることができ、プロキシＭＭＥとすることができる。プロキシＭＭＥは、ゲートウェイと同じノードとすることができる。
【０２４５】
ＫMSL鍵は、プライマリレイヤにおいてセキュリティ機能をサポートするために使用される鍵ＫASMEと同じであるように決定され得る。鍵ＫASMEは、安全なシグナリングメカニズムを使用して、ＭＭＥからプロキシＭＭＥに転送され得る。ＷＴＲＵは、ＫASME鍵が更新されるときはいつでも、ＫMSL鍵を更新することができる。
【０２４６】
ＫMSL鍵は、ＫASME鍵および別の鍵から導出され得る。ＫMSL鍵は、ＮＨ導出機能を使用して、以前のＮＨパラメータ（またはＫeNB）に基づいた、ＮＨパラメータから成ることができる。以前のＮＨパラメータは、プライマリレイヤにおいて一番最近に導出されたＮＨパラメータとすることができる。ＫMSL鍵は、マルチレイヤアクセスの構成または再構成時に、ＷＴＲＵおよびＭＭＥの両方によって導出されることができ、ＫMSL鍵は、プロキシＭＭＥに転送されることができる。ＫMSL鍵の更新は、プロキシＭＭＥからの要求時に、ＭＭＥによって実行されることができ、新しい鍵は、プロキシＭＭＥに転送されることができる。ＷＴＲＵとプロキシＭＭＥとの間で行われた手順の結果として、ＫMSL鍵が更新された場合、ＷＴＲＵは、鍵導出においてプロキシＭＭＥによって伝えられたＮＣＣパラメータを使用することができる。ＷＴＲＵは、プライマリまたはセカンダリレイヤにおける鍵導出において使用された最新のＮＣＣパラメータに１を加えたものに等しいＮＣＣパラメータを使用することができる。
【０２４７】
ＫMSL鍵は、ユーザデータの暗号化のために使用される鍵（ＫUPenc）、シグナリングの暗号化のために使用される鍵（ＫCPenc）、および／またはインテグリティ保護のために使用される鍵（ＫIP）など、セカンダリレイヤにおいて特定の目的のために使用される追加の鍵の導出のための基礎として使用されることができる。これらの鍵の導出は、特定のアルゴリズムタイプのディスティングィッシャ（distinguisher）、およびその値が、例えば、新しい鍵導出のたびに変化しうる、少なくとも１つの追加のパラメータを使用することができる。例えば、いくつかのソリューションでは、認証手順において使用されるパラメータＲＡＮＤは、追加の鍵を導出するために使用され得る。
【０２４８】
ユーザデータの暗号化のための終端点が、ゲートウェイであり得る場合、対応する鍵（ＫUPenc）は、プロキシＭＭＥによって計算され、ゲートウェイに伝えられ得る。
【０２４９】
無線リソースの割り当てのための制御プロトコル（セカンダリＲＲＣ）のための終端点がｅＮＢにあり得る場合、メッセージの暗号化およびインテグリティ保護のための鍵は、プロキシＭＭＥによって計算され、ｅＮＢに伝えられることができる。そのような鍵は、ＷＴＲＵとプロキシＭＭＥの間の制御情報の送信のために使用される鍵とは異なりうる。
【０２５０】
ネットワークによるＷＴＲＵの認証、および／またはＷＴＲＵによるいくつかのネットワーク要素の認証は、ＷＴＲＵによるネットワークリソースのアクセスを可能にする手順中など、異なる機会に行われ得る。ひとたびセカンダリレイヤが構成され、またＷＴＲＵおよびプロキシＭＭＥにおいて、（例えば、鍵材料を含む）適切なセキュリティコンテキストが確立されると、そのような認証手順は、ＭＭＥを省くことができる。
【０２５１】
例えば、セカンダリレイヤのセルのリソースにアクセスするため、ＷＴＲＵは、セルを制御しているｅＮＢに、ネットワークがダウンリンクトラフィックを適切にルーティングすることを可能にしうるプレゼンス表示メッセージを送信することができる。このＷＴＲＵに向けてトラフィックを再ルーティングする前に、ネットワークは、ＷＴＲＵを認証することができ、ＷＴＲＵは、ネットワークを認証することができる。手順は、鍵材料のリフレッシュも可能にすることができる。
【０２５２】
認証手順は、ネットワークによって開始され得る。認証手順は、プロキシＭＭＥまたはゲートウェイなどのネットワークノードによって開始され得る。これは、例えば、ＷＴＲＵがセカンダリレイヤにおいて新しいセルにアクセスするための手順を開始した結果として起こり得る。ＷＴＲＵは、アクセス手順の最初のメッセージにおいて、ＧＵＴＩ、ＴＭＳＩもしくはトンネル識別情報などの識別情報パラメータ、暗号化されたトンネル識別情報、または一時セカンダリレイヤ識別情報（ＴＳＬＩ）のうちの少なくとも１つを提供することができる。セルを制御するｅＮＢは、この情報をゲートウェイまたはプロキシＭＭＥに転送することができる。ゲートウェイは、最初にメッセージをｅＮＢから受信することができ、認証手順を開始するようにプロキシＭＭＥに要求することができる。
【０２５３】
プロキシＭＭＥは、提供された識別情報パラメータに基づいて、ＷＴＲＵを識別することができ、パラメータＲＡＮＤおよび認証トークンＡＵＴＮを決定することによって、認証手順を開始することができる。パラメータＲＡＮＤは、ランダムに選択され得、ＡＵＴＮは、ＫMSL鍵およびＲＡＮＤパラメータに基づいて、計算され得る。プロキシＭＭＥは、新しい一時セカンダリレイヤ識別情報（ＴＳＬＩ）をＷＴＲＵに割り当てることができる。これらのパラメータは、ｅＮＢに送信され、要求されたアクセスを有するＷＴＲＵに転送することができる。
【０２５４】
応答の受信時に、ＷＴＲＵは、ローカルに記憶されたＫMSL鍵および提供されたＲＡＮＤパラメータに基づいて、ＡＵＴＮが予想された結果と一致することを検証することができる。ＡＵＴＮが受信されたが、予想された結果と一致しない場合、ＷＴＲＵは、セカンダリレイヤ構成を解放することができ、および／またはプライマリレイヤ上でＮＡＳシグナリングを通してＭＭＥに通知することができる。それ以外の場合、ＷＴＲＵは、応答ＲＥＳを計算することができ、鍵を導出（またはリフレッシュ）することができる。ＷＴＲＵは、アクセス手順（またはプレゼンス表示手順）の第２のメッセージにおいて、応答ＲＥＳをｅＮＢに送信することができる。
【０２５５】
プロキシＭＭＥは、例えば、パラメータＲＥＳが、ＲＡＮＤパラメータおよびＫMSL鍵に基づいて計算された予想された応答（ＸＲＥＳ）と一致した場合、認証が成功したと見なすことができる。
【０２５６】
認証手順は、ＷＴＲＵによって開始され得る。例えば、認証は、セカンダリレイヤにおいて新しいセルにアクセスするための手順の一部とすることができる。ＷＴＲＵは、パラメータＲＡＮＤおよび認証トークンＡＵＴＮを決定することができる。パラメータＲＡＮＤは、事前定義された範囲からＷＴＲＵによってランダムに選択されることができ、またはそれがアクセスしようと試みているセルによってシステム情報から提供されることができる。ＷＴＲＵは、ＫMSL鍵が最後に変更されて以降の、以前のいずれの認証手順においても使用されたことのない、可能な値のセットの中からＲＡＮＤパラメータを選択することができる。ＡＵＴＮパラメータは、ネットワーク開始された手順におけるように、ＫMSL鍵およびＲＡＮＤパラメータから導出されることができる。ＷＴＲＵは、これらのパラメータ（ＲＡＮＤおよびＡＵＴＮ）、並びに識別情報パラメータを、プレゼンス表示を搬送するのと同じメッセージとすることができるメッセージの一部として、セルに送信することができる。ＷＴＲＵは、プロキシＭＭＥのアドレスを提供することもできる。
【０２５７】
セルを制御するｅＮＢは、情報をプロキシＭＭＥに（例えば、直接的に）転送することができ、または情報をゲートウェイに転送することができ、それは、それをプロキシＭＭＥに中継することができる。プロキシＭＭＥは、ローカルに記憶されたＫMSL鍵に基づいて、受信された認証トークンＡＵＴＮが予想された結果と一致するかどうかを検証することができ、検証が成功した場合、認証が成功したと決定することができる。プロキシＭＭＥは、また、応答ＲＥＳを計算し、ＷＴＲＵによるその後の認証を目的として、ｅＮＢを通してそれをＷＴＲＵに伝えることができる。このメッセージの受信時に、ＷＴＲＵは、応答ＲＥＳを、ＲＡＮＤおよびローカルに記憶されたＫMSL鍵に基づいて計算された予想された応答ＸＲＥＳと比較することができる。ＲＥＳが受信されたが、予想された結果ＸＲＥＳと一致しない場合、ＷＴＲＵは、セカンダリレイヤ構成を解放することができ、および／またはプライマリレイヤ上でＮＡＳシグナリングを通してＭＭＥに通知することができる。
【０２５８】
認証手順の一部として、プロキシＭＭＥおよびＷＴＲＵは、例えばユーザデータの暗号化のための新しい鍵（ＫUPenc）、シグナリングの暗号化のための新しい鍵（ＫCPenc）および／またはインテグリティ保護のための新しい鍵（ＫIP）など、新しい鍵を導出することができる。導出は、ＫMSL鍵、ＲＡＮＤパラメータ、およびそれぞれのアルゴリズムタイプのディスティングィッシャのうちの少なくとも１つに基づくことができる。導出は、トンネル識別情報などの識別情報パラメータ、暗号化されたトンネル識別情報、または一時セカンダリレイヤ識別情報（ＴＳＬＩ）を使用することもできる。
【０２５９】
ＷＴＲＵは、ＷＴＲＵ開始される認証手順の場合、認証パラメータ（ＲＡＮＤおよび／またはＡＵＴＮ）を含むメッセージの送信を完了した後、送信および／または受信のための新しい鍵を使用し始めることができる。ＷＴＲＵは、ネットワーク開始される認証手順の場合、ＡＵＴＮの検証が成功したならば、認証パラメータ（ＲＡＮＤおよび／またはＡＵＴＮ）を含むメッセージをプロキシＭＭＥから受信した後、送信および／または受信のための新しい鍵を使用し始めることができる。
【０２６０】
プロキシＭＭＥは、送信および受信のための新しい鍵を使用し始めることができ、ＷＴＲＵ開始される認証手順の場合、ＡＵＴＮの検証が成功したならば、認証パラメータ（ＲＡＮＤおよび／またはＡＵＴＮ）を含むメッセージをＷＴＲＵから受信した後、新たに導出された鍵の少なくとも１つをゲートウェイに伝えることができる。プロキシＭＭＥは、送信および受信のための新しい鍵を使用し始めることができ、ネットワーク開始される認証手順の場合、認証パラメータ（ＲＡＮＤおよび／またはＡＵＴＮ）を含むメッセージの送信を完了した後、新たに導出された鍵の少なくとも１つをゲートウェイに伝えることができる。鍵リフレッシュは、メッセージにおいてフラグを使用して示された（例えば、明示的に示された）場合に、発生することができる。
【０２６１】
ＷＴＲＵは、認証手順または関連するプレゼンス表示手順の一部として、一時セカンダリレイヤ識別情報（ＴＳＬＩ）を割り当てられることができる。識別情報は、ＷＴＲＵ、プロキシＭＭＥ、および／またはゲートウェイによって知られることができ、ＷＴＲＵがプレゼンス表示を送信した後、またはＷＴＲＵが新しいセルもしくは新しいｅＮＢのセルにアクセスした後、または認証手順が実行されるときに、変更されることができる。
【０２６２】
ＴＳＬＩは、ＴＥＩＤ、ゲートウェイ識別情報とＴＥＩＤの組み合わせ、ｅＮＢ識別情報とＴＥＩＤの組み合わせ、および／またはプロキシＭＭＥによって選択された任意の識別情報を含むことができる。これらの値はいずれも、例えば、ＫCPencまたはＫUPencなどの鍵を使用して、暗号化されることができる。
【０２６３】
ＷＴＲＵは、例えば、プレゼンス表示メッセージ内に、認証と関連付けられたパラメータ（例えば、ＲＡＮＤ）とともに、ＴＳＬＩを含むことができる。これは、認証のためのプロキシＭＭＥによるＷＴＲＵの識別を可能にすることができる。
【０２６４】
新しいＴＳＬＩ値は、例えば、成功した認証の後、ＫCPencまたはＫUPencなどの鍵を用いておそらくは暗号化されるメッセージに収めて、プロキシＭＭＥまたはゲートウェイによってＷＴＲＵに提供されることができる。新しいＴＳＬＩ値の提供は、異なるｅＮＢへのプレゼンス表示の送信をモニタリングしている攻撃者が、それらが同じＷＴＲＵから発しているかどうかを決定することを不可能にすることができるので、ＷＴＲＵトラッキングに対する保護を提供することができる。
【０２６５】
制御またはユーザデータに対する暗号化は、暗号鍵としてのＫCPencまたはＫUPencと、暗号化が実行されるプロトコルレイヤにおけるあらゆるＰＤＵに含まれることができるシーケンス番号から提供されるＣＯＵＮＴパラメータとに基づくことができる、暗号アルゴリズムに従うことができる。暗号アルゴリズムは、鍵再利用の確率を低減させるための追加のパラメータとして、ＴＳＬＩもしくはＴＥＩＤ、またはそれらの関数を使用することができる。
【０２６６】
ＷＴＲＵがプレゼンス表示メッセージを送信する場合、暗号化が、メッセージの少なくとも一部に適用されることができる。メッセージを適切なゲートウェイに転送するためにｅＮＢによって使用されることができるゲートウェイ識別情報、およびプレゼンス表示を送信したＷＴＲＵを識別するためにゲートウェイによって必要とされ得るＴＳＬＩなどの、メッセージのいくつかの部分は、暗号化の対象外とすることができる。
【０２６７】
図６は、例示的な２層セキュリティモデルを示している。図６のセキュリティモデルは、コアネットワーク（例えば、ＷＴＲＵ−ＭＭＥ）およびＲＡＮ（例えば、ＷＴＲＵ−ｅＮＢ）の両方において、制御プレーンメッセージの暗号（例えば、暗号化）を可能にすることができ、制御プレーンメッセージのインテグリティ保護を提供することができる。セキュリティモデルは、ＲＡＮ（例えば、ＷＴＲＵ−ｅＮＢ）レベルにおいて、ユーザプレーンメッセージの暗号（例えば、暗号化）を可能にすることができる。
【０２６８】
マルチレイヤモードの下で動作する場合、ＷＴＲＵは、例えば、マルチレイヤエリア内でｅＮＢからｅＮＢに移動するとき、セキュリティ手順の実行を省くことができる。
【０２６９】
ネットワークは、ＷＴＲＵとサービングゲートウェイとの間でユーザプレーンパケットのエンドツーエンド暗号化およびインテグリティ保護を可能にすることができる。これは、マルチレイヤエリア内でｅＮＢからｅＮＢに移動するとき、モビリティメカニズムを実行する必要性を回避することができる。
【０２７０】
図６は、エンドツーエンドＷＴＲＵ−ＳＧＷセキュリティを実現しうるネットワークを示している。ＷＴＲＵとＳＧＷとの間のセキュリティアソシエーションをセットアップするために、またｅＮＢとＷＴＲＵとの間のユーザプレーンセキュリティアソシエーションのスケールダウンされたバージョンを提供するために、インターフェースが使用されることができる。図７および図８は、エンドツーエンドＷＴＲＵ−ＳＧＷセキュリティを提供するために使用され得る例示的なネットワーク構成を示している。ユーザプレーンインテグリティなし（no-integrity）保護が、提供されることができる。ユーザプレーンインテグリティ保護が、ＷＴＲＵとＳＧＷとの間に追加されることができる。
【０２７１】
図９は、エンドツーエンドＷＴＲＵ−ＳＧＷセキュリティを提供しうる例示的なメッセージフローを示している。９０１において、ＷＴＲＵは、アタッチ要求をｅノードＢ（ｅＮＢ）に送信することによって、アタッチ手順を開始することができる。９０２において、ｅＮＢは、Ｓ１−ＭＭＥ制御メッセージ（例えば、初期ＷＴＲＵメッセージ）内に含まれるアタッチ要求メッセージをＭＭＥに転送することができる。
【０２７２】
９０３において、ＷＴＲＵ、ＭＭＥおよび／またはＨＳＳは、インテグリティ保護およびＮＡＳをアクティブ化するために、認証およびＮＡＳセキュリティセットアップを実行することができる。９０４において、ＭＭＥは、ロケーション更新要求（例えば、ＭＭＥ識別情報、ＩＭＳＩ、ＭＥ識別情報（ＩＭＥＩＳＶ）、ＭＭＥ能力、ＵＬＲフラグ、ＩＭＳボイスオーバＰＳセッションの同種サポート、ＷＴＲＵ  ＳＲＶＣＣ能力、および／または等価ＰＬＭリスト）メッセージを、ＨＳＳに送信することができる。
【０２７３】
９０５において、ＨＳＳは、ロケーション更新肯定応答（ＩＭＳＩ、加入データ）メッセージをＭＭＥに送信することによって、ロケーション更新要求に肯定応答を行うことができる。加入データは、１または複数のＰＤＮ加入コンテキストを含むことができる。各ＰＤＮ加入コンテキストは、ＥＰＳ契約されたＱｏＳプロファイルおよび契約されたＡＰＮ−ＡＭＢＲを含むことができる。加入データは、ＷＴＲＵがマルチレイヤモードで動作可能であるかどうかを示すことができ、および／またはこのＷＴＲＵにマルチレイヤサービスを提供することができる好ましいＳＧＷのアドレスを示すことができる。
【０２７４】
９０６において、ＭＭＥは、セッション要求を作成することができる。契約されたＰＤＮアドレスが、このＡＰＮのために、ＷＴＲＵに対して割り当てられた場合、ＰＤＮ加入コンテキストは、ＷＴＲＵのＩＰｖ４アドレス、ＩＰｖ６プレフィックス、および／またはＰＤＮ  ＧＷ識別情報を含むことができる。ＰＤＮ加入コンテキストが、契約されたＩＰｖ４アドレスおよび／またはＩＰｖ６プレフィックスを含む場合、ＭＭＥは、ＰＤＮアドレス内でそれを示すことができる。初期要求を示す要求タイプについては、ＷＴＲＵがＡＰＮを提供しない場合、ＭＭＥは、デフォルトベアラアクティブ化のために、デフォルトＡＰＮに対応するＰＤＮ  ＧＷを使用することができる。ＷＴＲＵがＡＰＮを提供した場合、このＡＰＮが、デフォルトベアラアクティブ化のために利用されることができる。
【０２７５】
ＭＭＥは、サービングＧＷを選択することができ、ＥＰＳベアラ識別情報を、ＷＴＲＵと関連付けられたデフォルトベアラに対して割り当てることができる。ＷＴＲＵが、マルチレイヤモードでの動作が可能である場合、ＭＭＥは、例えば、地理的もしくはトポロジ条件を使用して、またはＷＴＲＵ加入のように好ましいＳＧＷを使用して、適切なＳＧＷを選択することができる。ＭＭＥは、セッション作成要求（例えば、ＩＭＳＩ、ＭＳＩＳＤＮ、制御プレーンのためのＭＭＥ  ＴＥＩＤ、ＰＤＮ  ＧＷアドレス、ＰＤＮアドレス、ＡＰＮ、ＲＡＴタイプ、デフォルトＥＰＳベアラＱｏＳ、ＰＤＮタイプ、ＡＰＮ−ＡＭＢＲ、ＥＰＳベアラ識別情報、プロトコル構成オプション、ハンドオーバ表示、ＭＥ識別情報（ＩＭＥＩＳＶ）、ユーザロケーション情報（ＥＣＧＩ）、ＷＴＲＵタイムゾーン、ユーザＣＳＧ情報、ＭＳ情報変更報告サポート表示、選択モード、課金特性、トレースリファレンス、トレースタイプ、トリガＩｄ、ＯＭＣ識別情報、最大ＡＰＮ制限、デュアルアドレスベアラフラグ、プロトコルタイプオーバＳ５／Ｓ８、サービングネットワーク、および／またはＷＴＲＵマルチレイヤ能力）メッセージを、選択されたサービングＧＷに送信することができる。
【０２７６】
９０７において、サービングＧＷは、それのＥＰＳベアラテーブル内に新しいエントリを作成することができ、セッション作成要求メッセージを、９０６において受信されたＰＤＮ  ＧＷアドレスによって示されるＰＤＮ  ＧＷに送信することができる。サービングＧＷは、それが９２２においてベアラ変更要求メッセージを受信することができるまで、ダウンリンクデータ通知メッセージをＭＭＥに送信することなく、それがＰＤＮ  ＧＷから受信することができたいずれのダウンリンクパケットもバッファすることができる。
【０２７７】
ＷＴＲＵがマルチレイヤモードにある場合、ＳＧＷは、ＵＰ＿Ｓｅｃｕｒｉｔｙモードコマンド／完了動作が正常に実行されるまで、ＷＴＲＵへのいずれのダウンリンクパケットも、またはＷＴＲＵからのいずれのアップリンクパケットも処理することができない。
【０２７８】
動的ＰＣＣがデプロイされ、ハンドオーバ表示が存在しない場合、ＰＤＮ  ＧＷは、９０８において、ＩＰ−ＣＡＮセッション確立手順を実行することができる。
【０２７９】
９０９において、ＰＧＷは、それのＥＰＳベアラコンテキストテーブル内にエントリを作成することができ、デフォルトベアラのための課金Ｉｄを生成することができる。エントリは、ＰＧＷが、ＳＧＷとパケットデータネットワークとの間でユーザプレーンＰＤＵをルーティングし、課金を開始することを可能にすることができる。
【０２８０】
ＰＤＮ  ＧＷは、セッション作成応答（例えば、ユーザプレーンのためのＰＤＮ  ＧＷアドレス、ユーザプレーンのＰＤＮ  ＧＷ  ＴＥＩＤ、制御プレーンのＰＤＮ  ＧＷ  ＴＥＩＤ、ＰＤＮタイプ、ＰＤＮアドレス、ＥＰＳベアラ識別情報、ＥＰＳベアラＱｏＳ、プロトコル構成オプション、課金Ｉｄ、ペイロード圧縮禁止、ＡＰＮ制約、原因、ＭＳ情報変更報告アクション（開始）（ＰＤＮ  ＧＷがセッション中にＷＴＲＵのロケーション情報を受信したと決定した場合）、ＣＳＧ情報報告アクション（開始）（ＰＤＮ  ＧＷがセッション中にＷＴＲＵのユーザＣＳＧ情報を受信したと決定した場合）、および／またはＡＰＮ−ＡＭＢＲ）メッセージを、サービングＧＷに返信することができる。
【０２８１】
９１０において、サービングＧＷは、セッション作成応答（例えば、ＰＤＮタイプ、ＰＤＮアドレス、ユーザプレーンのためのサービングＧＷアドレス、Ｓ１−ＵユーザプレーンのためのサービングＧＷ  ＴＥＩＤ、制御プレーンのためのサービングＧＷ  ＴＥＩＤ、ＥＰＳベアラ識別情報、ＥＰＳベアラＱｏＳ、アップリンクトラフィックのためのＰＤＮ  ＧＷにおけるＰＤＮ  ＧＷアドレスおよびＴＥＩＤ（ＧＴＰベースのＳ５／Ｓ８）もしくはＧＲＥ鍵（ＰＭＩＰベースのＳ５／Ｓ８）、プロトコル構成オプション、ペイロード圧縮禁止、ＡＰＮ制約、原因、ＭＳ情報変更報告アクション（開始）、ＣＳＧ情報報告アクション（開始）、ＡＰＮ−ＡＭＢＲ、並びに／またはマルチレイヤモード対応）メッセージを、ＭＭＥに返信することができる。
【０２８２】
９１１において、ＭＭＥは、アタッチ了承（例えば、ＡＰＮ、ＧＵＴＩ、ＰＤＮタイプ、ＰＤＮアドレス、ＴＡＩリスト、ＥＰＳベアラ識別情報、セッション管理要求、プロトコル構成オプション、ＮＡＳシーケンス番号、ＮＡＳ−ＭＡＣ、ＩＭＳボイスオーバＰＳセッションサポート表示、緊急サービスサポートインジケータ、ＬＣＳサポート表示、および／またはマルチレイヤモード対応）メッセージを、ｅノードＢに送信することができる。このＳ１制御メッセージは、ＷＴＲＵのためのＡＳセキュリティコンテキスト情報、ハンドオーバ制約リスト、ＥＰＳベアラＱｏＳ、ＷＴＲＵ−ＡＭＢＲ、ＥＰＳベアラ識別情報、並びにユーザプレーンのために使用されるサービングＧＷにおけるＴＥＩＤ、およびユーザプレーンのためのサービングＧＷのアドレスを含むことができる。
【０２８３】
９１２において、ｅノードＢは、ＥＰＳ無線ベアラ識別情報を含むＲＲＣ接続再構成メッセージを、ＷＴＲＵに送信することができ、アタッチ了承メッセージも、ＷＴＲＵに送信されることができる。ＷＴＲＵは、それがセッション管理要求内で受信することができた、ネゴシエートされたＱｏＳ、無線プライオリティ、パケットフローＩｄ、および／またはＴＩを、ＧＥＲＡＮまたはＵＴＲＡＮを介してアクセスする場合に使用するために、記憶することができる。ＡＰＮは、ＷＴＲＵに提供されて、アクティブ化されたデフォルトベアラが関連付けられたＡＰＮをそれに通知する。ＷＴＲＵは、１または複数のトラフィックフローを取り扱うアプリケーションにＥＰＳベアラＱｏＳパラメータを提供することができる。ＥＰＳベアラＱｏＳのアプリケーション使用は、実施依存とすることができる。ＷＴＲＵは、セッション管理要求内に含まれるＥＰＳベアラＱｏＳパラメータに基づいて、ＲＲＣ接続再構成を拒否しないことがある。ＷＴＲＵがマルチレイヤモードで動作している場合、ｅＮＢは、制御プレーン暗号およびインテグリティ保護を可能にすることができる。ユーザプレーンセキュリティは、ＷＴＲＵとＳＧＷとの間で実行されることができる。
【０２８４】
９１３において、ＷＴＲＵは、ＲＲＣ接続再構成完了メッセージを、ｅノードＢに送信することができる。９１４において、ｅノードＢは、初期コンテキスト応答メッセージを、ＭＭＥに送信することができる。この初期コンテキスト応答メッセージは、Ｓ１＿Ｕ参照点上でダウンリンクトラフィックのために使用される、ｅノードＢのＴＥＩＤおよびｅノードＢのアドレスを含むことができる。
【０２８５】
９１５において、ＷＴＲＵがマルチレイヤモードで動作している場合、ＭＭＥは、ＲＡＮコンテキストセットアップメッセージをＳＧＷに送信することができ、ＷＴＲＵのためのＳＧＷセキュリティコンテキストを提供する。９１６において、ＳＧＷは、セキュリティモードコマンド（例えば、選択されたＳＧＷアルゴリズムおよび／またはｅＫＳＩ）を送信することができる。９１７において、ＷＴＲＵは、ＳＧＷセキュリティモード完了（ＳＧＷ−ＭＡＣ）メッセージを用いて、ＳＧＷに応答することができる。
【０２８６】
９１８において、ｅＮＢは、ＲＲＣ暗号化およびインテグリティ保護を可能にするために、ＬＷセキュリティモードコマンドを送信することができる。９１９において、ＷＴＲＵは、ＬＷセキュリティモード完了メッセージを用いて、応答することができる。
【０２８７】
９２０において、ＷＴＲＵは、直接転送メッセージをｅノードＢに送信することができる。直接転送メッセージは、アタッチ完了（ＥＰＳベアラ識別情報、ＮＡＳシーケンス番号、ＮＡＳ−ＭＡＣ）メッセージを含むことができる。９２１において、ｅノードＢは、アタッチ完了メッセージを、アップリンクＮＡＳトランスポートメッセージに収めて、ＭＭＥに転送することができる。
【０２８８】
ＭＭＥが、９１４において初期コンテキスト応答メッセージを、９２１においてアタッチ完了メッセージを受信した場合、９２２において、ＭＭＥは、ベアラ変更要求（例えば、ＥＰＳベアラ識別情報、ｅノードＢアドレス、ｅノードＢ  ＴＥＩＤ、および／またはハンドオーバ表示）メッセージを、サービングＧＷに送信することができる。ＭＭＥは、ベアラ変更要求メッセージを使用して、ＷＴＲＵセキュリティコンテキストを渡すことができる。
【０２８９】
９２３において、サービングＧＷは、ベアラ変更応答（ＥＰＳベアラ識別情報）メッセージを新しいＭＭＥに送信することによって、肯定応答を行うことができる。サービングＧＷは、それのバッファされたダウンリンクパケットを送信することができる。ＭＭＥが、既存のベアラ変更要求メッセージを使用して、ＷＴＲＵセキュリティコンテキストを渡した場合、ＳＧＷは、セキュリティモード手順を実行することができる。
【０２９０】
ＷＴＲＵは、階層化された接続性をサポートすることができる。ＷＴＲＵは、プライマリレイヤにおいてＲＲＣ  ＩＤＬＥモードであることができる。ＷＴＲＵは、（例えば、送信のために利用可能なアップリンクデータ、および／またはページングの受信のために）それがネットワークにアクセスすることができると決定することができる。ＷＴＲＵは、ＲＲＣ  ＣＯＮＮＥＣＴＥＤモードに移行し、階層化された接続性に対するＷＴＲＵ能力を示し、セカンダリ接続性を使用して動作するための構成をネットワークから受信することができる。
【０２９１】
構成は、ＲＲＣによって受信されることができ、ＭＭＥから受信されたＮＡＳメッセージを含むことができる。構成は、セキュリティパラメータ、ＩＰトンネリングパラメータ、並びに／またはデフォルトの物理および／もしくはＬ２構成を含むことができる。そのような構成は、パケットフィルタなどのアップリンクトラフィックのためのポリシ、並びに到着間隔時間、ビットレート、およびＱｏＳレベルに関連するパラメータも含むことができる。ＷＴＲＵは、ポリシおよび／またはパラメータを使用して、ＷＴＲＵが、（レガシ）プライマリレイヤにアクセスし、それを使用することによって、または（利用可能な場合）セカンダリレイヤにアクセスし、それを使用することによって、適用可能なデータを送信することができるかどうかを後で決定することができる。構成は、セルが階層化された接続性のために利用可能かどうかを決定するための１または複数の技法も含むことができ、それは、周波数情報、セル識別情報、または測定構成などを含むことができる。
【０２９２】
（例えば、ＷＴＲＵがＣＯＮＮＥＣＴＥＤモードに保たれているか、それとも解放されてＩＤＬＥモードにあるかに関わらず）プライマリレイヤのための手順（例えば、レガシ手順）および挙動と並行して、ＷＴＲＵは、それがセカンダリ接続性のための候補として適切なセルを選択することができるように、（構成されている場合は）測定を、および／または（例えば、ＷＴＲＵが適用可能なセル識別情報のリストを用いて構成されていない場合は）システム情報獲得を開始することができる。ＷＴＲＵは、例えば、適用可能なデータのための送信が有益であり得ると決定した場合、手順を開始することができる。
【０２９３】
図１０は、マルチレイヤモードにおけるベアラ確立のための例示的なメッセージフローを示している。１００６において、認証手順が完了している場合、ＭＭＥは、セッション作成要求をＳＧＷ選択手順中に識別されたＳＧＷに送信することによって、ベアラの作成を要求することができる。ＭＭＥは、ＷＴＲＵがマルチレイヤモードで動作していることをＳＧＷに示すことができる。１００７において、サービングＧＷは、セッション作成要求をＰＤＮ  ＧＷに送信することができる。１００８において、ＰＣＥＦ開始されたＩＰＣＡＮセッションが、確立および／または変更されることができる。１００９において、ＰＤＮ  ＧＷは、セッション作成応答をサービングＧＷに送信することができる。
【０２９４】
１０１０において、ＳＧＷは、ベアラセットアップ手順を実行することができ、おそらく、例えば、マルチレイヤモードで動作しているＷＴＲＵに対してＳＧＷセキュリティ手順が完了されるまで、ＵＬまたはＤＬパケットを処理しないことをＳＧＷに示すことができる、マルチレイヤコンテキストを確立することができる。ＳＧＷは、マルチレイヤコンテキストが確立されたことを、例えば、セッション作成応答メッセージ内で、ＭＭＥに知らせることができ、ＭＭＥは、本明細書で開示されるようなＳＧＷセキュリティモード手順の実行をトリガするために、無線リソースがいつセットアップされるかを、ＳＧＷに知らせることができる。
【０２９５】
１０１１において、マルチレイヤ動作がセットアップされている場合、ＭＭＥは、セキュリティ手順がマルチレイヤモードで実行されることができること、およびＳＧＷにおけるトンネルエンドポイント情報がＷＴＲＵに伝達されることができることを、ｅＮＢに知らせることができる。
【０２９６】
１０１２において、ｅＮＢは、図１１に示されるような、マルチレイヤＳＧＷのＴＥＩＤおよびトランスポートレイヤアドレスを含む、マルチレイヤモードで動作しているＳＧＷのためのトンネルエンドポイント情報を渡すことができる。ＷＴＲＵは、新しいターゲットｅＮＢにおけるデータ無線ベアラの確立時に、マルチレイヤエリアを越えてｅＮＢにアクセスする場合に、この情報を使用することができる。１０１３において、ＷＴＲＵは、構成完了メッセージをｅＮＢに送信することができる。１０１４において、ｅＮＢは、コンテキストセットアップ応答をＭＭＥに送信することができる。
【０２９７】
本明細書で説明されたプロセスおよび手段は、任意の組み合わせで適用されることができ、他の無線技術に、および他のサービスのために適用されることができる。
【０２９８】
ＷＴＲＵは、物理デバイスの識別情報を指すこと、または加入関連の識別情報などのユーザの識別情報、例えば、ＭＳＩＳＤＮ、ＳＩＰ  ＵＲＩなどを指すことができる。ＷＴＲＵは、アプリケーションベースの識別情報、例えば、アプリケーション毎に使用されることができるユーザ名を指すことができる。
【０２９９】
上記では特徴および要素が特定の組み合わせで説明されたが、各特徴または要素は、単独で使用されることができ、または他の特徴および要素との任意の組み合わせで使用されることができることを当業者は理解しよう。また、本明細書で説明された方法は、コンピュータまたはプロセッサによって実行するための、コンピュータ可読媒体内に包含された、コンピュータプログラム、ソフトウェアまたはファームウェアで実施されることができる。コンピュータ可読媒体の例は（有線または無線接続上で送信される）電子信号およびコンピュータ可読記憶媒体を含む。コンピュータ可読記憶媒体の例は、限定されることなく、ＲＯＭ、ＲＡＭ、レジスタ、キャッシュメモリ、半導体メモリデバイス、内蔵ハードディスクおよび着脱可能ディスクなどの磁気媒体、光磁気媒体並びにＣＤ−ＲＯＭディスクおよびデジタル多用途ディスク（ＤＶＤ）などの光媒体を含む。ソフトウェアと連携するプロセッサは、ＷＴＲＵ、ＵＥ、端末、基地局、ＲＮＣまたは任意のホストコンピュータにおいて使用するための無線周波送受信機を実施するために使用されることができる。
【図１Ａ】
2018129823.tif 000003
【図１Ｂ】
2018129823.tif 000004
【図１Ｃ】
2018129823.tif 000005
【図１Ｄ】
2018129823.tif 000006
【図１Ｅ】
2018129823.tif 000007
【図２Ａ】
2018129823.tif 000008
【図２Ｂ】
2018129823.tif 000009
【図２Ｃ】
2018129823.tif 000010
【図３】
2018129823.tif 000011
【図４】
2018129823.tif 000012
【図５】
2018129823.tif 000013
【図６】
2018129823.tif 000014
【図７】
2018129823.tif 000015
【図８】
2018129823.tif 000016
【図９】
2018129823.tif 000017
【図１０】
2018129823.tif 000018
【図１１】
2018129823.tif 000019
【手続補正書】
【提出日】平成30年4月4日(2018.4.4)
【手続補正１】
【補正対象書類名】特許請求の範囲
【補正対象項目名】全文
【補正方法】変更
【補正の内容】
【特許請求の範囲】
【請求項１】
無線通信ネットワークと通信する無線送受信ユニット（ＷＴＲＵ）であって、
受信機であって、前記受信機は、
無線リソース制御（ＲＲＣ）非アクティブ状態に対応する接続性コンテキストのための構成を受信し、前記構成は、前記ＲＲＣ非アクティブ状態に対応する前記接続性コンテキストに関連付けられたＷＴＲＵ識別を含み、
前記ＲＲＣ非アクティブ状態に対応する前記接続性コンテキストに対応するカバレッジエリアについてのセルのリストを受信する
ように構成される、受信機と、
プロセッサであって、前記プロセッサは、
前記ＲＲＣ非アクティブ状態に入り、
前記ＲＲＣ非アクティブ状態において、１または複数のセルに対して１または複数の測定を実行し、
前記ＲＲＣ非アクティブ状態において、前記１または複数の測定に基づいてセル再選択を実行し、
前記ＲＲＣ非アクティブ状態からＲＲＣ接続状態への遷移を開始するためのメッセージを送信し、前記メッセージは、前記ＲＲＣ非アクティブ状態に対応する前記接続性コンテキストに関連付けられた前記ＷＴＲＵ識別を備える
ように構成される、プロセッサと、
を備えたＷＴＲＵ。
【請求項２】
前記プロセッサは、前記ＲＲＣ非アクティブ状態からＲＲＣ接続状態への前記遷移を開始するための前記メッセージが、プレゼンス通知を送信する判定、またはルーティング更新手順を行う判定の少なくとも一つに基づいて送信されるようにさらに構成される、請求項１のＷＴＲＵ。
【請求項３】
前記プレゼンス通知を送信する判定、または前記ルーティング更新手順を行う判定の少なくとも一つは、前記ＷＴＲＵが前記ＲＲＣ非アクティブ状態に対応する前記接続性コンテキストに対応する前記カバレッジエリアから離れてしまったという判定を含む、請求項２のＷＴＲＵ。
【請求項４】
前記プロセッサは、前記セル再選択の前記実行が前記ＲＲＣ非アクティブ状態におけるＷＴＲＵ制御モビリティ手順の一部であるようにさらに構成される、請求項１のＷＴＲＵ。
【請求項５】
前記プロセッサは、前記遷移を開始するための前記メッセージが前記セルのリストに含まれている１または複数のセルに送信されるようにさらに構成される、請求項１のＷＴＲＵ。
【請求項６】
前記プロセッサは、前記遷移を開始するための前記メッセージが前記セルのリストに含まれていない１または複数のセルに送信されるようにさらに構成される、請求項１のＷＴＲＵ。
【請求項７】
前記プロセッサは、前記ＲＲＣ非アクティブ状態に入るための前記無線通信ネットワークのノードからの表示を受信すると前記ＲＲＣ非アクティブ状態に入るようにさらに構成される、請求項１のＷＴＲＵ。
【請求項８】
前記プロセッサは、前記ＲＲＣ非アクティブ状態からＲＲＣ接続状態への遷移を開始するための前記メッセージが、アップリンク（ＵＬ）データを前記無線通信ネットワークのノードに送信する判定、またはページが前記ＷＴＲＵに向けられているという判定の少なくとも一つに基づいて送信されるようにさらに構成される、請求項１のＷＴＲＵ。
【請求項９】
前記プロセッサは、前記ＲＲＣ接続状態からＲＲＣアイドル状態への遷移を開始するためのメッセージを送信するようにさらに構成される、請求項１のＷＴＲＵ。
【請求項１０】
前記プロセッサは、前記１または複数のセルに対する前記１または複数の測定の前記実行が前記セルのリストに含まれている１または複数のセルに対して行われるようにさらに構成される、請求項１のＷＴＲＵ。
【請求項１１】
無線通信ネットワークと通信する無線送受信ユニット（ＷＴＲＵ）によって実行される方法であって、前記方法は、
受信機を介して、無線リソース制御（ＲＲＣ）非アクティブ状態に対応する接続性コンテキストのための構成を受信することであって、前記構成は、前記ＲＲＣ非アクティブ状態に対応する前記接続性コンテキストに関連付けられたＷＴＲＵ識別を含む、ことと、
前記受信機を介して、前記ＲＲＣ非アクティブ状態に対応する前記接続性コンテキストに対応するカバレッジエリアについてのセルのリストを受信することと、
前記ＲＲＣ非アクティブ状態に入ることと、
前記ＲＲＣ非アクティブ状態において、１または複数のセルに対して１または複数の測定を実行することと、
前記ＲＲＣ非アクティブ状態において、前記１または複数の測定に基づいてセル再選択を実行することと、
前記ＲＲＣ非アクティブ状態からＲＲＣ接続状態への遷移を開始するためのメッセージを送信することであって、前記メッセージは、前記ＲＲＣ非アクティブ状態に対応する前記接続性コンテキストに関連付けられた前記ＷＴＲＵ識別を備える、ことと
を備える方法。
【請求項１２】
前記ＲＲＣ非アクティブ状態から前記ＲＲＣ接続状態への前記遷移を開始するための前記メッセージを送信することは、プレゼンス通知を送信する判定、またはルーティング更新手順を行う判定の少なくとも一つに基づく、請求項１１の方法。
【請求項１３】
前記プレゼンス通知を送信する判定、または前記ルーティング更新手順を行う判定の少なくとも一つは、前記ＷＴＲＵが前記ＲＲＣ非アクティブ状態に対応する前記接続性コンテキストに対応する前記カバレッジエリアから離れてしまったことを判定することを含む、請求項１２の方法。
【請求項１４】
前記セル再選択を前記実行することは、前記ＲＲＣ非アクティブ状態におけるＷＴＲＵ制御モビリティ手順の一部である、請求項１１の方法。
【請求項１５】
前記ＲＲＣ接続状態からＲＲＣアイドル状態への遷移を開始するためのメッセージを送信することをさらに備える、請求項１１の方法。